(57)【要約】本文書は、移動通信システムにおいて、下り制御チャネルを伝送する方法及びブロックインターリーバを用いて制御チャネルを物理リソースにマッピングする方法を開示する。  本文書では、移動通信システムにおいて下り制御チャネルを伝送するために、一つ以上の変調シンボルを生成するように情報ビットを特定変調手法によって変調し、該変調シンボルに対してブロックインターリーバを用いてインターリービングを行い、該インターリービングされた変調シンボルを、一つのサブフレーム内に一つ以上の制御チャネルの送信のために割り当てられたリソース要素にマッピングし、一つ以上の制御チャネルを送信する。【選択図】図２
2010525719.tif 000002
【特許請求の範囲】
【請求項１】
移動通信システムにおいて、制御チャネルを送信する方法であって、
複数の変調シンボルを生成するように情報ビットを特定変調手法によって変調し、
前記複数の変調シンボルのうち連続した変調シンボルを一つ以上含む変調シンボルグループの単位でブロックインターリーバを用いてインターリービングし、
複数の前記変調シンボルグループを、一つのサブフレーム内に一つ以上の制御チャネルの送信のために割り当てられたリソース要素にマッピングし、
前記一つ以上の制御チャネルを送信すること、
を含み、
前記インターリービングは、
前記ブロックインターリーバの行方向に前記複数の変調シンボルグループを順次に入力し、
前記ブロックインターリーバに入力される前記複数の変調シンボルグループに対して特定パターンによって列間置換動作を行い、
前記ブロックインターリーバの列方向に前記複数の変調シンボルグループを出力すること、
を含むことを特徴とする、制御チャネル送信方法。
【請求項２】
前記ブロックインターリーバのサイズは、前記サブフレーム内に送信される前記複数の変調シンボルグループの個数によって決定されることを特徴とする、請求項１に記載の制御チャネル送信方法。
【請求項３】
前記ブロックインターリーバの行の数は、前記ブロックインターリーバの既に設定された列の数及び前記サブフレーム内に送信される前記複数の変調シンボルグループの個数を考慮して決定されることを特徴とする、請求項２に記載の制御チャネル送信方法。
【請求項４】
前記複数の変調シンボルグループのそれぞれは、複数のリソース要素で構成されるリソース要素グループにマッピングされ、前記リソース要素グループの前記リソース要素の個数は、前記複数の変調シンボルグループのそれぞれの前記変調シンボルの個数と相応することを特徴とする、請求項１に記載の制御チャネル送信方法。
【請求項５】
前記複数の変調シンボルグループのそれぞれの前記変調シンボル個数及び前記リソース要素グループの前記リソース要素個数は、送信アンテナ個数または空間多重化率によって決定されることを特徴とする、請求項４に記載の制御チャネル送信方法。
【請求項６】
前記複数の変調シンボルグループは、セル特定値を用いて循環シフト（ｃｙｃｌｉｃ  ｓｈｉｆｔ）が適用されることを特徴とする、請求項１に記載の制御チャネル送信方法。
【請求項７】
前記複数の変調シンボルグループのそれぞれは、前記サブフレーム内に参照シンボル（ｒｅｆｅｒｅｎｃｅ  ｓｙｍｂｏｌ）、ＡＣＫ／ＮＡＣＫ信号、及び制御チャネル形式指示子（ＣＣＦＩ）のうち少なくとも一つを伝送するために割り当てられたリソース要素は除いてマッピングされることを特徴とする、請求項１に記載の制御チャネル送信方法。
【請求項８】
前記複数の変調シンボルグループのそれぞれは、時間先マッピング規則によって前記リソース要素にマッピングされることを特徴とする、請求項１に記載の制御チャネル送信方法。
【請求項９】
前記制御チャネル送信方法は、
前記変調に先立ち、前記制御チャネルに対する前記情報ビットをスクランブリングし、
前記複数の変調シンボルを前記移動通信システムの送信アンテナ個数より小さいまたは等しい個数のレイヤーにマッピングし、
前記複数の変調シンボルをレイヤー別にプリコーディングすること、
のうち少なくとも一つをさらに含むことを特徴とする、請求項１に記載の制御チャネル送信方法。
【請求項１０】
前記制御チャネルは、前記複数の変調シンボルを一つ以上含んでなる一つ以上の連続した制御チャネル要素（ＣＣＥ：  Ｃｏｎｔｒｏｌ  Ｃｈａｎｎｅｌ  Ｅｌｅｍｅｎｔ）を通じて送信されることを特徴とする、請求項１に記載の制御チャネル送信方法。
【発明の詳細な説明】
【技術分野】
【０００１】
本文書は、移動通信システムに関するもので、より具体的には、移動通信システムにおいて、下り制御チャネルを伝送する方法並びにブロックインターリーバを用いて制御チャネルを物理リソースにマッピングする方法に関する。
【背景技術】
【０００２】
直交周波数分割多重化（ＯＦＤＭ：  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）通信システムにおいて、上り／下りデータパケット伝送はサブフレーム単位で行われ、１サブフレームは、多数のＯＦＤＭシンボルを含む一定時間区間と定義される。一つの基地局を通じて多数の端末が通信することができ、この場合は、多数の端末のそれぞれに対するスケジューリングを通じて無線リソースが割り当てられ、サブフレーム内の割当リソースを通じて該当の端末に対する上り／下り通信が行われる。
【０００３】
この時、上り／下りデータパケットの他に、上り／下りデータパケット伝送のための様々な制御情報も共に伝送される。この制御情報には、上り／下りデータパケット送受信に用いられる無線リソース情報、コーディング方法、変調方法など、上り／下りデータパケットを送受信するために必要な様々な情報が含まれる。それらの制御情報の伝送のためにも、データパケットと同様に、１サブフレームに含まれる多数のＯＦＤＭシンボルの一部または全部にリソースが割り当てられ、サブフレーム内の割当リソースを通じて制御情報が伝送される。
【０００４】
基地局では、多数の端末に対する上り／下りデータパケット及び制御情報を伝送するための無線リソーススケジューリングによって該当の情報ビットを無線リソースにマッピングさせて各端末に伝送する。特に、下り制御チャネル伝送の場合には、多数の端末に対する制御情報が共に伝送されることができるので、ダイバーシティ効果を得るために、制御チャネルに割り当てられた無線リソースで、各端末の制御チャネルが均一に分布して伝送されるように、これら制御チャネルを無線リソースにマッピングさせることが有利である。また、仮想リソース単位を用いてスケジューリングする場合は、実質的な伝送を行うために、それら制御チャネルを実際的な物理リソースにマッピングさせる方法を提供しなければならない。
【発明の概要】
【発明が解決しようとする課題】
【０００５】
上述のような背景技術に鑑みて、本発明は、移動通信システムにおいて下り制御チャネルを伝送する方法を提供することを目的とする。また、移動通信システムでブロックインターリーバを用いて制御チャネルを物理リソースにマッピングする方法を提供することを目的とする。
【課題を解決するための手段】
【０００６】
本発明の一実施様態による移動通信システムにおいて、制御チャネルを送信する方法は、複数の変調シンボルを生成するように情報ビットを特定変調手法によって変調し；該複数の変調シンボルのうち連続した変調シンボルを一つ以上含む、変調シンボルグループの単位でブロックインターリーバを用いてインターリービングし；複数の変調シンボルグループを、一つのサブフレーム内に一つ以上の制御チャネルの送信のために割り当てられたリソース要素にマッピングし；一つ以上の制御チャネルを送信することを含み、ここで、上記インターリービングでは、ブロックインターリーバの行方向に複数の変調シンボルグループを順次に入力し；ブロックインターリーバに入力される複数の変調シンボルグループに対して特定パターンにしたがって列間置換動作を行い；ブロックインターリーバの列方向に複数の変調シンボルグループを出力すること、を含む。
【０００７】
ここで、ブロックインターリーバのサイズは、前記サブフレーム中の送信される複数の変調シンボルグループの個数によって決定されることができる。
【０００８】
ブロックインターリーバの行の数は、ブロックインターリーバの既に設定された列の数及びサブフレーム中の送信される複数の変調シンボルグループの個数を用いて決定することができる。
【０００９】
複数の変調シンボルグループのそれぞれは、複数のリソース要素で構成されるリソース要素グループにマッピングされ、リソース要素グループのリソース要素の個数は、複数の変調シンボルグループのそれぞれの変調シンボルの個数と相応することができる。
【００１０】
複数の変調シンボルグループのそれぞれの変調シンボル個数及びリソース要素グループのリソース要素個数は、送信アンテナ個数または空間多重化率によって決定されることができる。
【００１１】
複数の変調シンボルグループは、セル特定値を用いて循環シフト（ｃｙｃｌｉｃ  ｓｈｉｆｔ）が適用されることができる。
【００１２】
複数の変調シンボルグループのそれぞれは、前記サブフレーム内に参照シンボル（ｒｅｆｅｒｅｎｃｅ  ｓｙｍｂｏｌ）、ＡＣＫ／ＮＡＣＫ信号、及び制御チャネル形式指示子（ＣＣＦＩ）のうち少なくとも一つを伝送するために割り当てられたリソース要素は除いてマッピングすることができる。
【００１３】
複数の変調シンボルグループのそれぞれは、時間先マッピング（Ｔｉｍｅ−ｆｉｒｓｔ  ｍａｐｐｉｎｇ）規則によってリソース要素にマッピングされることができる。
【００１４】
上記制御チャネル送信方法は、変調に先立ち、前記制御チャネルに対する情報ビットをスクランブリングし；複数の変調シンボルを、移動通信システムの送信アンテナ個数と等しいまたは小さい数のレイヤーにマッピングし；複数の変調シンボルをレイヤー別にプリコーディングすることのうち、少なくとも一つをさらに含むことができる。
【００１５】
制御チャネルは、複数の変調シンボルを一つ以上含んでなる一つ以上の連続した制御チャネル要素（ＣＣＥ：  Ｃｏｎｔｒｏｌ  Ｃｈａｎｎｅｌ  Ｅｌｅｍｅｎｔ）を通じて送信されることができる。
【発明の効果】
【００１６】
本文書で開示する実施例によれば、移動通信システムにおいて下り制御チャネルを效果的に伝送することができる。また、移動通信システムにおいて、特徴的なブロックインターリーバを用いて制御チャネルを物理リソースにマッピングすることができる。
【００１７】
なお、本文書で開示する制御チャネル伝送方法及びマッピング方法を使用すると、各端末に対する制御情報を全体時間／周波数領域に均一に分布させることができる。のみならず、複数のセル環境でセル間干渉のランダム化を通じてその影響を最小化することができる。
【図面の簡単な説明】
【００１８】
【図１】移動通信システムの送信端で信号を処理して特定チャネルを送信する過程の一例を説明するための図である。
【図２】本発明の一実施例によってブロックインターリーバを使用したインターリービング後に物理リソース要素にマッピングする方法の２つの例を説明するための図である。
【図３】本発明の一実施例で使用可能なブロックインターリーバであって、入力方向と出力方向とが異なる場合のブロックインターリーバの具現例を説明するための図である。
【図４】本発明の一実施例によってブロックインターリーバを用いて列間置換または行間置換動作を行う方法の一例を説明するための図である。
【図５】本発明の一実施例によってブロックインターリーバを用いて列内置換または行内置換動作を行う方法の一例を説明するための図である。
【図６】本発明の実施例によってブロックインターリーバから出力される出力シンボル列を物理リソース要素にマッピングする方法の一例を説明するための図である。
【図７】ＯＦＤＭ通信システムで仮想リソースと物理的リソース間のマッピング関係を説明するための図である。
【図８】本発明の一実施例によってブロックインターリーバのサイズを決定する方法の一例を説明するための図である。
【図９】本発明の実施例によってブロックインターリーバを使用するインターリービングを具現できる多重化方法の一例を説明するための図である。
【図１０】本発明の一実施例によるブロックインターリービングの動作方式を説明するための分類表である。
【図１１】本発明の一実施例によるブロックインターリーバを用いるインターリービングの動作方式においてシフト動作を説明するための図である。
【図１２】本発明の一実施例によってブロックインターリーバを用いてインターリービングされた制御チャネルをマッピングする方法の一例を説明するための図である。
【図１３】本発明の一実施例によってブロックインターリーバを用いてインターリービングされた制御チャネルをマッピングする方法の他の例を説明するための図である。
【図１４】数学式１１によってブロックインターリーバを動作する場合を示す図である。
【図１５】数学式１２によってブロックインターリーバを動作する場合を示す図である。
【図１６】本発明の一実施例によって一つ以上のＣＣＥの全部または一部を含むように所定のグループを定義する方法を説明するための図である。
【図１７】本発明の一実施例によって定義されたグループを用いて制御チャネルが伝送されるＯＦＤＭシンボルにマッピングする方法を説明するための図である。
【図１８】本発明の一実施例によって一つ以上のＣＣＥの全部または一部を含むように所定のグループを定義する他の方法を説明するための図である。
【図１９】本発明の一実施例によるグループ定義方法を用いてマッピングする方法を説明するための図である。
【図２０】本発明の一実施例によるグループ定義方法を用いてマッピングする方法の一例を説明するための図である。
【図２１】本発明の一実施例によってＣＣＥレベルグルーピング方式を適用する方法の一例を説明するための図である。
【図２２】本発明の一実施例によってＣＣＥレベルグルーピング方式を適用する方法の一例を説明するための図である。
【図２３】本発明の一実施例によるグループ定義方法を用いてマッピングする方法の一例を説明するための図である。
【図２４】本発明の一実施例によってＣＣＥサブブロックレベルグルーピング方式を適用する方法の一例を説明するための図である。
【図２５】本発明の一実施例によってＣＣＥサブブロックレベルグルーピング方式を適用する方法の一例を説明するための図である。
【図２６】本発明の一実施例によるグループ定義方法を用いてマッピングする方法の一例を説明するための図である。
【図２７】本発明の一実施例によるグループ定義方法を用いてマッピングする方法の一例を説明するための図である。
【図２８】本発明の一実施例によるグループ定義方法を用いてマッピングする方法の一例を説明するための図である。
【図２９】本発明の一実施例によるＣＣＥ−ｔｏ−ＲＥ  ｍａｐｐｉｎｇ方式を具現するブロックインターリーバ構成の一例を説明するための図である。
【図３０】本発明の一実施例によるＣＣＥ−ｔｏ−ＲＥ  ｍａｐｐｉｎｇ方式を具現するブロックインターリーバ構成の他の例を説明するための図である。
【図３１】本発明の一実施例によるブロックインターリーバを用いて制御チャネルマッピングを行う方法の例を説明するための図である。
【図３２】本発明の一実施例によって構成されたブロックインターリーバにおける動作例を段階別に示す図である。
【図３３】本発明の一実施例によって構成されたブロックインターリーバにおける動作例を段階別に示す図である。
【図３４】本発明の一実施例によるＣＣＥ−ｔｏ−ＲＥ  ｍａｐｐｉｎｇ過程を順に示す流れ図である。
【図３５】本発明の一実施例によって、ＯＦＤＭシンボル別インターリービング後にマッピングする方法の一例を説明するための図である。
【図３６】本発明の一実施例によって異種制御チャネルを共に伝送する方法の一例を説明するための図である。
【図３７】本発明の一実施例によってＰＨＩＣＨチャネルに対してもＯＦＤＭシンボル別インターリービングを行う時、各ＯＦＤＭシンボルを通じて伝送されるＰＨＩＣＨチャネルのｍｉｎｉ−ＣＣＥを割り当てる方法の一例を説明するための図である。
【図３８】本発明の一実施例によって２つ以上の異種制御チャネルに対して共にＯＦＤＭシンボル別インターリービングを行って伝送する方法の一例を説明するための図である。
【図３９】本発明の一実施例によって２つ以上の制御チャネルに対して共にＯＦＤＭシンボル別インターリービングを行って伝送する方法の他の例を説明するための図である。
【図４０】本発明の一実施例によってブロックインターリーバを使用してＯＦＤＭシンボル別インターリービングを行う方法の一例を説明するための図である。
【図４１】本発明の一実施例によって２つ以上の制御チャネルに対して共にインターリービングが行われ、多重化されて伝送される方法の一例を説明するための図である。
【発明を実施するための形態】
【００１９】
以下、本発明の好適な実施形態を、添付の図面を参照しつつ詳細に説明する。
【００２０】
図１は、移動通信システムの送信端で信号を処理して特定チャネルを送信する過程の一例を説明するための図である。
【００２１】
図１に示すように、移動通信システムの送信端では、情報ビット列のコーディング後に生成される各コードワード（ｃｏｄｅ  ｗｏｒｄ）別にスクランブリング１０ａ，１０ｂが行われる。スクランブリングは、コーディングされた情報ビット列の順序を任意の規則によって混ぜる動作であり、特定スクランブリングシーケンスを用いて行うことができる。
【００２２】
そして、コードワード別に特定変調手法によって変調１１ａ，１１ｂされ、変調シンボルとして構成されることができる。この時、変調手法としては、ＢＰＳＫ、ＱＰＳＫ、８ＰＳＫ、８ＱＡＭ、１６ＱＡＭ、６４ＱＡＭなどを挙げることができる。変調後に生成される変調シンボルは、（ｘ＋ｊｙ）のような複素数の形態で表現されることができる。
【００２３】
そして、コードワード別に生成された変調シンボル列にレイヤーマッピング１２が行われる。ここで、レイヤーは、移動通信システムの送信アンテナ数より小さいまたは等しい値にすることができ、通信環境または通信状態に応じて、例えば、受信端から受信されるフィードバック情報を考慮して適応的に設定することができる。レイヤーマッピング動作により、各コードワードは一つ以上のレイヤーにマッピングされることができる。一方、多重アンテナシステムでは、空間多重化または伝送ダイバーシティ効果を考慮してレイヤーマッピングを行っても良い。
【００２４】
そして、レイヤーマッピング後にプリコーディング１３を行うことができる。プリコーディングは、レイヤー別に生成される送信ベクトルを、各送信アンテナのリソースにマッピングする動作である。多重アンテナシステムで、特定プリコーディング手法を用いて複数の送信アンテナをより效果的に使用することができる。
【００２５】
多重アンテナシステムでは、空間多重化または伝送ダイバーシティ効果を考慮して様々なプリコーディング手法を適用することができる。また、受信端からのフィードバック情報を用いる閉ループシステムでは、複数のプリコーディング行列インデックスを含むコードブックを使用し、プリコーディングに用いられるプリコーディング行列を容易に選択するようにすることができる。
【００２６】
このようにプリコーディングにより送信アンテナ別に出力される変調シンボル列を、各送信アンテナ別リソース要素にマッピング１４ａ，１４ｂする。
【００２７】
本文書は、移動通信システムにおいて特定チャネルに対する変調シンボル列を物理リソースにマッピングする方法を開示する。ここで、チャネルは、制御チャネルなどを含め、移動通信システムで定義されうる様々な伝送チャネルを含むことができる。より特徴的には、一つのサブフレームに割り当てられる物理リソースにマッピングする時、一つの端末に対するリソースが伝送帯域中で均一に分布できるマッピング方法を開示する。
【００２８】
情報ビット列をリソース要素にマッピングするに当たり、リソース要素（ＲＥ）は、基本的に、ＯＦＤＭ通信システムの例において時間領域の一つのＯＦＤＭシンボルと周波数領域の一つの副搬送波（ｓｕｂ−ｃａｒｒｉｅｒ）とからなるものとして直接定義されることができる。そして、リソース要素（ｒｅｓｏｕｒｃｅ  ｅｌｅｍｅｎｔ：ＲＥ）へのマッピング時に、所定個数のリソース要素単位でマッピングすることもできる。
【００２９】
また、リソース要素へのマッピングにおいて、一つ以上のリソース要素を含んでなるリソースブロック（ｒｅｓｏｕｒｃｅ  ｂｌｏｃｋ：ＲＢ）の概念が使用されることができる。リソースブロックは、ＯＦＤＭ通信システムの例において複数個の連続したＯＦＤＭシンボルと複数個の連続した副搬送波とで定義することができる。そして、この場合、リソースブロック（ＲＢ）の大きさは、システムや循環前置子（ｃｙｃｌｉｃ  ｐｒｅｆｉｘ）の種類、フレーム構造（ｆｒａｍｅ  ｓｔｒｕｃｔｕｒｅ）などによって可変的に決定されることができる。
【００３０】
リソースブロックには、実際の時間−周波数リソースと定義される物理的リソースブロックの他に、物理的リソースブロックと同じ大きさを有し、物理的リソースブロックにマッピングできる仮想リソースブロックが定義されて使用されることができる。仮想リソースブロックの論理的リソース概念を通じて基地局が通信リソースをより效率的にスケジューリングすることができる。
【００３１】
例えば、この場合、仮想リソースブロックと実際の物理的リソースブロックとが一定に関係付けられ、基地局が仮想リソースブロックに基づいてリソースをスケジューリングすると、このようなスケジューリングを反映して送信データを実際の物理的リソースブロックにマッピングし、受信側に伝送することができる。以下の説明で、物理的リソースブロック及び仮想リソースブロックは、互いに取り替えて適用することもできることは当業者には自明である。
【００３２】
さらに、複数のリソース要素（ＲＥ）を含むリソース要素グループ（ＲＥＧ：  ｒｅｓｏｕｒｃｅ  ｅｌｅｍｅｎｔ  ｇｒｏｕｐ）を定義し、リソース要素（ＲＥ）マッピングと同一に適用することができる。例えば、ＳＦＢＣ（ｓｐａｃｅ  ｆｒｅｑｕｅｎｃｙ  ｂｌｏｃｋ  ｃｏｄｉｎｇ）などの多重アンテナ伝送ダイバーシティ方式（ｔｒａｎｓｍｉｔ  ｄｉｖｅｒｓｉｔｙ  ｓｃｈｅｍｅ）が適用される場合、多重アンテナ伝送方式によって送信アンテナ個数分の連続した副搬送波に該当するリソース要素へのマッピングを考慮することができる。
【００３３】
この場合、一つのリソース要素（ＲＥ）は、リソース要素グループ（ＲＥＧ）で副搬送波が一つである場合として説明されることができる。したがって、送信アンテナ個数または空間多重化率によって複数個のリソース要素を含むリソース要素グループに対して以上のまたは以下の実施例によるマッピングを適用することができる。
【００３４】
リソース要素にマッピングされた変調シンボル列は、時間ドメイン上の信号、例えば、ＯＦＤＭ信号に切り替わって各送信アンテナから受信端に送信される。
【００３５】
実施例１
本実施例によれば、物理リソースへのマッピングに先立ってインターリービングを行う。このとき、ブロックインターリーバを用いてインターリービングを行うことができる。
【００３６】
ブロックインターリーバを通じて乱数インターリービング（ｒａｎｄｏｍ  ｉｎｔｅｒｌｅａｖｉｎｇ）または特定置換パターンを用いたインターリービングを行うことができる。ブロックインターリーバの構造的な特性の上、入出力方向及び置換方向などによる簡単な動作でインターリービング効果を得ることができる。
【００３７】
これに加えて、複数のセルにおいてインターリーバを共通使用する場合であっても、セル間干渉の発生を最小化するために、追加的にインターリーバの出力を物理リソースにマッピングさせる時に、セルＩＤのようなセル固有の情報をシフト因子として用いて循環的なシフト（ｃｙｃｌｉｃ  ｓｈｉｆｔ）動作を行い、セル特定要素を付加することができる。
【００３８】
図２は、本発明の一実施例によってブロックインターリーバを用いたインターリービングの後に物理リソース要素にマッピングする方法の２例を説明するための図である。
【００３９】
まず、図２の（ａ）は、ブロックインターリーバへの入力方向が行方向である場合と定義されるタイプ１に対する例示的なマッピング方法を示す。
【００４０】
まず、段階Ｓ３０で、１サブフレーム内で伝送される情報ビットにコーディング及び変調などの処理がなされた変調シンボル列が、ブロックインターリーバに入力され、このとき、上記で仮定したように、ブロックインターリーバの行方向に順次に入力される。インターリーバに入力される時、連続した変調シンボル列をグルーピングして変調シンボルグループを構成した後、この変調シンボルグループ単位でインターリーバに入力することが好ましい。以下、説明の便宜上、変調シンボル単位でインターリーバに入力し、それ以降の過程でも変調シンボル単位で動作すると仮定する。しかし、所定個数の変調シンボルがグルーピングされた変調シンボルグループ単位でインターリーバに入力されてインターリービングされる動作やセル特定シフトのような動作が同一に動作できることは明らかである。
【００４１】
そして、段階Ｓ３１で、ブロックインターリーバに行方向に入力された変調シンボルに対してブロックインターリーバ内で列間インターリービング（ｉｎｔｅｒ−ｃｏｌｕｍｎ  ｉｎｔｅｒｌｅａｖｉｎｇ）などのインターリービングを行うことができる。例えば、ブロックインターリーバの列内置換（ｉｎｔｒａ−ｃｏｌｕｍｎ  ｐｅｒｍｕｔａｔｉｏｎ）または列間置換（ｉｎｔｅｒ−ｃｏｌｕｍｎ  ｐｅｒｍｕｔａｔｉｏｎ）を行うことができる。列内置換または列間置換する時に乱数パターンまたは特定置換パターンを用いて置換動作を行うことができる。この時、置換パターン生成時にセル間干渉を考慮してセル特定情報を用いることもできる。
【００４２】
そして、段階Ｓ３２で、列内置換が行われた変調シンボルに対して追加的にシフトを行うことができる。この時、シフトオフセットを決定できるシフト因子としては、セル間干渉を考慮してセル特定情報を用いることができる。
【００４３】
段階Ｓ３２のシフト動作は、図２に示すような順序としても良く、段階Ｓ３３の出力過程の後にブロックインターリーバの出力変調シンボル列に対してシフトが行われ、物理リソースにマッピングされることもできる。インターリーバ出力（Ｓ３３）の後にセル特定値でシフトさせる方法を使用することによって、セル間干渉を減らすことができる。この動作は、本実施例の動作から省略しても良いことは勿論である。
【００４４】
ブロックインターリーバで乱数インターリービングとシフトが行われた変調シンボルが段階Ｓ３３で出力され、この出力時には、入力方向とは反対に、列方向に出力される。そして、段階Ｓ３４で、出力シンボル列は、サブフレーム内の制御チャネル伝送に割り当てられる物理リソース要素にマッピングされて、一つ以上の端末に伝送される。
【００４５】
特に、インターリービング時にはセル共通のブロックインターリーバを用いてインターリービングするが、この場合、ブロックインターリーバから出力される変調シンボル列に対してセル特定情報を用いて循環的シフトを行い、システム複雑度及びシグナリング情報量を減らしながらもセル間干渉を減らすことができる。
【００４６】
そして、図２の（ｂ）は、ブロックインターリーバへの入力方向が列方向である場合と定義されるタイプ２に対する例示的なマッピング方法を示す。
【００４７】
図２の（ｂ）は、段階Ｓ３５で、１サブフレーム内で伝送される情報ビットにコーディング及び変調などの処理がなされた変調シンボル列がブロックインターリーバに入力され、この時、上記で仮定したように、ブロックインターリーバの列方向に順次に入力され、続いて、段階Ｓ３６ではブロックインターリーバの行別に置換され、段階Ｓ３８では、ブロックインターリーバの行方向にブロックインターリーバから出力される点が、図２の（ａ）と異なる。すなわち、ブロックインターリーバに対する入力方向と出力方向、置換が行われる単位に相異があるだけで、具体的な動作は図２の（ａ）と同一である。
【００４８】
図２の段階Ｓ３４及び段階Ｓ３９でのマッピングは、時間／周波数リソース領域で周波数先マッピング方式（ｆｒｅｑｕｅｎｃｙ（ｓｕｂｃａｒｒｉｅｒ）−ｆｉｒｓｔ  ｍａｐｐｉｎｇ）、時間先マッピング方式（ｔｉｍｅ（ＯＦＤＭ  ｓｙｍｂｏｌ）−ｆｉｒｓｔ  ｍａｐｐｉｎｇ）、または、これら両方式が物理リソースブロック（ｐｈｙｓｉｃａｌ  ｒｅｓｏｕｒｃｅ  ｂｌｏｃｋ：ＰＲＢ）単位でなされる形態のマッピング方式などを通じて具現されることができる。
【００４９】
また、ブロックインターリーバのサイズは、様々な方法で決定することができる。例えば、ブロックインターリーバの使用上の便宜のために、行（ｒｏｗ）または列（ｃｏｌｕｍｎ）のいずれかのサイズは固定した値とし、他のいずれかは情報量によって決定できる可変的な値とすることができる。例えば、制御チャネル伝送のためのマッピングにおいてブロックインターリーバを用いる場合、ブロックインターリーバの列（ｃｏｌｕｍｎ）サイズは固定した値とし、行（ｒｏｗ）サイズは、サブフレームで伝送される制御チャネルに該当する変調シンボル数またはリソース要素数によって可変的に使用可能である。
【００５０】
一方、決定されたブロックインターリーバのサイズが、１サブフレームで特定チャネル伝送に割り当てられる物理リソース要素の数と整合しない場合、例えば、ブロックインターリーバのサイズが、１サブフレームで特定チャネル伝送に割り当てられる物理リソース要素の数よりも大きい場合は、ブロックインターリーバへの入力時にダミー要素を含めて入力し、出力時にはこれをプルーニング（ｐｒｕｎｉｎｇ）して出力する過程を追加し、ブロックインターリーバサイズの自由度を向上させることができる。
【００５１】
また、特定チャネル伝送に割り当てられたサブフレーム内の領域に含まれるリソースのうち、異種チャネル伝送のためのリソースが一部割り当てられる場合は、これを除くリソース要素数を考慮してマッピングを行うことができる。または、複数のチャネルに対して共にインターリービングを行ってマッピングすることもできる。
【００５２】
例えば、制御チャネル伝送において、任意のサブフレームを通じて下り制御チャネルの伝送に用いられるＯＦＤＭシンボル内で制御チャネルの伝送に使用されうるリソース要素数は、これらＯＦＤＭシンボル内で参照信号（ＲＳ：  ｒｅｆｅｒｅｎｃｅ  ｓｉｇｎａｌ）、制御チャネル伝送フォーマットに対する情報であるＣＣＦＩ（ｃｏｎｔｒｏｌ  ｃｈａｎｎｅｌ  ｆｏｒｍａｔ  ｉｎｄｉｃａｔｏｒ）を伝送するＰＣＦＩＣＨ（ｐｈｙｓｉｃａｌ  ｃｏｎｔｒｏｌ  ｆｏｒｍａｔ  ｉｎｄｉｃａｔｉｏｎ  ｃｈａｎｎｅｌ）、下りＡＣＫ／ＮＡＣＫ（ＤＬ  ＡＣＫ／ＮＡＣＫ）が伝送されるＰＨＩＣＨ（Ｐｈｙｓｉｃａｌ  ｈｙｂｒｉｄ−ＡＲＱ  ｉｎｄｉｃａｔｏｒ  ｃｈａｎｎｅｌ）、ＰＩＣＨ（Ｐａｇｉｎｇ  Ｉｎｄｉｃａｔｏｒ  Ｃｈａｎｎｅｌ）などの伝送のために用いられるリソース要素数を除外したものとすることができる。
【００５３】
図３は、本発明の一実施例で使用できるブロックインターリーバであって、入力方向と出力方向とが異なる場合のブロックインターリーバの具現例を説明するための図である。図３で、Ｒは行（ｒｏｗ）の数を表し、Ｃは列（ｃｏｌｕｍｎ）の数を表す。
【００５４】
図３の（ａ）は、変調シンボルがブロックインターリーバの行方向に入力される場合の、ブロックインターリーバの入出力動作を説明するための図である。図３の（ａ）に示すように、行方向に入力されたので、本実施例によって出力方向は列方向となる。すなわち、ブロックインターリーバに入力される変調シンボル列は、ブロックインターリーバの第１行から第Ｒ行まで順次にまたは任意の順序に入力されることができる。そして、インターリービングが行われた後、出力時には、ブロックインターリーバの第１列から第Ｃ列まで順次にまたは任意の順序で出力されることができる。
【００５５】
図３の（ｂ）は、変調シンボルがブロックインターリーバの列方向に入力される場合の、ブロックインターリーバの入出力動作を説明するための図である。図３の（ｂ）に示すように、列方向に入力されたので、本実施例によって出力方向は行方向となる。すなわち、ブロックインターリーバに入力される変調シンボル列は、ブロックインターリーバの第１列から第Ｃ列まで順次にまたは任意の順序で入力されることができる。そして、インターリービングが行われた後、出力時には、ブロックインターリーバの第１行から第Ｒ行まで順次にまたは任意の順序で出力されることができる。
【００５６】
このようにブロックインターリーバの入力方向と出力方向とを異ならせる簡単な方法を通じて、ブロックインターリーバに入力される前の構成要素間の順序とブロックインターリーバから出力される構成要素間の順序に変化を与えることができる。このような入出力方向が異なるブロックインターリーバの使用により、チャネル要素がリソースに均一に分布して伝送される結果を得ることができる。
【００５７】
図４は、本発明の本発明の一実施例によるブロックインターリーバを用いるインターリービング動作の方式において置換動作を説明するための図である。
【００５８】
本実施例による、列間置換（ｉｎｔｅｒ−ｃｏｌｕｍｎ  ｐｅｒｍｕｔａｔｉｏｎ）または行間置換（ｉｎｔｅｒ−ｒｏｗ  ｐｅｒｍｕｔａｔｉｏｎ）動作は、ブロックインターリーバに入力された変調シンボル列に対して、ブロックインターリーバ中の行（ｒｏｗ）または列（ｃｏｌｕｍｎ）を全体して他の行（ｒｏｗ）または列（ｃｏｌｕｍｎ）と置換して動作を行うことができる。
【００５９】
例えば、図４の（ａ）に示す列間置換（ｉｎｔｅｒ−ｃｏｌｕｍｎ  ｐｅｒｍｕｔａｔｉｏｎ）が行われる場合は、第１列に入力される変調シンボルを全て他の列に置換することができる。そして、図４の（ｂ）に示す行間置換（ｉｎｔｅｒ−ｒｏｗ  ｐｅｒｍｕｔａｔｉｏｎ）の場合は、第１行に入力される変調シンボルを全て他の行（ｒｏｗ）に置換することができる。
【００６０】
行間置換動作及び列間置換動作は、インターリーバ出力前にインターリーバの各列（ｃｏｌｕｍｎ）や行（ｒｏｗ）間の出力順序を替える動作であり、インターリーバ出力後に物理リソース要素にマッピングされる各列（ｃｏｌｕｍｎ）や行（ｒｏｗ）の順序を変更できる動作である。
【００６１】
特に、図４の（ａ）のように、列間置換動作が、ブロックインターリーバの入力方向が行方向、出力方向が列方向の時に行われ、図４の（ｂ）のように、行間置換動作が、ブロックインターリーバの入力方向が列方向、出力方向が行方向の時に行われる場合は、上述したダイバーシティまたはランダム化特性を向上させることができる。
【００６２】
この場合、セル間干渉の影響を最小化するために、セルＩＤのようなセル別に固有な情報を用いてセル別に固有の置換パターンを生成することによって、セル別に固有のマッピングパターンを生成できる。
【００６３】
または、セル別に共通して使用される特定パターンによって列間置換動作を行い、セル特定因子を用いた循環的シフトのような動作を用いてセル間干渉の影響を減らすこともできる。
【００６４】
図５は、本発明の一実施例によってブロックインターリーバを用いて列内置換または行内置換動作を行う方法の一例を説明するための図である。
【００６５】
まず、図５の（ａ）は、ブロックインターリーバを用いた列内置換方法を説明するための図である。これは、ブロックインターリーバの入力方向が行方向の場合においてより効果的である。
【００６６】
ブロックインターリーバにおける列内置換動作の具体的な方法の一例として、列内乱数再整列（ｃｏｌｕｍｎ  ｒａｎｄｏｍ  ｒｅｏｒｄｅｒｉｎｇ）方法を挙げることができる。すなわち、図５の（ａ）に示すように、ブロックインターリーバの第１列に含まれるインターリーバ要素に乱数再整列（０ｔｈ−ｃｏｌｕｍｎ  ｒａｎｄｏｍ  ｒｅｏｒｄｅｒｉｎｇ）が行われ、第２列に含まれるインターリーバ要素に乱数再整列（１ｔｈ−ｃｏｌｕｍｎ  ｒａｎｄｏｍ  ｒｅｏｒｄｅｒｉｎｇ）が行われ、同一方法で、第３列に含まれるインターリーバ要素に乱数再整列（２ｔｈ−ｃｏｌｕｍｎ  ｒａｎｄｏｍ  ｒｅｏｒｄｅｒｉｎｇ）乃至第Ｃ列に含まれるインターリーバ要素に乱数再整列（ｃ−１ｔｈ−ｃｏｌｕｍｎ  ｒａｎｄｏｍ  ｒｅｏｒｄｅｒｉｎｇ）が行われることができる。
【００６７】
これは、基本的に、乱数（ｒａｎｄｏｍ  ｎｕｍｂｅｒｓ）発生または割当を通じて各列を構成している構成要素の行（ｒｏｗ）の位置を、発生した乱数の位置に替える乱数再整列過程を行うことによって具現することができる。乱数インターリービングとデインターリービングが円滑に行われるために、インターリービングのための乱数パターンが得られると、所定の記憶媒体にこの乱数パターンを格納し、参照テーブル（Ｌｏｏｋｕｐ  ｔａｂｌｅ）を用いる方式で具現を具体化することができる。
【００６８】
列内乱数再整列動作において、各列の列内乱数再整列される結果は、隣列の列内乱数再整列される結果による乱数パターンによらず、各列の構成要素の行（ｒｏｗ）の位置の順序が、独立的に該当の列で発生した乱数に基づいて変わるため、各列で該当の列を構成している構成要素の順序が、他の列と一定の規則性無しで決定される。したがって、このような特性のために、全てのセルで同一インターリーバを使用してもセル間に固有のマッピングパターンが生成されることができる。
【００６９】
下記の数学式１は、本実施例によって列内乱数再整列動作を示す例である。
【００７０】
【数１】
2010525719.tif 000003
【００７１】
数学式１で、ｒとｃは、列内再整列動作を行う前にブロックインターリーバ内に任意のインターリーバ要素がマッピングされている、または、プルーニングされる要素の行（ｒｏｗ）と列（ｃｏｌｕｍｎ）のインデックスを表す変数である。そして、ｒ’とｃ’は、列内再整列動作を行った後のブロックインターリーバ内に任意のインターリーバ要素がマッピングされている、または、プルーニングされる要素の行（ｒｏｗ）と列（ｃｏｌｕｍｎ）のインデックスを表す変数である。
【００７２】
数学式１では、各列別の固有の再整列パターンを生成する動作を、関数ＲＲ（ｒ，ｃ）と定義している。列別の固有の再整列パターンを生成するいかなる具体的な動作方式も関数ＲＲ（ｒ，ｃ）で表すことができる。下記の数学式２は、関数ＲＲ（ｒ，ｃ）の一例を表す。
【００７３】
【数２】
2010525719.tif 000004
【００７４】
数学式２で、列（ｃｏｌｕｍｎ）インデックスｃ上の任意の行（ｒｏｗ）インデックスｒ上のブロックインターリーバ要素が、これに２つの行（ｒｏｗ）と列（ｃｏｌｕｍｎ）インデックスを用いて列（ｃｏｌｕｍｎ）ベクトル上のＲ個の要素上で固有の値に跳躍（ｈｏｐｐｉｎｇ）することを、関数ＣＨ（ｒ，ｃ）で定義している。そして、任意の列（ｃｏｌｕｍｎ）インデックスｃ上の全ての要素に対して列（ｃｏｌｕｍｎ）別に差別化したオフセット（ｏｆｆｓｅｔ）を付加することを、関数ＣＯ（ｃ）で定義している。様々な動作方式を、関数ＣＨ（ｒ，ｃ）とＣＯ（ｃ）で表すことができる。下記の数学式３及び数学式４は、関数ＣＨ（ｒ，ｃ）とＣＯ（ｃ）及びこれにより具体化された関数ＲＲ（ｒ，ｃ）のそれぞれの一例を表す。
【００７５】
【数３】
2010525719.tif 000005
【００７６】
【数４】
2010525719.tif 000006
【００７７】
数学式３及び数学式４で、Ｐは、ブロックインターリーバの行（ｒｏｗ）の数を素数となるように決定する場合に最終決定されたＲ値と素数を考慮せずに決定されたＲ値との差を表す。
【００７８】
各列に対する乱数パターンを生成する時に、一つの端末に対する特定チャネルをなす変調シンボルは全体システム帯域幅に分散して伝送されるべきという周波数ドメインに対するマッピング条件を満たすために行（ｒｏｗ）サイズＲ内で乱数を発生させる以外にも、一つの端末に対する特定チャネルをなす変調シンボルは伝送に用いられるｎ個ＯＦＤＭシンボルに均一に用いて伝送されるべきという時間領域のマッピング条件を満たすようにすることができる。
【００７９】
このような条件を満たすことなく乱数パターンが生成されると、例えば、制御チャネル伝送において、ＰＨＩＣＨ、ＰＣＦＩＣＨのようなチャネルが最初のＯＦＤＭシンボルを通じて伝送される場合、最初のＯＦＤＭシンボルでＰＤＣＣＨを伝送するのに使用できるリソース要素が少ないため、セル別シフト値によって最初のＯＦＤＭシンボルに、一つの端末に対する制御チャネルをなす変調シンボルのうち一つの変調シンボルもマッピングできないＣＣＥが存在することとなる。
【００８０】
これを防止するための一方法として、任意の列の乱数パターンは、以前列の乱数パターンと比較した時、同一の端末に対する特定チャネルをなす変調シンボルに対してブロックインターリーバの各列で発生させた乱数の距離が、最初のＯＦＤＭシンボルにマッピングされうるインターリーバ構成要素の数よりも小さく決定することができる。ここで、乱数の距離は、特定端末に対する制御チャネルをなす変調シンボルのブロックインターリーバの任意の特定列に対する位置インデックスとこの特定列と連続する列に対する位置インデックスとの差を表すことができる。
【００８１】
上述した時間領域のマッピング条件を考慮することによって、特定チャネルの伝送電力スケジューリングとカバレッジ（ｃｏｖｅｒａｇｅ）の面においてより高い効果を得ることができる。
【００８２】
そして、ブロックインターリーバ内の列内置換動作の具体的な方法の他の例として、特定置換パターンを用いる列内置換（ｃｏｌｕｍｎ−ｗｉｓｅ  ｐｅｒｍｕｔａｔｉｏｎ）方法を挙げることができる。これは、ブロックインターリーバ内に入力されている任意のリソース要素グループの行（ｒｏｗ）と列（ｃｏｌｕｍｎ）のインデックスに基づく特定置換パターンを通じて具現することができる。列方向置換方法において、各列に適用される置換パターンは列別に固有に構成されることが好ましく、これにより、各列内置換パターンの相互相関性が非常に低くなることができる。
【００８３】
上述した通り、ブロックインターリーバを用いて特定置換パターンを用いたインターリービングを行う場合にも、基本的な動作構造は図５の乱数インターリービングと同様であり、ただし、ｉｔｈ−ｃｏｌｕｍｎ  ｒａｎｄｏｍ  ｒｅｏｒｄｅｒｉｎｇ、ｉｔｈ−ｒｏｗ  ｒａｎｄｏｍ  ｒｅｏｒｄｅｒｉｎｇの表記が、ｉｔｈ  ｃｏｌｕｍｎ−ｗｉｓｅ  ｐｅｒｍｕｔａｔｉｏｎ、ｉｔｈ−ｒｏｗ−ｗｉｓｅ  ｐｅｒｍｕｔａｔｉｏｎに代替できるという点のみが異なる。ここで、ｉは、行（ｒｏｗ）または列（ｃｏｌｕｍｎ）別にインターリービングが行われる場合、各行（ｒｏｗ）または列（ｃｏｌｕｍｎ）に対するインデックスを表す。
【００８４】
置換パターンの実施例は、下記の表１のように表すことができる。
【００８５】
【表１】
2010525719.tif 000007
【００８６】
表１で、“｛｝”内は、インターリービング結果の各変調シンボル列内の列インデックス（ｓｅｑｕｅｎｃｅ  ｉｎｄｅｘ）を、インターリービング前の変調シンボル列内のインデックス順に並べたものである。そして、ｎは、特定チャネルの伝送に使用されるＯＦＤＭシンボルの個数を表す。この時、インターリービング前の変調シンボル列内の列（ｓｅｑｕｅｎｃｅ）インデックスは、インターリービング前には入力順に、すなわち、入力方向たる行方向に順次に割り当てられることができる。
【００８７】
したがって、インターリービング前の変調シンボル列内の列（ｓｅｑｕｅｎｃｅ）インデックスは、入力−列−インデックス（ｉｎｐｕｔ−ｓｅｑｕｅｎｃｅ−ｉｎｄｅｘ）と称することができる。すなわち、ブロックインターリーバの第１行、第１列の要素を０とし、続いて第１行、第２列の要素を１とし、第１行、第３列の要素を２とするようにして第１行の要素が全て決定されると、第２行、第１列の要素にその次のインデックスが割り当てられることができる。残りのブロックインターリーバ要素に対しても順次に同じ方法で解析することができる。
【００８８】
そして、表１で数字が表すインターリービング結果各変調シンボルの列（ｓｅｑｕｅｎｃｅ）インデックスは、インターリービング後に、出力順に、すなわち、出力方向である逆方向に順次に割り当てられることができる。したがって、インターリービングの結果、各変調シンボルの列（ｓｅｑｕｅｎｃｅ）インデックスは、出力−列−インデックス（ｏｕｔｐｕｔ−ｓｅｑｕｅｎｃｅ−ｉｎｄｅｘ）と称することができる。すなわち、ブロックインターリーバの第１行、第１列の要素を０とし、第２行、第１列の要素を１とし、第３行、第１列の要素を２とするようにして第１列の要素が全て決定されると、第１行、第２列の要素にその次のインデックスが割り当てられることができる。残りのブロックインターリーバ要素に対しても順次に同じ方法で解析することができる。
【００８９】
このような位置インデックス割当方法によって上記の表１を解析すると、ｎ＝３の時、０番変調シンボルは、インターリービング結果によって５番位置で変更され、１番変調シンボルは、乱数インターリービング結果によって２９番位置で変更されることがわかる。この場合にも、乱数インターリービング前後がいずれも同一列に位置するので、列内乱数インターリービングが行われたことを確認することができる。
【００９０】
図５の（ｂ）は、ブロックインターリーバを用いて行内置換方法を説明するための図である。これは、ブロックインターリーバの入力方向が列方向である場合においてより効果的である。これは、上述した図５の（ａ）と比較して、乱数再整列または乱数置換方法の方向が変わるだけで、動作を行う目的や特性は同一である。
【００９１】
以上で説明したように、ブロック乱数インターリービング過程が終わった後に、セル別にセルＩＤのようなセル固有の情報を用いてインターリーバ構成要素を循環的シフト（ｃｙｃｌｉｃ  ｓｈｉｆｔ）させることができる。例えば、シフト因子が０のセルに対してはブロックインターリーバの出力列に対してシフト無しでそのまま物理リソース要素にマッピングさせ、シフト因子が１０のセルに対してはブロックインターリーバ出力列に対して構成要素を１０だけ循環的シフトさせて物理リソース要素にマッピングすることができる。
【００９２】
セル特定循環的シフト動作は、ブロックインターリーバの出力列全体に対して行われることができる。例えば、ブロックインターリーバの出力列に対する列（ｓｅｑｕｅｎｃｅ）内の位置、例えば、列（ｓｅｑｕｅｎｃｅ）インデックスにセル特定値を加えた値に相応するインターリービング構成要素は、セル特定循環的シフト動作を通じて上の出力列に対する列（ｓｅｑｕｅｎｃｅ）インデックスに相応するリソース要素にマッピングすることができる。この場合、列（ｓｅｑｕｅｎｃｅ）インデックスにセル特定値を加えた値が全体出力列に対する大きさを越えないように全体出力列大きさでモジューロ演算を追加することもできる。
【００９３】
また、セル特定循環的シフト動作は、ブロックインターリーバ上で行なっても良い。例えば、ブロックインターリーバ上で置換単位と同一に列別に循環的シフトが行われることもできる。下記の数学式５は、本実施例によってセル特定情報、例えば、セルＩＤを用いてインターリーバ構成要素の循環的シフト動作が追加された列内乱数再整列動作を示す例である。
【００９４】
【数５】
2010525719.tif 000008
【００９５】
数学式５で、セルＩＤを通じてシフト因子値を出力する動作を関数Ｓ（Ｃｅｌｌ＿ＩＤ）で表す。下記の数学式６に、関数Ｓ（Ｃｅｌｌ＿ＩＤ）の一例を示す。
【００９６】
【数６】
2010525719.tif 000009
【００９７】
数学式６は、シフト因子がセル特定情報と一緒に列別に差別化するように生成した場合を表す。すなわち、上記の数学式２で説明したシフト任意の列（ｃｏｌｕｍｎ）インデックスｃ上の全ての要素に対して列（ｃｏｌｕｍｎ）別に差別化したオフセット（ｏｆｆｓｅｔ）を付加する関数ＣＯ（ｃ）をさらに用いた例を表す。
【００９８】
上記の数学式５及び数学式６では、シフト因子値を出力する関数を別に用いてブロックインターリーバを用いたインターリービングが行われた状態で、セル特定シフトが行われる例を表したが、上述の数学式２〜４でインターリービングを行う際にセル特定値を考慮することもできる。
【００９９】
例えば、列別固有の再整列パターンを生成する関数にセルＩＤのような固有因子を追加的に考慮する関数ＲＲ（ｒ，ｃ，Ｃｅｌｌ＿ＩＤ）を定義して利用することができる。または、列別に固有の値に跳躍する関数にセルＩＤのような固有因子を追加的に考慮して、関数ＣＨ（ｒ，ｃ，Ｃｅｌｌ＿ＩＤ）を定義したり、列（ｃｏｌｕｍｎ）インデックスｃ上の全ての要素に対して列（ｃｏｌｕｍｎ）別に差別化したオフセット（ｏｆｆｓｅｔ）を付加する関数にセルＩＤのような固有因子を追加的に考慮して、ＣＯ（ｃ，Ｃｅｌｌ＿ＩＤ）を定義して用いることもできる。
【０１００】
シフト動作または置換動作をそれぞれ行い、上述したようにセル別に固有のマッピングパターンを生成するこもできることは勿論である。また、シフト動作及び置換動作をマッピング過程のインターリービング動作に共に使用し、それらを単独使用してインターリービングを行う場合に比べてより多いセル別固有のマッピングパターンを生成することもできる。
【０１０１】
下記の数学式７は、上記のブロックインターリーバを使用するインターリービング動作に対する仮想インターリービングを具現できるアルゴリズムを表現する方法の一例を示す。
【０１０２】
【数７−１】
2010525719.tif 000010
【０１０３】
数学式７で、ｒとｃは、上の数学式と同様に定義されることができ、これはそれぞれ仮想インターリービングに割り当てられるブロックインターリーバ上の位置インデックスを表すことができる。そして、ｉ及びｋはそれぞれ、表１についての説明で参照できるブロックインターリーバに対する入力−列−インデックスと出力−列−インデックスを表す。すなわち、上述したブロックインターリーバの具体的なインターリービング動作に対して入力／出力リソース要素グループ列インデックス（ｉ，ｋ）間の関係式で構成されることができる。
【０１０４】
そして、Ｒ、Ｃ及びＰは、ブロックインターリーバ具現時に使用した値と同じ値を持つことができる。そして、関数ｆｌｏｏｒ（）は打ち切り関数を表し、入力値と等しいまたは小さい数のうち最大整数値を出力する。
【０１０５】
仮想インターリービング方法を用いて付加的なメモリや複雑度無しで簡単に時間／周波数領域のマッピング条件を満足させ、複数のセル環境でセル間干渉を最小化できるブロックインターリービング効果を具現することができる。
【０１０６】
図６は、本発明の実施例によってブロックインターリーバから出力される出力シンボル列を物理リソース要素にマッピングする方法の一例を説明するための図である。
【０１０７】
図６の（ａ）は、時間先マッピング方式（ｔｉｍｅ（ＯＦＤＭ  ｓｙｍｂｏｌ）−ｆｉｒｓｔ  ｍａｐｐｉｎｇ）によってマッピングした場合を示す。すなわち、図６の（ａ）に示すように、出力列を順次に物理リソース要素にマッピングするが、このとき、マッピング順序において、ＯＦＤＭシンボルインデックスをまず増加させて時間軸に優先してマッピングする方法である。
【０１０８】
図６の（ｂ）は、周波数先マッピング方式（ｆｒｅｑｕｅｎｃｙ（ｓｕｂ  ｃａｒｒｉｅｒ）−ｆｉｒｓｔ  ｉｎｄｅｘ  ｍａｐｐｉｎｇ）によってマッピングした場合を示す。すなわち、図６の（ｂ）に示すように、出力列を順次に物理リソース要素にマッピングするが、このとき、マッピング順序において、副搬送波インデックスをまず増加させて周波数軸に優先してマッピングする方法である。
【０１０９】
図６の各ブロック内に表記されたインデクシングは、連続した副搬送波を通じて伝送される特定変調シンボルグループに対するインデックスを表す。すなわち、＃０と表記された物理リソース要素は、変調シンボルグループ０に含まれる変調シンボルがマッピングされる物理リソース要素を表すことができる。本実施例では、総４個の送信アンテナ数を考慮して一つの変調シンボルグループが４個の変調シンボルで構成されるとした。また、図６を通じて、総４つののアンテナに対する参照信号（ＲＳ０、ＲＳ１、ＲＳ２、ＲＳ３）を伝送するための物理リソース要素は除いてマッピングされていることが確認できる。
【０１１０】
実施例２
以下の実施例では、移動通信システムの基地局が複数の端末に対する制御情報を伝送する下り制御チャネル、すなわち、ＰＤＣＣＨ（Ｐｈｙｓｉｃａｌ  Ｄｏｗｎｌｉｎｋ  Ｃｏｎｔｒｏｌ  ＣＨａｎｎｅｌ）伝送において、上に説明されたブロックインターリービング動作が行われる場合をより具体的に説明する。
【０１１１】
下記の本発明の実施例では、特に、ＯＦＤＭ通信システムにおいて伝送時間区間（ＴＴＩ：  ｔｒａｎｓｍｉｔ  ｔｉｍｅ  ｉｎｔｅｒｖａｌ）単位のサブフレーム内のｎ個のＯＦＤＭシンボルを用いて制御チャネルが伝送される場合を説明する。ここで、ｎは、制御チャネルが伝送されるＯＦＤＭシンボルの数を表し、例えば、ＬＴＥ（Ｌｏｎｇ−Ｔｅｒｍ  Ｅｖｏｌｕｔｉｏｎ）システムで、ｎは３以下の自然数のうちいずれかに決定されることができる（ｎ≦３）。
【０１１２】
ここで、制御チャネル情報に対する変調シンボル列で各変調シンボルは各リソース要素にマッピングされることができ、例えば、変調シンボル列（ｍｏｄｕｌａｔｅｄ  ｓｙｍｂｏｌ  ｓｅｑｕｅｎｃｅ）は、上述した通り、各制御チャネル情報ビット列（ｃｏｎｔｒｏｌ  ｃｈａｎｎｅｌ  ｉｎｆｏｒｍａｔｉｏｎ  ｂｉｔｓ  ｓｅｑｕｅｎｃｅ）がチャネルコーディングとレートマッチング（ｒａｔｅ  ｍａｔｃｈｉｎｇ）、セル−特定スクランブリング（ｃｅｌｌ−ｓｐｅｃｉｆｉｃ  ｓｃｒａｍｂｌｉｎｇ）、変調（ｍｏｄｕｌａｔｉｏｎ）の一部または全部を順次に経て生成されたシンボルの列（ｓｅｑｕｅｎｃｅ）を意味する。
【０１１３】
ここで、制御チャネルスケジューリングに利用される仮想リソースである制御チャネル要素（ＣＣＥ：  Ｃｏｎｔｒｏｌ  Ｃｈａｎｎｅｌ  Ｅｌｅｍｅｎｔ）は、一つの端末に対する制御チャネルを伝送するための一構成個体と定義することができる。ＣＣＥは論理的リソースであるから、連続したＣＣＥ集合を通じていずれか一端末に対する制御情報を伝送しても、実質的に物理的リソース上では不連続的なリソースを通じて伝送が行われることができる。このような論理的／物理的リソース間の関係はシステム上であらかじめ定めることができる。
【０１１４】
また、多重アンテナ伝送方式によって送信アンテナ個数分の連続した副搬送波に該当するリソース要素を含むリソース要素グループへのマッピングを考慮する時、各リソース要素グループにマッピングされるＣＣＥ内の変調シンボルグループをｍｉｎｉ−ＣＣＥと定義することができる。例えば、一つのｍｉｎｉ−ＣＣＥ内の変調シンボルは、一つのリソース要素グループにマッピングされることができる。
【０１１５】
ｍｉｎｉ−ＣＣＥ及びリソース要素グループの大きさは、互いに相応する値に決定されることができる。ｍｉｎｉ−ＣＣＥ及びリソース要素グループの大きさは、可変的な個数の変調シンボルを含むものと定義することができる。例えば、ｍｉｎｉ−ＣＣＥは、送信アンテナ数に相応する個数分の変調シンボルを含むリソース単位と見なすことができる。または、ｍｉｎｉ−ＣＣＥ及びリソース要素グループの大きさは、固定した個数の連続した変調シンボルを含む変調シンボルグループと定義することができる。例えば、ＳＦＢＣ（Ｓｐａｔｉａｌ  Ｆｒｅｑｕｅｎｃｙ  Ｂｌｏｃｋ  Ｃｏｄｉｎｇ）とＦＳＴＤ（Ｆｒｅｑｕｅｎｃｙ  Ｓｗｉｔｃｈｉｎｇ  Ｔｒａｎｓｍｉｔｔｉｎｇ  ｄｉｖｅｒｓｉｔｙ）手法を共に適用できるコーディング手法を所定の固定した形態で適用できるように、ｍｉｎｉ−ＣＣＥは、ＳＦＢＣ＋ＦＳＴＤ手法適用単位に含まれる副搬送波個数の変調シンボルを含むリソース単位と見なすことができる。
【０１１６】
この時、ＣＣＥを通じて伝送されうる制御情報の量は、任意の既に定義された符号率と変調手法で定義することができる。任意の変調手法が定義された状態で、任意の一つの端末に対して任意の受信品質を目標とする符号率を提供するように、該当の制御情報が一つ以上のＣＣＥを通じて伝送されることができる。
【０１１７】
例えば、任意のシステム伝送帯域でＣＣＥが３６個のリソース要素（ＲＥ）で構成され、符号率が２／３、データ変調方式をＱＰＳＫ（Ｑｕａｄｒａｔｕｒｅ  Ｐｈａｓｅ  Ｓｈｉｆｔ  Ｋｅｙｉｎｇ）とした時、該当のＣＣＥを通じて伝送される制御情報ビット数は、４８ビットと定義することができる。そして、任意の変調手法が定義された状態で任意の端末に対して任意の受信品質を目標とする符号率を提供するために、該当の制御情報が一つ以上のＣＣＥの集合（ＣＣＥ  ａｇｇｒｅｇａｔｉｏｎ）を通じて伝送されることができる。
【０１１８】
また、下りリンクのための制御情報と上りリンクのための制御情報の大きさが異なる場合があるので、ＣＣＥは、下りデータのための制御情報と上りデータのための制御情報にそれぞれ別に定義されることができる。
【０１１９】
一つ以上のＣＣＥを通じて基地局で複数の端末に対する制御チャネル伝送のためのスケジューリングが行われ、以降、物理的領域の複数のリソース要素（ＲＥ）またはリソース要素グループ（ＲＥＧ）にマッピングされる制御チャネル伝送が行われる。以下では、ＣＣＥを物理的領域のリソースにマッピングする過程を“ＣＣＥ  ｔｏ  ＲＥ  ｍａｐｐｉｎｇ”と称する。
【０１２０】
ＣＣＥ  ｔｏ  ＲＥ  ｍａｐｐｉｎｇ方法において考慮すべき点としては、分散マッピングを挙げることができる。すなわち、特定端末に対する制御チャネルまたは制御チャネルを構成する任意のＣＣＥがｎ個のＯＦＤＭシンボルと全体システム帯域にわたって分散して物理リソース要素にマッピングされるようにすることが好ましい。
【０１２１】
周波数領域の側面で、任意の制御チャネル要素が全体システム帯域に分散してマッピングされるようにすることによって周波数ダイバーシティ利得を得ることができる。そして、時間領域の側面では、ｎ個のＯＦＤＭシンボルにわたって伝送するようにすることによって、カバレッジを増進させ、制御チャネル間の伝送電力バランスを支援することができる。
【０１２２】
また、ＣＣＥ  ｔｏ  ＲＥ  ｍａｐｐｉｎｇ方法において考慮すべき点として、セル特定マッピングを挙げることができる。すなわち、ＣＣＥがセル別に固有のパターンで物理リソース要素にマッピングされるようにすることが好ましい。これにより、複数のセル環境でセル間干渉のランダム化（ｉｎｔｅｒ−ｃｅｌｌ  ｉｎｔｅｒｆｅｒｅｎｃｅ  ｒａｎｄｏｍｉｚａｔｉｏｎ）を具現することができる。
【０１２３】
例えば、複数セル環境で各セルの基地局が同一ＣＣＥ−ｔｏ−ＲＥ  ｍａｐｐｉｎｇ方法を使用する場合、各セルのＣＣＥのインデックス別にマッピングされる時間／周波数リソース要素の位置が同一になることによって、ＣＣＥの伝送電力割当方式の特定場合に対してＣＣＥの伝送に対するセル間干渉の影響が非常に大きく表れる状況が生じうる。
【０１２４】
より詳細に説明すると、様々なチャネル環境にある端末に対して下り制御チャネル別に同類の制御チャネル内ではできるだけ均一なエラー率を保障し、異種の制御チャネルに対しては既に設定されたエラー発生率条件を満足させるために適応的符号化率を支援することができる。以下、ＣＣＥ集合は、実質的に適応的変調及び符号化（ＡＭＣ：  ａｄａｐｔｉｖｅ  ｍｏｄｕｌａｔｉｏｎ  ａｎｄ  ｃｏｄｉｎｇ）レベルを意味する。
【０１２５】
端末のブラインドデコーディング（ｂｌｉｎｄ  ｄｅｃｏｄｉｎｇ）のオーバーヘッドを效果的に維持する目的で制約的なＣＣＥ集合（ＣＣＥ  ａｇｇｒｅｇａｔｉｏｎ）が支援される状況で、送信電力制御（ｔｒａｎｓｍｉｓｓｉｏｎ  ｐｏｗｅｒ  ｃｏｎｔｒｏｌ）が個別ＣＣＥ集合レベルに適用されることができる。この時、個別ＣＣＥがマッピングされる物理領域のリソース要素間の伝送電力の差異が非常に大きく発生する場合には、セル間干渉が特定ＣＣＥ−ｔｏ−ＲＥ  ｍａｐｐｉｎｇパターンで大きく生じうる。
【０１２６】
したがって、各セルのＣＣＥを全体時間／周波数領域に均一に分布させうる特性の他に、セル間干渉のランダム化を通じてその影響を最小化できる特性を持つようにセル固有のＣＣＥ−ｔｏ−ＲＥ  ｍａｐｐｉｎｇがなされるようにすることが好ましい。
【０１２７】
実施例３
図７は、ＯＦＤＭ通信システムで仮想リソースと物理的リソースとのマッピング関係を説明するための図である。
【０１２８】
図７では、ＯＦＤＭシンボル内のリソース要素グループ（ＲＥＧ）がｋ（１≦ｋ≦システム最大支援伝送アンテナ数）個の副搬送波のグループ、すなわち、ｋ個のリソース要素（ＲＥ）からなる場合を示している。
【０１２９】
この場合、ｍｉｎｉ−ＣＣＥとリソース要素グループ（ＲＥＧ）は、１：１でマッピングされることができる。この時、一つのＣＣＥ内のｍｉｎｉ−ＣＣＥは、本実施例によるブロックインターリーバ６００を用いたインターリービング動作を通じてそれぞれリソース要素グループ（ＲＥＧ）に分散マッピングされることが好ましい。
【０１３０】
ブロックインターリーバ６００から出力されるＣＣＥに対する変調シンボル列は、最初のＯＦＤＭシンボルの物理リソース要素から周波数ドメインまたは時間ドメインに順次にマッピングされ、ｎ番目のＯＦＤＭシンボルまでマッピングされることができる。周波数ドメインまたは時間ドメインに順次にマッピングする場合、特定規則が適用されることもできる。また、この過程で、ブロックインターリーバは、上述した通り、入力方向と出力方向とが異なるブロックインターリーバを使用する方がより効果的である。
【０１３１】
この場合、任意のＣＣＥのシンボルが任意のパターンによって物理リソース要素にマッピングされる動作で、一定帯域幅区間中に該当のサブフレーム内で伝送される全てのＣＣＥの変調シンボルが少なくとも一つずつはマッピングされるようにすることができる。もし、多重アンテナを使用する場合は、少なくとも一つのリソース要素グループが一定帯域幅区間中にマッピングされるようにすることができる。
【０１３２】
なお、このような特性を有する一定帯域幅区間が全体システム帯域幅にマッピングされるので、任意のＣＣＥが全体システム帯域幅に分散してマッピングされるべきという周波数領域に対するマッピング条件を満たすことができる。また、このようなブロックインターリーバを使用するによって各ＯＦＤＭシンボルに任意のＣＣＥシンボルを一定な条件によって均一にマッピングするという時間領域に対する特性条件を満たすことができる。
【０１３３】
要するに、入力方向と出力方向とが異なるインターリービング動作方式を適用することによってＣＣＥ−ｔｏ−ＲＥ  ｍａｐｐｉｎｇ過程で各セルのＣＣＥを全体時間／周波数領域に均一に分布させることができる。すなわち、任意のＣＣＥ情報を時間／周波数領域でリソース要素に均一にマッピングすることによって最適の時間／周波数ダイバーシティ利得を得ることができる。
【０１３４】
リソース要素グループ（ＲＥＧ）が定義される場合は、上述した通り、リソース要素グループ単位でマッピングがされることができる。例えば、リソース要素グループ０（ＲＥＧ  ０）には制御チャネル要素０（ＣＣＥ  ０）のｍｉｎｉ−ＣＣＥ  ０がマッピングされ、リソース要素グループ１（ＲＥＧ  １）には制御チャネル要素１（ＣＣＥ  １）のｍｉｎｉ−ＣＣＥｉ＋１がマッピングされることができる。
【０１３５】
以下、上述した条件を満たすＣＣＥ−ｔｏ−ＲＥ  ｍａｐｐｉｎｇ方法によって時間／周波数領域（ｔｉｍｅ／ｆｒｅｑｕｅｎｃｙ  ｄｏｍａｉｎ）のリソース要素にＣＣＥをマッピングするに当たり、上述したブロックインターリーバ（ｂｌｏｃｋ  ｉｎｔｅｒｌｅａｖｅｒ）を使用する方法と、追加的に該当のブロックインターリーバ動作の具現において、各動作に対して物理的なメモリ追加設定を通じて具現する代わりに、入力シンボル列に対するシンボルメモリアドレススワッピング（ｍｅｍｏｒｙ  ａｄｄｒｅｓｓ  ｓｗａｐｐｉｎｇ）及びアドレス再整列（ａｄｄｒｅｓｓ  ｒｅａｒｒａｎｇｅｍｅｎｔ）を用いる規則設定を通じて該当のブロックインターリービングを仮想的に具現する方法（ｖｉｒｔｕａｌ  ｉｎｔｅｒｌｅａｖｉｎｇ  ｍｅｔｈｏｄ）を順次に説明する。
【０１３６】
図８は、本発明の一実施例によってブロックインターリーバのサイズを決定する方法の一例を説明するための図である。
【０１３７】
本実施例によるブロックインターリーバサイズは、任意の行（ｒｏｗ）数Ｒと任意の列（ｃｏｌｕｍｎ）数Ｃで定義することができ、ＲとＣの値は、入力ＣＣＥのサイズの他に、ブロックインターリーバの具体的動作方式によって決定されることができる。
【０１３８】
まず、図８の（ａ）は、ブロックインターリーバに変調シンボルが入力される方向が行方向である場合、ブロックインターリーバサイズを決定する方法の一例を示している。この時、ブロックインターリーバの列（ｃｏｌｕｍｎ）の数Ｃは、ＣＣＥサイズ、すなわち、一つのＣＣＥがマッピングされるリソース要素の数またはリソース要素グループの数と決定されることができる。そして、ブロックインターリーバの行（ｒｏｗ）の数Ｒはも、一つのサブフレーム内に伝送可能な最大ＣＣＥの数になりうる。
【０１３９】
１行（ｒｏｗ）に１ＣＣＥが入力されるようにブロックインターリーバを構成することによって、入出力方向を異ならせる簡単な動作を通じて一つの伝送単位内に複数のＣＣＥのそれぞれの変調シンボルが分散されたリソース要素を通じて伝送されるように具現することができる。
【０１４０】
ブロックインターリーバの列（ｃｏｌｕｍｎ）サイズを、特定端末に割り当てられる制御チャネル情報量を考慮して決定し、ブロックインターリーバの各列（ｃｏｌｕｍｎ）内のインターリーバ要素に対して置換動作を行うことによって、物理リソース要素グループにＣＣＥをマッピングした後に一定周波数帯域幅内にＣＣＥを構成するリソース要素グループが一つずつ位置する特性を保障することができる。
【０１４１】
一定周波数帯域幅内にＣＣＥを構成するｍｉｎｉ−ＣＣＥが一つずつ位置する特性を保障するインターリービング動作を行うことによって、ｍｉｎｉ−ＣＣＥがリソース要素グループにマッピングされ、１つのＣＣＥが特定周波数帯域に集まってマッピングされることを防止でき、よって、全体周波数帯域幅に均一に分散してマッピングされることができる。
【０１４２】
ただし、ｎ個のＯＦＤＭシンボル内で制御チャネル伝送に割り当てられるリソース要素数は、上述した通り、他のチャネル伝送によって変動可能な値であるから、Ｃ個のリソース要素グループにマッピングされるＣＣＥが最大ＣＣＥの数分だけマッピングされても残されるリソース要素グループがありうる。したがって、この場合には、最大ＣＣＥの数に１を加えた値を行（ｒｏｗ）の数Ｒと決定すれば良い。
【０１４３】
これについてより具体的に説明すると、該当のＯＦＤＭシンボルを通じて伝送できる最大ＣＣＥの数ＮＣＣＥは、
【０１４４】
【数７−２】
2010525719.tif 000011
【０１４５】
と定義できる。言い換えれば、もし、ＫがＮＣＣＥ＊Ｃよりも大きい値であれば、ＲはＮＣＣＥ＋１と設定されることができ、ＫがＮＣＣＥ＊Ｃと等しい値であれば、ＲはＮＣＣＥと設定されることができる。
【０１４６】
そして、行方向に入力後にブロックインターリーバの列別インターリービングを行うために特定関数を用いてブロックインターリーバを動作させる場合は、ブロックインターリーバの行（ｒｏｗ）の数Ｒが素数（ｐｒｉｍｅ  ｎｕｍｂｅｒ）と設定されることが好ましい。決定されたＲの値が素数である場合は、それをそのままブロックインターリーバの行（ｒｏｗ）の数Ｒと決定できる。そして、決定されたＲの値が素数でない場合は、上で決定されたＲよりも大きい素数のうち最も小さい素数（ｓｍａｌｌｅｓｔ  ｐｒｉｍｅ  ｎｕｍｂｅｒ）をブロックインターリーバの行（ｒｏｗ）の数Ｒと決定することができる。
【０１４７】
任意のサブフレームを通じて下り制御チャネルの伝送に使用されるｎ個のＯＦＤＭシンボル内で制御チャネルの伝送に使用されうるリソース要素またはリソース要素グループの総数をＫとする。
【０１４８】
そして、上記のような方法によって決定されるＲとＣ値でブロックインターリーバサイズを決定すると、Ｒ＊ＣからＫを減算した差分の要素に対してプルーニング（ｐｒｕｎｉｎｇ）を適用してマッピングを行うことができる。ここで、ＫはもＮＣＣＥ＊Ｃ個のＣＣＥ伝送に使用されるリソース要素とその残りのＫ−（ＮＣＣＥ＊Ｃ）個の他のチャネル伝送のために使用されるリソース要素を含むことができる。このように、リソース要素のうち、Ｋ−（ＮＣＣＥ＊Ｃ）個の任意のＣＣＥの伝送のために使用されないリソース要素も共に考慮してブロックインターリーバサイズを決定し、ブロックインターリービングを行うことによって、周波数領域ダイバーシティを最適化することができる。
【０１４９】
この時、制御チャネルの伝送に使用されうるリソース要素またはリソース要素グループの総数Ｋにおいて、ｎ個のＯＦＤＭシンボル内で参照シンボル（ＲＳ：  ｒｅｆｅｒｅｎｃｅ  ｓｉｇｎａｌ）、制御チャネル伝送フォーマットに対する情報であるＣＣＦＩ（ｃｏｎｔｒｏｌ  ｃｈａｎｎｅｌ  ｆｏｒｍａｔ  ｉｎｄｉｃａｔｏｒ）を伝送するＰＣＦＩＣＨ（ｐｈｙｓｉｃａｌ  ｃｏｎｔｒｏｌ  ｆｏｒｍａｔ  ｉｎｄｉｃａｔｉｏｎ  ｃｈａｎｎｅｌ）、下りＡＣＫ／ＮＡＣＫ（ＤＬ  ＡＣＫ／ＮＡＣＫ）が伝送されるＰＨＩＣＨ（Ｐｈｙｓｉｃａｌ  ｈｙｂｒｉｄ−ＡＲＱ  ｉｎｄｉｃａｔｏｒ  ｃｈａｎｎｅｌ）、ＰＩＣＨ（Ｐａｇｉｎｇ  Ｉｎｄｉｃａｔｏｒ  Ｃｈａｎｎｅｌ）などの伝送のために使用されるリソース要素数は除外されることができる。
【０１５０】
図８の（ｂ）は、ブロックインターリーバに変調シンボルが入力される方向が列方向である場合、ブロックインターリーバサイズを決定する方法の一例を示している。これは、図８の（ａ）と比較して、ブロックインターリーバの列（ｃｏｌｕｍｎ）の数Ｃは、１サブフレーム内に伝送されうる最大ＣＣＥの数になることができ、ブロックインターリーバの行（ｒｏｗ）の数Ｒは、ＣＣＥサイズ、すなわち、一つのＣＣＥを構成するリソース要素の数またはリソース要素グループの数と決定されることができるという点が異なるだけで、その具体的な具現方法は上述した通りである。
【０１５１】
基本的には、上述したように、ブロックインターリーバの行（ｒｏｗ）の数と列（ｃｏｌｕｍｎ）の数は、制御チャネル情報を伝送する基本スケジューリング単位であるＣＣＥ観点で使用可能な物理リソース要素内の最大伝送可能なＣＣＥ数に基づいて定義する。しかし、もし、最大伝送可能ＣＣＥ数ベースのリソース要素の総数と制御チャネル伝送のために使用可能な物理リソース要素の総数が正確に一致しない場合は、プルーニング手法を適用して時間／周波数領域ダイバーシティ性能を一定に維持することができる。
【０１５２】
すなわち、簡単に説明すると、これにより、ブロックインターリーバのサイズを使用可能な物理的リソース要素の総数にしたがってブロックインターリーバの行（ｒｏｗ）または列（ｃｏｌｕｍｎ）の数を増減させることができ、さらに状況と条件に応じて行（ｒｏｗ）と列（ｃｏｌｕｍｎ）の数を時間にしたがって可変または固定させることができる。
【０１５３】
実施例４
本実施例によれば、制御チャネルを伝送するためのＣＣＥを多重化する方法を通じて上述したブロックインターリーバを使用するインターリービング後のマッピング結果を具現することができる。
【０１５４】
図９は、本発明の実施例によってブロックインターリーバを使用するインターリービングを具現できる多重化方法の一例を説明するための図である。
【０１５５】
図９は、一つのサブフレームを通じてＣＣＥ  ０、ＣＣＥ１乃至ＣＣＥ  Ｎ−１の総Ｎ個のＣＣＥが伝送されることができ、各ＣＣＥは、ｍｉｎｉ−ＣＣＥ  ０からｍｉｎｉ−ＣＣＥ  ８まで総９個のｍｉｎｉ−ＣＣＥが含まれる場合を示している。
【０１５６】
ここで、ｍｉｎｉ−ＣＣＥは、上述した通り、ＣＣＥ内の伝送される変調シンボルのうち多重アンテナ伝送手法によって一つのリソース要素グループにマッピングされる変調シンボルグループに相応する概念と定義することができる。例えば、送信アンテナの数が４の場合、総４個の変調シンボルからなる変調シンボルグループをｍｉｎｉ−ＣＣＥと定義することができる。すなわち、各ｍｉｎｉ−ＣＣＥがリソース要素グループ（ＲＥＧ）にマッピングされるとすることができる。
【０１５７】
Ｎ個のＣＣＥを伝送するためにＯＦＤＭシンボルにマッピングする時に、本実施例によってＮ個のＣＣＥのうち各ＣＣＥ内の少なくとも一つのｍｉｎｉ−ＣＣＥを含むようにグループを構成する。そして、複数のｍｉｎｉ−ＣＣＥを含むグループ内で任意の乱数再配列または特定置換パターンによる置換でｍｉｎｉ−ＣＣＥの位置を混ぜる。この時、乱数再配列により生成される乱数列の長さは、１サブフレーム内に伝送されうる最大ＣＣＥの数に制限することができる。
【０１５８】
また、各グループで乱数再整列を行う時は、任意のＣＣＥに対して、以前グループで生成された該当のＣＣＥのｍｉｎｉ−ＣＣＥの位置と現在グループで生成された該当のＣＣＥのｍｉｎｉ−ＣＣＥの位置との距離差が、最初のＯＦＤＭシンボルに伝送できるリソース要素グループの数よりも小さくする条件を満たすようにすることもできる。
【０１５９】
図９では、各ＣＣＥに含まれる任意のｍｉｎｉ−ＣＣＥが一つ含まれるようにグループを形成する場合を示す。すなわち、図９によれば、各ＣＣＥに含まれるｍｉｎｉ−ＣＣＥ０を含むグループＧ０、各ＣＣＥに含まれるｍｉｎｉ−ＣＣＥ１を含むグループＧ１、乃至各ＣＣＥに含まれるｍｉｎｉ−ＣＣＥ８を含むグループＧ８を含む総９個のグループが形成されることができる。そしてグループＧ０、グループＧ１乃至グループＧ８などの各グループ内のリソース要素グループ間の乱数再配列を行い、任意の位置に変更させることができる。
【０１６０】
この時、上述したブロックインターリーバを使用する方法で入力方向が行方向である場合と仮定すれば、各グループは、ブロックインターリーバの各列（ｃｏｌｕｍｎ）に相応できるので、各グループ内のｍｉｎｉ−ＣＣＥ数は、ブロックインターリーバの行（ｒｏｗ）の数（＃  ｏｆ  ｒｏｗ）と一致し、グループの数はブロックインターリーバの列（ｃｏｌｕｍｎ）の数（＃  ｏｆ  ｃｏｌｕｍｎ）と一致することができる。
【０１６１】
全てのセルで共通してこのような方法を通じてグループ別に乱数再整列させた後に、セルＩＤのようなセル固有の情報を用いてマッピングパターンのセル特定のシフトを行い、物理リソース要素グループに順次にマッピングすることができる。
【０１６２】
実施例５
本実施例に説明されるブロックインターリーバにおいて、周波数ダイバーシティ利得を獲得できるように入力される任意のＣＣＥ内の変調シンボルがマッピングされるリソース要素（ＲＥ）を全体システム帯域に分散させうるインターリービング動作についてより具体的に説明する。
【０１６３】
図１０は、本発明の一実施例によるブロックインターリービングの動作方式を説明するための分類表である。
【０１６４】
図１０に示す各場合のブロックインターリービング上の動作は、ＣＣＥ−ｔｏ−ＲＥ  ｍａｐｐｉｎｇを通じて満たすべき目的のために行われるということを明示するもので、任意のブロックインターリーバにおけるブロックインターリービング動作として４つの動作形態を定義している。
【０１６５】
これは、図２で説明した２タイプから拡張して説明することができる。ただし、図２では列内置換または行内置換動作及び／または列間置換または行間置換を行うとしたのに対し、図１０では列内シフトまたは行内シフト動作及び／または列間置換または行間置換動作を行うとして説明する。
【０１６６】
上述した通り、基本的な時間−周波数領域におけるダイバーシティ利得を提供するために、ブロックインターリーバに対する入力（ｗｒｉｔｉｎｇ）方向及び出力（ｒｅａｄｉｎｇ）方向を異ならせることができる。したがって図１０に示すように、２種類の動作形態として、行方向入力及び列方向出力（ｒｏｗ−ｗｉｓｅ  ｗｒｉｔｉｎｇ  ＆  ｃｏｌｕｍｎ−ｗｉｓｅ  ｒｅａｄｉｎｇ：  Ｔｙｐｅ  １）と、列方向入力及び行方向出力（ｃｏｌｕｍｎ−ｗｉｓｅ  ｗｒｉｔｉｎｇ  ＆  ｒｏｗ−ｗｉｓｅ  ｒｅａｄｉｎｇ：  Ｔｙｐｅ  ２）を決定することができる。
【０１６７】
そして、Ｔｙｐｅ  １とＴｙｐｅ    ２の各入出力方式にしたがってそれぞれ２種類のシフト（ｓｈｉｆｔ）方法及び置換（ｐｅｒｍｕｔａｔｉｏｎ）方法の組合せを定義することができる。これもまた、基本的な周波数領域におけるダイバーシティ利得を提供でき、時間領域におけるカバレッジ増進と制御チャネル間の伝送電力バランスを支援できる場合として説明する。
【０１６８】
まず、Ｔｙｐｅ  １と関連する列内シフト及び列間置換（ｉｎｔｒａ−ｃｏｌｕｍｎ  ｓｈｉｆｔ  ＆  ｉｎｔｅｒ−ｃｏｌｕｍｎ  ｐｅｒｍｕｔａｔｉｏｎ：  Ｍｅｔｈｏｄ  Ａ）と列内シフト及び行間置換（ｉｎｔｒａ−ｃｏｌｕｍｎ  ｓｈｉｆｔ  ＆  ｉｎｔｅｒ−ｒｏｗ  ｐｅｒｍｕｔａｔｉｏｎ：  Ｍｅｔｈｏｄ  Ｂ）の２種類の方案がある。そして、Ｔｙｐｅ  ２と関連する行内シフト及び列間置換（ｉｎｔｒａ−ｒｏｗ  ｓｈｉｆｔ  ＆  ｉｎｔｅｒ−ｃｏｌｕｍｎ  ｐｅｒｍｕｔａｔｉｏｎ：  Ｍｅｔｈｏｄ  Ｃ）と行内シフト及び行間置換（ｉｎｔｒａ−ｒｏｗ  ｓｈｉｆｔ  ＆  ｉｎｔｅｒ−ｒｏｗ  ｐｅｒｍｕｔａｔｉｏｎ：  Ｍｅｔｈｏｄ  Ｄ）の２種類の方案がある。
【０１６９】
この時、ダイバーシティ及びランダム化を最大化できる効果を得るように行（ｒｏｗ）または列（ｃｏｌｕｍｎ）別にそれぞれ異なるシフトオフセット値または置換パターンを持たせることができる。
【０１７０】
図１１は、本発明の一実施例によるブロックインターリーバを用いるインターリービングの動作方式においてシフト動作を説明するための図である。図１１で、Ｎｒｏｗは行（ｒｏｗ）の数を意味し、Ｎｃｏｌは列（ｃｏｌｕｍｎ）の数を意味する。
【０１７１】
シフト動作は、ブロックインターリーバに入力されたＣＣＥの変調シンボル列に対してブロックインターリーバ内の行（ｒｏｗ）または列（ｃｏｌｕｍｎ）のうちいずれか一方向に所定のオフセット値でシフトしてなることができる。
【０１７２】
例えば、図１１の（ａ）に示す列内シフト（ｉｎｔｒａ−ｃｏｌｕｍｎ  ｓｈｉｆｔ）では、ブロックインターリーバの同一列（ｃｏｌｕｍｎ）に入力されるＣＣＥは、同じオフセット値で行（ｒｏｗ）の位置を変更させる。そして、図１１の（ｂ）に示す行内シフト（ｉｎｔｒａ−ｒｏｗ  ｓｈｉｆｔ）では、ブロックインターリーバの同一行（ｒｏｗ）に含まれるＣＣＥは、同じオフセット値で列（ｃｏｌｕｍｎ）の位置を変更させる。
【０１７３】
特に、図１１の（ａ）のように、列内シフト動作が、ブロックインターリーバの入力方向が行方向であり、出力方向が列方向である時、すなわち、図９のＴｙｐｅ  １の場合に行われ、図１１の（ｂ）のように、行内シフト動作が、ブロックインターリーバの入力方向が列方向であり、出力方向が行方向である時、すなわち、Ｔｙｐｅ  ２の場合に行われると、上述したダイバーシティまたはランダム化特性を向上させることができる。
【０１７４】
入出力方向を考慮して行（ｒｏｗ）または列（ｃｏｌｕｍｎ）内でのみシフトさせることによって時間／周波数マッピング特性を維持することができ、同時にシフトする程度、すなわち、シフトオフセット（ｏｆｆｓｅｔ）値を各行（ｒｏｗ）と列（ｃｏｌｕｍｎ）別に定義することによってマッピング後のマッピングパターンを多様化できる。
【０１７５】
より具体的には、このような列内シフト動作または行内シフト動作においてシフトオフセット値またはそれによるシフトパターンの生成にセルＩＤのようなセル固有の情報を利用することができる。シフトパターン生成にセルＩＤのようなセル固有の情報を利用した結果、図１１に示すように、互いに異なるセルで同じインターリーバ構造を用いて列内シフト動作または行内シフト動作を行っても、互いに異なるインターリーバ出力結果、すなわち、セル間に固有のマッピングパターンを生成することができる。
【０１７６】
これにより、複数個のセルが同じインターリーバ構造を用いて列内シフト動作または行内シフト動作を行う場合にもセル固有のシフト結果が生成されうるようにし、結果として各セルの制御チャネルに対するセル間干渉の影響を最小化することができる。
【０１７７】
図１２は、本発明の一実施例によってブロックインターリーバを用いてインターリービングされた制御チャネルをマッピングする方法の一例を説明するための図である。
【０１７８】
本実施例は、Ｔｙｐｅ  １  ＆  Ｍｅｔｈｏｄ  Ａ（ｒｏｗ−ｗｉｓｅ  ｗｒｉｔｉｎｇ  ＆  ｃｏｌｕｍｎ−ｗｉｓｅ  ｒｅａｄｉｎｇ、ｉｎｔｒａ−ｃｏｌｕｍｎ  ｓｈｉｆｔ、ｉｎｔｅｒ−ｃｏｌｕｍｎ  ｐｅｒｍｕｔａｔｉｏｎ）によってブロックインターリーバを用いたインターリービングが行われる場合に関する。
【０１７９】
図１２の（ａ）は、サブフレームに伝送されるＣＣＥがブロックインターリーバに、ブロックインターリーバの行方向に入力される過程を示す。そして、図１２の（ｂ）は、ブロックインターリーバを用いたブロックインターリービング動作の中でも列内シフト動作を行う方法を示す。
【０１８０】
下記の数学式８は、セル特定列内シフト動作（Ｃｅｌｌ−ｓｐｅｃｉｆｉｃ  ｉｎｔｒａ−ｃｏｌｕｍｎ  ｓｈｉｆｔ）の一例を示す。
【０１８１】
【数８】
2010525719.tif 000012
【０１８２】
数学式８で、ブロックインターリーバの行（ｒｏｗ）の個数をＲ、列（ｃｏｌｕｍｎ）の個数をＣで表し、インターリービング動作前の行（ｒｏｗ）と列（ｃｏｌｕｍｎ）のアドレスを（ｒ，ｃ）、インターリービング動作後の各行（ｒｏｗ）と列（ｃｏｌｕｍｎ）のアドレスを（ｒ’，ｃ’）で表現する。そして、セル特定列内シフト動作に使用されるセル特定ファクタをＯｓｈｉｆｔで表現する。
【０１８３】
数学式８におけるインターリービング動作表現によってセル特定列内シフト動作を行うと、セル別に固有のＯｓｈｉｆｔを用いて各列（ｃｏｌｕｍｎ）内で行（ｒｏｗ）がシフトし、その結果、各セルごとにブロックインターリーバの各列（ｃｏｌｕｍｎ）内なおける各ＣＣＥの変調シンボルの位置が固有のパターンを有することができる。
【０１８４】
図１２の（ｃ）は、ブロックインターリーバを用いたブロックインターリービング動作の中でも列間置換動作を行う方法を示す。
【０１８５】
下記の数学式９は、セル特定列間置換動作（Ｃｅｌｌ−ｓｐｅｃｉｆｉｃ  ｉｎｔｅｒ−ｃｏｌｕｍｎ  ｐｅｒｍｕｔａｔｉｏｎ）の一例を示すものである。
【０１８６】
【数９】
2010525719.tif 000013
【０１８７】
数学式９でも、ブロックインターリーバの行（ｒｏｗ）の個数をＲ、列（ｃｏｌｕｍｎ）の個数をＣ、インターリービング動作前の各行（ｒｏｗ）と列（ｃｏｌｕｍｎ）のアドレスを（ｒ，ｃ）、インターリービング動作後の各行（ｒｏｗ）と列（ｃｏｌｕｍｎ）のアドレスを（ｒ’，ｃ’）で表現する。そして、セル特定列間置換動作に使用されるセル特定ファクタをＯｐｅｒｍでそれぞれ表現する。また、セル特定列間置換動作に使用されるＰは、列（ｃｏｌｕｍｎ）の個数であるＣと互いに素な自然数で、Ｃの値によって１個以上の値を有することができる。
【０１８８】
セル特定列間置換動作を行うと、セル別に固有のＯｐｅｒｍを用いて各列（ｃｏｌｕｍｎ）の順序が変わり、その結果、インターリービング動作後の列（ｃｏｌｕｍｎ）の位置が各セルごとに固有になりうる。
【０１８９】
図１２の（ｄ）は、インターリービングされたＣＣＥの変調シンボルが、ブロックインターリーバから列方向に出力される過程を示す。
【０１９０】
上述した通り、入・出力方向によって根本的に変化されるブロックインターリーバ動作はなく、インターリービング後の結果は同一様態となることもできる。例えば、入力方向が列方向である時のブロックインターリーバの動作は、入力方向が行方向である時と比べて、列内シフト動作及び列間置換動作が行内シフト動作及び行間置換動作に代替でき、これは、インターリービング動作の方向のみ変わるもので、インターリービング後の結果は同一様態で現れることができる。
【０１９１】
図１２の（ｅ）は、ブロックインターリーバから出力されるインターリービングされた変調シンボル列を、サブフレーム内の時間／周波数リソースにマッピングする結果の一部を示す。
【０１９２】
制御チャネルの伝送ダイバーシティ手法を支援するために、ｋ個のリソース要素を含むリソース要素グループ単位でマッピングする場合、ＣＣＥの変調シンボルは、ｋ個の変調シンボルを含む変調シンボルグループ単位でブロックインターリーバでインターリービングされ、変調シンボルグループ単位でリソース要素グループ（ＲＥＧ）にマッピングされる。
【０１９３】
図１３は、本発明の一実施例によってブロックインターリーバを用いてインターリービングされた制御チャネルをマッピングする方法の他の例を説明するための図である。
【０１９４】
本実施例では、図１２の実施例と違い、置換動作または、セル特定列間置換動作を別個に行わずに出力過程で行う方法を提供する。以下、図１３を参照し、各段階におけるＣＣＥ−ｔｏ−ＲＥ  ｍａｐｐｉｎｇ過程及びブロックインターリーバ動作を実施例に上げて詳細に説明する。
【０１９５】
本実施例も、Ｔｙｐｅ  １  ＆  Ｍｅｔｈｏｄ  Ａ（ｒｏｗ−ｗｉｓｅ  ｗｒｉｔｉｎｇ  ＆  ｃｏｌｕｍｎ−ｗｉｓｅ  ｒｅａｄｉｎｇ、ｉｎｔｒａ−ｃｏｌｕｍｎ  ｓｈｉｆｔ、ｉｎｔｅｒ−ｃｏｌｕｍｎ  ｐｅｒｍｕｔａｔｉｏｎ）によってブロックインターリーバを用いたインターリービングが行われる場合に関する。
【０１９６】
図１３の（ａ）乃至図１３の（ｃ）についての動作説明は、上述した図１２（ａ）乃至図１２の（ｃ）についての動作説明を参照されたい。
【０１９７】
ただし、図１３の（ｃ）は出力過程も共に示しており、図１３の（ｃ）によれば、出力時に任意の列方向に出力するが、この場合、第１列から順次に出力せずに、任意の順序で各列を出力することができる。
【０１９８】
図１３の（ｄ）は、ブロックインターリーバから出力されるインターリービングされた変調シンボル列を、サブフレーム内の時間／周波数リソースにマッピングする結果の一部を示す。すなわち、図１２の（ｅ）に示すマッピング結果と一致することが確認できる。
【０１９９】
図１２の（ｅ）及び図１３の（ｄ）で、物理リソース要素（ＰＲＥ）と物理リソース要素グループ（ＰＲＥＧ）は、与えられたシステム帯域幅、ｎ個のＯＦＤＭシンボルに存在する全体リソース要素から参照信号、ＰＣＦＩＣＨ、ＰＨＩＣＨなどが占めるリソース要素の位置を除く残りのリソース要素のうち、隣接したｋ個のリソース要素を含むように構成されることができる。
【０２００】
このようなブロックインターリービングを行い、制御チャネル要素を物理リソース要素にマッピングさせると、上に説明した時間／周波数領域におけるマッピング条件を満たし、複数セル環境でセル間干渉を最小化することができる。
【０２０１】
詳細な例として説明しないが、Ｔｙｐｅ  １  ＆  Ｍｅｔｈｏｄ  Ｂ（ｒｏｗ−ｗｉｓｅ  ｗｒｉｔｉｎｇ  ＆  ｃｏｌｕｍｎ−ｗｉｓｅ  ｒｅａｄｉｎｇ、ｉｎｔｒａ−ｃｏｌｕｍｎ  ｓｈｉｆｔ、ｉｎｔｅｒ−ｒｏｗ  ｐｅｒｍｕｔａｔｉｏｎ）、Ｔｙｐｅ  ２  ＆  Ｍｅｔｈｏｄ  Ｃ（ｃｏｌｕｍｎ−ｗｉｓｅ  ｗｒｉｔｉｎｇ  ＆  ｒｏｗ−ｗｉｓｅ  ｒｅａｄｉｎｇ、ｉｎｔｒａ−ｒｏｗ  ｓｈｉｆｔ、ｉｎｔｅｒ−ｃｏｌｕｍｎ  ｐｅｒｍｕｔａｔｉｏｎ）、Ｔｙｐｅ  ２  ＆  Ｍｅｔｈｏｄ  Ｄ（ｃｏｌｕｍｎ−ｗｉｓｅ  ｗｒｉｔｉｎｇ  ＆  ｒｏｗ−ｗｉｓｅ  ｒｅａｄｉｎｇ、ｉｎｔｒａ−ｒｏｗ  ｓｈｉｆｔ、ｉｎｔｅｒ−ｒｏｗ  ｐｅｒｍｕｔａｔｉｏｎ）の動作も同様、上述したＴｙｐｅ  １  ＆  Ｍｅｔｈｏｄ  Ａ方式のＣＣＥ−ｔｏ−ＲＥ  ｍａｐｐｉｎｇ過程上のブロックインターリーバを用いるインターリービングの具体的な動作構成及び過程と同じ手順及び方法で具現できることは当然である。
【０２０２】
また、その結果として生成されるマッピングパターンも、以下の節で説明するＴｙｐｅ１  ＆  Ｍｅｔｈｏｄ  Ａの場合と同様に、セル別に固有の特性を有し、時間／周波数領域マッピング及びセル間干渉ランダム化特性を満たすことができる。
【０２０３】
以下、上の数学式８で説明した列内シフト動作において、セル別に固有のＯｓｈｉｆｔ値を決定する様々な実施例について説明する。まず、より一般化した形態の列内シフト動作が、下記の数学式１０で示される。
【０２０４】
【数１０−１】
2010525719.tif 000014
【０２０５】
数学式１０で、
【０２０６】
【数１０−２】
2010525719.tif 000015
【０２０７】
関数は、セルＩＤ、セルグループＩＤを用いてセル別に、またはセルグループ別に特化されたＲＥマッピングパターンインデックス順序を提供できる媒介関数を表す。
【０２０８】
【数１０−３】
2010525719.tif 000016
【０２０９】
を通じてセル固有のＲＥマッピングパターンインデックス割当のための調整（ｃｏｏｒｄｉｎａｔｉｏｎ）及びランダム化（ｒａｎｄｏｍｉｚａｔｉｏｎ）のためにシフトオフセット値を出力することができる。そして、
【０２１０】
【数１０−４】
2010525719.tif 000017
【０２１１】
は、列内シフト動作を具現するために列別シフトオフセットを出力する関数を表す。
【０２１２】
【数１０−５】
2010525719.tif 000018
【０２１３】
を通じて列内シフト動作の特定の形態の具現のために使用できる様々なオフセット値を列（ｃｏｌｕｍｎ）別に発生させることができる。
【０２１４】
【数１０−６】
2010525719.tif 000019
【０２１５】
関数のいずれかを零関数（ｎｕｌｌ  ｆｕｎｃｔｉｏｎ）と設定して用いることもできる。
【０２１６】
一方、列内シフト動作において列別にシフトされるオフセット値を全て同一に適用する場合には、行間置換動作と同じ結果を獲得することができる。セル別に任意のＣＣＥグループまたは全体グループを包括して固有の固定オフセットでシフトする行間置換の実施例を、下記の数学式１１で表す。
【０２１７】
【数１１】
2010525719.tif 000020
【０２１８】
数学式１１で、ｏｆｆｓｅｔ（ｃｅｌｌ＿ＩＤ）は、セルＩＤを用いてセル別に固有のシフトオフセットを発生させる関数を表す。
【０２１９】
図１４は、数学式１１によってブロックインターリーバを動作する場合を示す図である。
【０２２０】
図１４で、セルＡではｏｆｆｓｅｔ（ｃｅｌｌ＿ＩＤ）値を０に設定し、セルＢではｏｆｆｓｅｔ（ｃｅｌｌ＿ＩＤ）値を１に設定した場合を示す。上述した通り、ブロックインターリーバの全ての列（ｃｏｌｕｍｎ）に対して同じシフトオフセット値を設定すると、行間置換動作の結果を獲得できる。
【０２２１】
上の実施例で、特別に任意のＲＥマッピングパターンを任意の基地局の３個のセル（ｃｅｌｌ＿ＩＤ＝０，１，２）別にグルーピングして割り当てる実施例は、下の数学式１２のように表すことができる。
【０２２２】
【数１２】
2010525719.tif 000021
【０２２３】
数学式１２は、セル間干渉を調整（ｃｏｏｒｄｉｎａｔｉｏｎ）するために行間置換（ｉｎｔｅｒ−ｒｏｗ  ｐｅｒｍｕｔａｔｉｏｎ）が具現された例と見なすことができる。
【０２２４】
図１５は、数学式１２によってブロックインターリーバを動作する場合を示す図である。
【０２２５】
図１５で、セルＡではｃｅｌｌ＿ＩＤ値を０に、セルＢではｃｅｌｌ＿ＩＤ値を１に、セルＣではｃｅｌｌ＿ＩＤ値を２に、設定した場合を示す。
【０２２６】
上記２つの実施例がセル間干渉に対する調整（ｃｏｏｒｄｉｎａｔｉｏｎ）に基づく行間置換（ｉｎｔｅｒ−ｒｏｗ  ｐｅｒｍｕｔａｔｉｏｎ）を具現するものであれば、干渉ランダム化（ｒａｎｄｏｍｉｚａｔｉｏｎ）に基づく行間置換（ｉｎｔｅｒ−ｒｏｗ  ｐｅｒｍｕｔａｔｉｏｎ）としてセルＩＤ及びセルグループＩＤに基づいて毎サブフレーム別にランダムに変わるオフセットを割り当てる列内シフト動作は、下記の数学式１３のように表すことができる。
【０２２７】
【数１３−１】
2010525719.tif 000022
【０２２８】
数学式１３で、
【０２２９】
【数１３−２】
2010525719.tif 000023
【０２３０】
は、サブフレーム及び個別リソース要素グループに対してブロックインターリービングが適用される場合ごとに、ランダムな値を出力する関数で、セルＩＤとセルグループＩＤを用いてセル固有のパターンを生成できる。
【０２３１】
列内シフト動作を具現する動作として、列内シフト動作における各列（ｃｏｌｕｍｎ）別に異なるオフセットを適用する実施例において、まず、毎列（ｃｏｌｕｍｎ）別に定数ｋ値のオフセットで同一間隔でシフトする実施例を、下記の数学式１４で表す。
【０２３２】
【数１４】
2010525719.tif 000024
【０２３３】
数学式１４の実施例においてセル別固有の行間置換動作を列内シフト動作と共に具現できる実施例を、下記の数学式１５で表す。
【０２３４】
【数１５】
2010525719.tif 000025
【０２３５】
数学式１５で示すように、セル別に固有のオフセット値であるｏｆｆｓｅｔ（ｃｅｌｌ＿ＩＤ）と全てのセルで共通の同一値を使用するｋを用いてセル別に固有のＲＥマッピングパターンを割り当てることができる。
【０２３６】
列（ｃｏｌｕｍｎ）別に乱数値を発生させ、可変的なオフセットを適用する場合の実施例を数学式１６で表す。
【０２３７】
【数１６−１】
2010525719.tif 000026
【０２３８】
数学式１６で、
【０２３９】
【数１６−２】
2010525719.tif 000027
【０２４０】
は、列内シフト動作に対して任意のＲＥマッピングパターンにランダムにシフトオフセットを割り当てる場合を具現するために列（ｃｏｌｕｍｎ）別に乱数値を発生させうる関数を表す。
【０２４１】
下記の数学式１７は、上に説明したブロックインターリーバを使用するインターリービング動作に対する仮想インターリービングを具現できるアルゴリズムを表現する方法の一例を示す。数学式１７で、ＰＲＥＧ（ｊ）は、ｊ番目の物理リソース要素を表す。
【０２４２】
【数１７】
2010525719.tif 000028
【０２４３】
数学式１７で、仮想インターリービングの行（ｒｏｗ）の個数をＲ、列（ｃｏｌｕｍｎ）の個数をＣ、インターリービング動作前の各行（ｒｏｗ）と列（ｃｏｌｕｍｎ）のアドレスを（ｒ，ｃ）、インターリービング動作後の各行（ｒｏｗ）と列（ｃｏｌｕｍｎ）のアドレスを（ｒ’，ｃ’）で表現している。そして、セル特定列間置換動作に使用されるセル特定ファクタとしてオフセット値をＯｐｅｒｍで表現し、セル特定列内シフト動作に使用されるセル特定ファクタとしてオフセット値をＯｓｈｉｆｔで表現している。
【０２４４】
仮想インターリービングの表現でＱ値の計算に使用されたαは、ＣとＰによって変更可能な値であり、ここで、セル特定列間置換動作に使用されるＰは、列（ｃｏｌｕｍｎ）の個数であるＣと互いに素な自然数であり、Ｃの値によって１個以上の値を持つことができる。以下、Ｃの値によって使用可能なＰ及びα値の場合の例を、表２乃至表５で表す。
【０２４５】
【表２】
2010525719.tif 000029
【０２４６】
【表３】
2010525719.tif 000030
【０２４７】
【表４】
2010525719.tif 000031
【０２４８】
【表５】
2010525719.tif 000032
【０２４９】
このような仮想インターリービング過程を通じて制御チャネル要素を物理リソース要素にマッピングさせると、上述した時間／周波数領域のマッピング条件を満たし、複数セル環境でセル間干渉を最小化することができる。
【０２５０】
実施例６
本実施例によれば、上述したＣＣＥ  ｔｏ  ＲＥ  ｍａｐｐｉｎｇ過程において、より効率的にマッピングを行うために、一つ以上のＣＣＥを含むグループを一つ以上定義し、この定義されたグループを用いてＣＣＥをマッピングさせることができる。
【０２５１】
図１６は、本発明の一実施例によって一つ以上のＣＣＥを全部または一部含むように所定のグループを定義する方法を説明するための図である。
【０２５２】
図１６の（ａ）は、一つのサブフレームで伝送されるように構成されたＣＣＥは、一つの変調シンボル列に統合され、統合された変調シンボル列を任意の個数のＣＣＥ単位またはリソース要素（ＲＥ）単位にグループを定義する方法の一例を示す。
【０２５３】
特に、図１６の（ａ）は、任意の個数のＣＣＥ単位にグループを定義し、各任意の個数のＣＣＥの変調シンボルは、同じグループに含まれるように定義する方法を示す。例えば、図１６の（ａ）を参照すると、総ｎ個のグループが定義され、ＣＣＥ  ＃１、ＣＣＥ  ＃２、…、ＣＣＥ  ＃Ｌは、グループ＃１（Ｇｒｏｕｐ  ＃１）に含まれ、ＣＣＥ  ＃Ｌ＋１、ＣＣＥ  ＃Ｌ＋２、…、ＣＣＥ  ＃Ｍは、グループ＃２（Ｇｒｏｕｐ  ＃２）に含まれ、ＣＣＥ  ＃Ｍ＋１、ＣＣＥ  ＃Ｍ＋２、…、ＣＣＥ  ＃Ｎは、グループ＃ｎ（Ｇｒｏｕｐ  ＃ｎ）に含まれることが確認できる。ここで、Ｎは、該当のサブフレームに伝送される全体ＣＣＥの数である。
【０２５４】
図１６の（ｂ）は、一つのグループに一つ以上のＣＣＥを含むようにグループを定義するもので、一つのＣＣＥに含まれる変調シンボルが分散して他のグループに含まれるように定義する方法を示す。
【０２５５】
特に、図１６の（ｂ）は、各ＣＣＥは一つ以上のＣＣＥセグメント（ＣＣＥ  ｓｅｇｍｅｎｔ）に分割し、各ＣＣＥセグメントを一つのグループに含めることによって、一つのＣＣＥに含まれる変調シンボルが分散して他のグループに含まれうるグループ定義方法を示している。例えば、図１６の（ｂ）を参照すると、総ｎ個のグループが定義され、各ＣＣＥは、定義されるグループの数に相応するように、例えばｎ個のＣＣＥセグメントに区分される。そして、各ＣＣＥのＣＣＥセグメント＃１（Ｓ  ＃１）はグループ＃１（Ｇｒｏｕｐ  ＃１）に含まれ、各ＣＣＥのＣＣＥセグメント＃２（Ｓ  ＃２）はグループ＃２（Ｇｒｏｕｐ  ＃２）に含まれ、各ＣＣＥのＣＣＥセグメント＃ｎ（Ｓ  ＃ｎ）はグループ＃ｎ（Ｇｒｏｕｐ  ＃ｎ）に含まれることが確認できる。
【０２５６】
このような方法を用いてグループを定義するに当たり、一つ以上のグループを定義する時に定義されるグループの総数、一つのグループ内に含まれるＣＣＥ数、または一つのグループ内に含まれる各ＣＣＥの変調シンボル数などは多様に決定されることができる。例えば、後述の定義されたグループを用いて制御チャネルが伝送されるＯＦＤＭシンボルにマッピングする方法と関連付けられて決定されることができる。
【０２５７】
図１７は、本発明の一実施例によって定義されたグループを用いて制御チャネルが伝送されるＯＦＤＭシンボルにマッピングする方法を説明するための図である。
【０２５８】
図１７の（ａ）は、各グループが、総ｎ個の制御チャネル伝送用ＯＦＤＭシンボルのうちそれぞれ一つのＯＦＤＭシンボルにマッピングされる場合を示す。この場合、定義される総グループ数はｎ個とし、一つのグループ内に含まれる変調シンボル数は、一つのＯＦＤＭシンボル内に含まれるＣＣＥの制御情報伝送に使用できる物理リソース要素（ＰＲＥ）に比例してまたは相応して決定することができる。
【０２５９】
図１７の（ａ）を参照すると、グループ＃１（Ｇｒｏｕｐ  ＃１）に含まれる変調シンボルは、伝送時間区間（ＴＴＩ）単位のサブフレーム内の１番目のＯＦＤＭシンボルにマッピングされ、グループ＃２（Ｇｒｏｕｐ  ＃２）に含まれる変調シンボルは、２番目のＯＦＤＭシンボルにマッピングされ、グループ＃ｎ（Ｇｒｏｕｐ  ＃ｎ）に含まれる変調シンボルは、ｎ番目ＯＦＤＭシンボルにマッピングされることが確認できる。図１７の（ａ）では、各グループがｎ個の制御チャネル伝送用ＯＦＤＭシンボルに順次にマッピングされる例を示しているが、マッピングされるＯＦＤＭシンボルの順序は変更可能である。
【０２６０】
図１７の（ｂ）は、総ｎ個の制御チャネル伝送用ＯＦＤＭシンボルに対して周波数軸に１つ以上の副搬送波（ｓｕｂ−ｃａｒｒｉｅｒ）を含む副バンド（ｓｕｂ−ｂａｎｄ）を一つ以上、例えば、ｍ個構成する。そして、各グループがｍ個の副バンドのうち一つの副バンドにマッピングされる場合を示す。この場合、定義される総グループ数はｍとし、一つのグループ内に含まれる変調シンボル数は、一つの副バンド内に含まれるＣＣＥの制御情報伝送に使用できる物理リソース要素（ＰＲＥ）に相応して決定することができる。
【０２６１】
図１７の（ｂ）を参照すると、グループ＃１（Ｇｒｏｕｐ  ＃１）に含まれる変調シンボルは、伝送時間区間（ＴＴＩ）単位のサブフレーム内の１番目の副バンドにマッピングされ、グループ＃２（Ｇｒｏｕｐ  ＃２）に含まれる変調シンボルは、２番目の副バンドにマッピングされ、グループ＃ｍ（Ｇｒｏｕｐ  ＃ｍ）に含まれる変調シンボルは、ｍ番目の副バンドにマッピングされることが確認できる。図１７の（ｂ）では、各グループがｍ個の副バンドに順次にマッピングされる例を示しているが、図１７の（ａ）の場合と同様に、マッピングされる副バンドの順序は変更可能である。
【０２６２】
この時にＣＣＥの制御情報伝送に使用できる物理リソース要素（ＰＲＥ）は、１伝送時間間隔に該当する全体物理リソース要素（ＰＲＥ）のうち制御チャネルの伝送に割り当てられた物理リソース要素から、ＣＣＥを通じて伝送されない情報を伝送するための物理リソース要素（ＰＲＥ）の一部または全体を除いた物理リソース要素（ＰＲＥ）を意味することができる。ここで、ＣＣＥを通じて伝送されない情報の例には、参照信号、ＰＣＦＩＣＨ、ＰＨＩＣＨ、ＰＩＣＨなどがある。
【０２６３】
もし、ＣＣＥの制御情報伝送に使用できる物理リソース要素（ＰＲＥ）に参照信号、ＣＣＥではないＰＣＦＩＣＨ、ＰＨＩＣＨ、ＰＩＣＨなどの伝送に割り当てられたリソース要素の一部または全体を含めてマッピングする場合、ＣＣＥ  ｔｏ  ＲＥ  ｍａｐｐｉｎｇ過程が終わった後、これらのリソース要素に対してシンボル穿孔（ｓｙｍｂｏｌ  ｐｕｎｃｔｕｒｉｎｇ）を行わなければならない。
【０２６４】
図１８は、本発明の一実施例によって一つ以上のＣＣＥの全部または一部を含むように所定のグループを定義する他の方法を説明するための図である。
【０２６５】
特に、図１６の（ｂ）で説明した一つのＣＣＥに含まれる変調シンボルが分散して他のグループに含まれるように定義する方法を用いる際に、各グループの大きさ、すなわち、各グループに含まれるリソース要素（ＲＥ）の数が互いに異なる場合に適用できるグループ定義方法について説明する。
【０２６６】
図１８の上段に示すように、各ＣＣＥを一つ以上のＣＣＥセグメント（ＣＣＥ  ｓｅｇｍｅｎｔ）に区分して各ＣＣＥセグメントを一つのグループに含める時、１ＣＣＥセグメントの大きさ、すなわち、１ＣＣＥセグメントに含まれる変調シンボルの数を、ＣＣＥセグメント別に独立して決定された数だけ含むように構成することができる。
【０２６７】
すなわち、各グループの大きさが互いに異なる場合には、各グループの大きさに比例して各ＣＣＥセグメントの大きさを決定することができる。例えば、総３個のグループを定義する場合、各グループ大きさの比が１：１：１．５の場合は、ＣＣＥに含まれる各ＣＣＥセグメント大きさの比もこれと同一に１：１：１．５とする。
【０２６８】
以下、図１８の上段及び下段を一緒に参照して、特に、本実施例によって構成された各グループを総ｎ個の制御チャネル伝送用ＯＦＤＭシンボルのうち一つのＯＦＤＭシンボルにマッピングする場合についてより具体的に説明する。
【０２６９】
各ＣＣＥの変調シンボルをｎ個のＯＦＤＭシンボルに分散して伝送する時、各ＯＦＤＭシンボル別にＣＣＥの伝送用に使用できる物理リソース要素（ＰＲＥ）の数に比例するように、例えば、Ｍ１：Ｍ２：Ｍ３の割合で分散させることができる。ここで、Ｍ１、Ｍ２及びＭ３はそれぞれ、３個のＯＦＤＭシンボルを通じて制御情報を伝送する時に、各ＯＦＤＭシンボルに含まれた物理リソース要素（ＰＲＥ）の数Ｍから、他の制御情報を伝送するのに使用される物理リソース要素（ＰＲＥ）の数を減算した数に該当する。
【０２７０】
実際に、ＣＣＥの伝送用に使用できる物理リソース要素（ＰＲＥ）の数が、上述した他の制御情報によって各ＯＦＤＭシンボル別に異なる場合がある。したがって、各ＯＦＤＭシンボルでＣＣＥの伝送に使用できるリソース要素の数を考慮せずに各ＯＦＤＭシンボルに一つのＣＣＥの変調シンボルを均等に分散してマッピングすると、他の制御情報が最も多く存在するＯＦＤＭシンボルを通じて伝送できるＣＣＥの数にサブフレーム内で伝送できるＣＣＥの数が制限されることができる。
【０２７１】
図１８の下段で、最も小さい四角形４０は、一つの物理リソース要素（ＰＲＥ）を表し、黒い部分４１は、実際にＣＣＥ  ｔｏ  ＲＥ  ｍａｐｐｉｎｇに使用されずにＣＣＥ以外の目的で使用される物理リソース要素（ＰＲＥ）を表示したものである。
【０２７２】
ＯＦＤＭシンボル別にＣＣＥの伝送用に使用できる物理リソース要素（ＰＲＥ）の数に比例するように、例えば、Ｍ１：Ｍ２：Ｍ３の割合で一つのＣＣＥの変調シンボルを各ＯＦＤＭシンボルに分けて割り当てる方式、すなわち、ＣＣＥセグメント構成方法に対する実施例を、下記の数学式を用いて説明する。下記の数学式で使用される表記方式（ｎｏｔａｔｉｏｎ）は、便宜のために選択されたもので、各表記において同じ任意の他の表記方式（ｎｏｔａｔｉｏｎ）の使用も可能であることは自明である。
【０２７３】
下記の数学式１８は、制御チャネルの伝送に伝送ダイバーシティ方式（ｔｒａｎｓｍｉｔ  ｄｉｖｅｒｓｉｔｙ  ｓｃｈｅｍｅ）を使用しない場合に対するＣＣＥセグメント構成例を表す。
【０２７４】
【数１８−１】
2010525719.tif 000033
【０２７５】
数学式１８で、
【０２７６】
【数１８−２】
2010525719.tif 000034
【０２７７】
は一つのＯＦＤＭシンボルに含まれる物理リソース要素（ＰＲＥ）数であり、
【０２７８】
【数１８−３】
2010525719.tif 000035
【０２７９】
はｉ番目のＯＦＤＭシンボルで制御チャネルの伝送用として使用できる物理リソース要素（ＰＲＥ）の数である。ここで、
【０２８０】
【数１８−４】
2010525719.tif 000036
【０２８１】
は、他の制御情報伝送用に使用する物理リソース要素（ＰＲＥ）の一部または全体を除く残りの物理リソース要素（ＰＲＥ）の数と定義されることができる。そして、
【０２８２】
【数１８−５】
2010525719.tif 000037
【０２８３】
は一つのＣＣＥに含まれる変調シンボルの数を表す。
【０２８４】
そして、
【０２８５】
【数１８−６】
2010525719.tif 000038
【０２８６】
は、任意のＣＣＥのリソース要素（ＲＥ）がｎ個のＯＦＤＭシンボルに分散して伝送される時にｉ番目ＯＦＤＭシンボルにマッピングされるリソース要素（ＲＥ）の数と定義される。数学式１８で、ｉ番目のＯＦＤＭシンボルごとに該当の
【０２８７】
【数１８−７】
2010525719.tif 000039
【０２８８】
の値は、各ＯＦＤＭシンボルにおける値によって変わることができる。
【０２８９】
【数１８−８】
2010525719.tif 000040
【０２９０】
の値は、数学式１８の例と同様に、ｎ個のＯＦＤＭシンボルで制御チャネルの伝送用に使用できる物理リソース要素（ＰＲＥ）の数と該当のｉ番目のＯＦＤＭシンボルで制御チャネルの伝送目的に使用できる物理リソース要素（ＰＲＥ）の数との比率に比例するように決定されることができる。
【０２９１】
この時、正確な
【０２９２】
【数１８−９】
2010525719.tif 000041
【０２９３】
値を得るために、切捨て（ｆｌｏｏｒｉｎｇ）、四捨五入（ｒｏｕｎｄ）等の動作を行うことができる。また、切捨て（ｆｌｏｏｒｉｎｇ）動作を使用する場合、切捨て（ｆｌｏｏｒｉｎｇ）により一つのＯＦＤＭシンボルの
【０２９４】
【数１８−１０】
2010525719.tif 000042
【０２９５】
が過度に小さくなるのを防止するために、０．５を加える動作を行い、四捨五入のような動作効果を得ることもできる。
【０２９６】
【数１８−１１】
2010525719.tif 000043
【０２９７】
は、ｉ番目のＯＦＤＭシンボルに
【０２９８】
【数１８−１２】
2010525719.tif 000044
【０２９９】
の長さを持つ自身の変調シンボルを伝送できるＣＣＥの最大個数と定義される。そして、
【０３００】
【数１８−１３】
2010525719.tif 000045
【０３０１】
は、
【０３０２】
【数１８−１４】
2010525719.tif 000046
【０３０３】
のうち最小値を持つ値と定義され、このように定義された
【０３０４】
【数１８−１５】
2010525719.tif 000047
【０３０５】
が、１サブフレーム内で最大に伝送されうるＣＣＥの数になりうる。
【０３０６】
このような方法を通して、各ＯＦＤＭシンボルでＣＣＥの伝送用に使用できる物理リソース要素（ＰＲＥ）数が変わる状況でも、各ＯＦＤＭシンボル別に現れる周波数ダイバーシティ利得を均一にするためにＯＦＤＭシンボル別任意のＣＣＥの変調シンボル分布を調節することができる。
【０３０７】
下記の数学式１９は、制御チャネルの伝送に伝送ダイバーシティ方式としてＳＦＢＣを使用する場合に対するＣＣＥセグメント構成例を表す。特に、制御チャネルの伝送に２個の伝送アンテナを使用する多重アンテナ伝送ダイバーシティ手法を使用する場合であり、物理リソース要素（ＰＲＥ）を隣接した２つの副搬送波単位と定義する場合を表す。ここで、隣接した２個の副搬送波は、ＣＣＥを通じて伝送されない情報がマッピングされる副搬送波を除く状態で、最も隣接した副搬送波からなるようにすることができる。
【０３０８】
【数１９−１】
2010525719.tif 000048
【０３０９】
数学式１９で定義された表記方式（ｎｏｔａｔｉｏｎ）の意味は、数学式１８の説明と同一であり、ただし、ＳＦＢＣを考慮して２個の副搬送波からなる物理リソース要素（ＰＲＥ）で計算される例を示している。すなわち、２個の副搬送波からなる物理リソース要素（ＰＲＥ）を考慮して、
【０３１０】
【数１９−２】
2010525719.tif 000049
【０３１１】
はそれぞれ、数学式２で表すように、
【０３１２】
【数１９−３】
2010525719.tif 000050
【０３１３】
と再定義されることができる。
【０３１４】
下記の数学式２０及び数学式２１は、システム伝送帯域がそれぞれ５ＭＨｚ、１０ＭＨｚである場合、一つのＣＣＥがそれぞれ３６個、４８個のリソース要素（ＲＥ）からなり、３個のＯＦＤＭシンボルが制御チャネルのために使用されると仮定する場合の、数学式１９に対する計算例を表す。
【０３１５】
【数２０】
2010525719.tif 000051
【０３１６】
【数２１−１】
2010525719.tif 000052
【０３１７】
図１９は、本発明の一実施例によるグループ定義方法を用いてマッピングする方法を説明するための図である。
【０３１８】
まず、段階１は、ＣＣＥグルーピング（ＣＣＥ  Ｇｒｏｕｐｉｎｇ）段階と称することができ、この段階で、任意の毎サブフレーム内で伝送されるべき制御情報ビット列から構成された変調シンボルを含んでなる任意の
【０３１９】
【数２１−２】
2010525719.tif 000053
【０３２０】
個のＣＣＥあるいは各ＣＣＥの一部のＣＣＥセグメント（ＣＣＥ  ｓｅｇｍｅｎｔ）は、任意の目的に応じて一つ以上の例えば、任意の
【０３２１】
【数２１−３】
2010525719.tif 000054
【０３２２】
個のグループと定義されることができる。
【０３２３】
そして、段階２は、置換（Ｐｅｒｍｕｔａｔｉｏｎ）段階と称することができ、この段階では、上述した段階１のＣＣＥグルーピング過程を通じて生成される任意の
【０３２４】
【数２１−４】
2010525719.tif 000055
【０３２５】
個のグループに対して個別グループ単位または全てのグループの変調シンボル列を対象にして任意の目的に応じて該当のリソース要素列の順序に対する置換を行うことができる。
【０３２６】
最後に、段階３は、リソース要素マッピング（ＲＥ  Ｍａｐｐｉｎｇ）段階と称することができ、この段階で、上述した段階２の過程を通じて置換された変調シンボル列は、任意の目的に応じて所定のＲＥマッピング方式によって規定された一つ以上の物理リソース要素（ＰＲＥ）にマッピングされることができる。以下、物理チャネル上の時間−周波数領域でＣＣＥ内の変調シンボルを物理リソース要素（ＰＲＥ）にマッピングする方式を、ＲＥマッピング方式と定義する。
【０３２７】
ＲＥマッピング方式の実施例として、直交周波数分割多重接続システムにおけるＯＦＤＭシンボルと副搬送波または副搬送波の集合で組み合わせられる物理リソース要素（ＰＲＥ）に対して周波数ダイバーシティ利得を目的として一つ以上のＲＥレベルの分散伝送方式を選択する場合、上位段階を経た任意のグループ別または全体のリソース要素に対して上記目的を達成できる特定ＲＥにマッピングする所定のＲＥマッピング方式を定義し、段階３で行うことができる。
【０３２８】
これらの段階の組合せでＣＣＥ−ｔｏ−ＲＥ  ｍａｐｐｉｎｇ過程が構成されることができる。また、ＣＣＥ−ｔｏ−ＲＥ  ｍａｐｐｉｎｇ過程の個別段階は、他の段階と独立性を維持しながら構成されることができ、過程の単純化及び最適化のために相互連係及び統合的な過程として構成されることができる。以下、各段階を具現できる様々な実施例についてより具体的に説明する。
【０３２９】
図２０は、本発明の一実施例によるグループ定義方法を用いてマッピングする方法の一例を説明するための図である。
【０３３０】
本実施例は、図１９の段階１の実施例を具体化したもので、段階２及び段階３の動作は、図１９における説明と同一なので省略する。特に、本実施例は、図１９の段階１においてサブフレームで伝送されるように構成されたＣＣＥに対する変調シンボル列を任意の個数のＣＣＥ単位または変調シンボル単位にグループを定義する方法を適用する場合に関する。
【０３３１】
図２０の段階１−１で、一つのサブフレームで伝送されるように構成されたＣＣＥは、一つの変調シンボル列に統合され、段階１−２で、統合された変調シンボル列を一つ以上のグループに区分する。特に、以下、任意の個数のＣＣＥ単位にグループを定義する方式を、ＣＣＥレベルグルーピングと称する。この場合、任意の時間−周波数領域で定義される物理リソース要素（ＰＲＥ）へのマッピングがＣＣＥレベルで行われることができる。
【０３３２】
この時、グルーピング結果で生成されるグループの数
【０３３３】
【数２１−５】
2010525719.tif 000056
【０３３４】
及び各グループサイズは、任意の目的及び状況に基づいてグループ別に同一であっても異なっても良い。以下、上述したＣＣＥレベルグルーピング方式を適用するにあたり、グルーピング結果として生成されるグループの数
【０３３５】
【数２１−６】
2010525719.tif 000057
【０３３６】
及び各グループを構成するＣＣＥサイズを決定する方法の例について説明する。
【０３３７】
図２１は、本発明の一実施例によってＣＣＥレベルグルーピング方式を適用する方法の一例を説明するための図である。
【０３３８】
図２１は、ＣＣＥレベルグルーピング方式の実施例として図２０の段階１−１及び１−２の動作を具体化したもので、時間領域におけるＯＦＤＭシンボル別にグルーピングされる場合を示している。すなわち、この場合には、段階１−１でＣＣＥを統合し、段階１−２でこの統合された変調シンボル列を分割して一つ以上のグループを生成できる。
【０３３９】
そして、このようなグルーピング結果として生成されるグループの数
【０３４０】
【数２１−７】
2010525719.tif 000058
【０３４１】
は、ＯＦＤＭシンボル数（ｎ）と決定されることができ、各グループを構成するＣＣＥサイズは、各グループに相応する該当のＯＦＤＭシンボル内に含まれる使用可能な物理リソース要素（ＰＲＥ）と決定されることができる。この時、各グループサイズは任意の目的及び状況に基づいてグループ別に同一であっても異なっても良い。
【０３４２】
図２２は、本発明の一実施例によってＣＣＥレベルグルーピング方式を適用する方法の一例を説明するための図である。
【０３４３】
図２２は、ＣＣＥレベルグルーピング方式の実施例として図２０の段階１−１及び段階１−２の動作を具体化したもので、周波数領域で任意の個数の副搬送波で構成される副バンド別にグルーピングされる場合を示している。すなわち、この場合には、段階１−１で統合されたリソース要素列に対するグルーピングにおいて、グルーピング結果として生成されるグループの数
【０３４４】
【数２１−８】
2010525719.tif 000059
【０３４５】
は、副バンド数（ｍ）と決定されることができ、各グループを構成するＣＣＥサイズは、各グループに相応する該当の副バンド内に含まれる使用可能な物理リソース要素（ＰＲＥ）数と決定されることができる。
【０３４６】
この時、該当の副バンドは、伝送方式によって実際の副搬送波の連続的な集合の様態または全体システム伝送帯域内の一つ以上の副搬送波単位で分散した様態と定義することができる。また、この場合にも、各グループサイズは、任意の目的及び状況に基づいてグループ別に同一であっても異なっても良いことは自明である。
【０３４７】
図２３は、本発明の一実施例によるグループ定義方法を用いてマッピングする方法の一例を説明するための図である。
【０３４８】
本実施例も、図１９の段階１の実施例を具体化したもので、段階２及び段階３の動作は図１９における説明と同一なので省略する。特に、本実施例は、図１９の段階１において、図２の（ｂ）で説明した一つのＣＣＥに含まれる変調シンボルが分散して他のグループに含まれるように定義する方法を適用する場合に関する。
【０３４９】
図２３の段階１−１で、任意のＣＣＥの変調シンボルを分散してマッピングする目的で、ＣＣＥのそれぞれに含まれる変調シンボルを総グループ数またはそれ以上のＣＣＥセグメントに分割する動作を行う。そして、段階１−２で、該当のＣＣＥの分割されたＣＣＥセグメントを一つ以上含むように統合する。このように各ＣＣＥを一つ以上のＣＣＥセグメントに分割しそれら再び統合してグループを定義する方式を、ＣＣＥサブブロックレベルグルーピング方式と定義する。
【０３５０】
この時、グルーピング結果として生成されるグループの数
【０３５１】
【数２１−９】
2010525719.tif 000060
【０３５２】
及び各グループサイズは、任意の目的及び状況に基づいてグループ別に同一であっても異なっても良い。以下、上述したＣＣＥサブブロックレベルグルーピング方式を適用するにあたり、グルーピング結果として生成されるグループの数
【０３５３】
【数２１−１０】
2010525719.tif 000061
【０３５４】
及び各グループを構成するＣＣＥセグメントのサイズを決定する方法の例を説明する。
【０３５５】
図２４は、本発明の一実施例によってＣＣＥサブブロックレベルグルーピング方式を適用する方法の一例を説明するための図である。
【０３５６】
図２４は、ＣＣＥサブブロックレベルグルーピング方式の実施例として図２３の段階１−１及び段階１−２の動作を具体化したもので、時間領域でのＯＦＤＭシンボル別にグルーピングされる場合を示している。すなわち、この場合には、段階１−１からＣＣＥセグメントに分割され、段階１−２でこれら分割されたＣＣＥセグメントを組み合わせて一つ以上のグループを生成できる。
【０３５７】
そして、このようなグルーピング結果として生成されるグループの数
【０３５８】
【数２１−１１】
2010525719.tif 000062
【０３５９】
は、ＯＦＤＭシンボル数（ｎ）と決定されることができ、各グループを構成するＣＣＥセグメントのサイズは、各グループに相応する該当のＯＦＤＭシンボル内に含まれる使用可能な物理リソース要素（ＰＲＥ）数と決定されることができる。この時、各グループのサイズは、任意の目的及び状況に基づいてグループ別に同一であっても異なっても良い。
【０３６０】
図２５は、本発明の一実施例によってＣＣＥサブブロックレベルグルーピング方式を適用する方法の一例を説明するための図である。
【０３６１】
図２５は、ＣＣＥサブブロックレベルグルーピング方式の実施例として図２３の段階１−１及び段階１−２の動作を具体化したもので、周波数領域で任意の個数の副搬送波で構成される副バンド別にグルーピングされる場合を示している。すなわち、この場合には、段階１−１で分割されたＣＣＥセグメントを組み合わせるグルーピングにおいて、グルーピング結果として生成されるグループの数
【０３６２】
【数２１−１２】
2010525719.tif 000063
【０３６３】
は副バンド数（ｍ）と決定されることができ、各グループを構成するＣＣＥセグメントのサイズは、各グループに相応する該当の副バンド内に含まれる使用可能な物理リソース要素（ＰＲＥ）数と決定されることができる。
【０３６４】
この時、該当の副バンドは、伝送方式によって実際の副搬送波の連続した集合の様態または全体システム伝送帯域内の一つ以上の副搬送波単位で分散された様態として定義できる。また、この場合にも、各グループのサイズは、任意の目的及び状況に基づいてグループ別に同一であっても異なっても良いことは自明である。
【０３６５】
上述したＣＣＥレベルグルーピング方式とＣＣＥサブブロックレベルグルーピング方式とを共に適用できることも当然である。例えば、一部のＣＣＥはＣＣＥセグメントに区分してＣＣＥサブブロックレベルグルーピング方式でグループを定義し、一部ＣＣＥはＣＣＥセグメントに区分せずにＣＣＥレベルグルーピング方式でグループを定義することができる。
【０３６６】
上述した図２０における段階２の置換過程で、上位段階１での過程を通じて生成される一つ以上のグループの変調シンボル列に対して、変調シンボルの位置を相互置換させる動作を行う。置換過程は、上位の段階１で生成されるグループに対してグループ別に別々に行う場合、単一の置換パターンを適用したり、個別リソース要素グループ別に独立した置換パターンを適用したりすることができる。これと逆に、グループを全体として統合し、一つの過程として段階２置換方式を行う形態で具現することもできる。
【０３６７】
特に、複数のセル環境を考慮する場合、全てのセルで上述したＲＥマッピング方式を同一に使用するとすれば、セル間ＲＥマッピング方式が同一に生成される。このような状況で制御チャネルに対する電力制御（ｐｏｗｅｒ  ｃｏｎｔｒｏｌ）が適用され、任意のセルでシステム伝送帯域対比制御チャネルの周波数領域における負荷が小さくない場合に、セル別ＲＥマッピング方式が同一になると、セル間干渉の影響が大きく現れる蓋然性がある。
【０３６８】
このような状況における問題を解決するための方法として、セル特定置換（ｃｅｌｌ  ｓｐｅｃｉｆｉｃ  ｐｅｒｍｕｔａｔｉｏｎ）を具現する方式を考慮することができる。セル特定置換方法の例には、第一、セル間ＲＥマッピング方式を調整することによって干渉を調整する方式（ｉｎｔｅｒｆｅｒｅｎｃｅ  ｃｏｏｒｄｉｎａｔｉｏｎ）、第二、統計的にセル間任意の特定ＲＥマッピング方式での重複使用を時間領域で多重化する干渉ランダム化方式（ｉｎｔｅｒ  ｃｅｌｌ  ｉｎｔｅｒｆｅｒｅｎｃｅ  ｒａｎｄｏｍｉｚａｔｉｏｎ）、第三、セル間に同じＲＥマッピング方式が使用される場合、セル間干渉の影響を多数のＣＣＥに分散させてチャネル符号化利得を通じて減らしうるＣＣＥ間置換方式（ｉｎｔｅｒ−ＣＣＥ  ｐｅｒｍｕｔａｔｉｏｎ）などがある。
【０３６９】
複数のセル環境で任意のＲＥマッピング方式を同時使用しながら、セル間干渉の影響を多数のＣＣＥに分散させうるようにＣＣＥ間置換方式（ｉｎｔｅｒ−ＣＣＥ  ｐｅｒｍｕｔａｔｉｏｎ）を使用する場合、セル間干渉の影響のランダム化に対する自由度を向上させるというメリットがあるが、ＣＣＥの各変調シンボル観点でそれぞれがマッピングされる物理リソース要素（ＰＲＥ）に対して物理リソース領域における最適のダイバーシティ利得を提供するための物理リソース要素（ＰＲＥ）間で均一な距離が維持されてないという不具合がある。
【０３７０】
図２６は、本発明の一実施例によるグループ定義方法を用いてマッピングする方法の一例を説明するための図である。
【０３７１】
本実施例は、図１９の段階２の実施例を具体化したもので、段階１及び段階３の動作は、上述した通りであるので省略する。本実施例は、置換過程の一方式としてＲＥマッピングインデックス置換方式を提供する。ＲＥマッピングインデックス置換方式は、所定のシフトオフセットで段階１で定義される任意のグループ別または全体グループに対する変調シンボル列の順序を循環シフト（ｃｙｃｌｉｃ  ｓｈｉｆｔ）する置換方式である。
【０３７２】
特に、複数セル環境におけるセル間干渉の調整（ｃｏｏｒｄｉｎａｔｉｏｎ）またはランダム化（ｒａｎｄｏｍｉｚａｔｉｏｎ）のために、セル別固有のシフトオフセットで任意のグループ別または全体グループのリソース要素列の順序を循環シフトさせることができる。そして、セル別に固有なＲＥマッピングインデックスオフセット（ｏｆｆｓｅｔ）は、任意のセルＩＤ（ｃｅｌｌ  ＩＤ）またはセルグループＩＤ（ｃｅｌｌ  ｇｒｏｕｐ  ＩＤ）などのようなセル別に固有なインデックスにより生成されることができる。
【０３７３】
この時、もし、ＲＥマッピングインデックス置換を、セルＩＤまたはセルＩＤとセルグループＩＤとの組合せにより抽出される特定等間隔オフセットでシフトするよう具現する場合、これは典型的なセル間干渉を調整（ｃｏｏｒｄｉｎａｔｉｏｎ）するように具現されることを意味できる。そして、これと違い、セルＩＤまたはセルＩＤとセルグループＩＤとの組合せにより生成されるランダムな置換パターン及び時間領域におけるサブフレーム単位で互いに異なる乱数値を通じて置換される方式は、統計的なセル間干渉をランダム化（ｒａｎｄｏｍｉｚａｔｉｏｎ）するように具現されることを意味できる。
【０３７４】
このような置換動作を行う際に、ブロックインターリーバを使用する場合、ブロックインターリーバから出力されるリソース要素（ＲＥ）が物理リソース要素（ＰＲＥ）に順次にマッピングされるとすれば、このＲＥマッピングインデックス置換方式は、基本的に、ブロックインターリーバにおいて行間置換動作（ｉｎｔｅｒ−ｒｏｗ  ｐｅｒｍｕｔａｔｉｏｎ）として説明することができる。
【０３７５】
図２７は、本発明の一実施例によるグループ定義方法を用いてマッピングする方法の一例を説明するための図である。
【０３７６】
本実施例は、図１９の段階２の実施例を具体化したもので、段階１及び段階３の動作は上述と同一なので省略する。本実施例は、置換過程の一方式としてＣＣＥ間置換方式（ｉｎｔｅｒ−ＣＣＥ  ｐｅｒｍｕｔａｔｉｏｎ）を提供する。ＣＣＥ間置換方式は、任意のＣＣＥまたはＣＣＥセグメントグループ別にリソース要素列または全体ＣＣＥのリソース要素列の順序を所定のパターンによって変更する置換方式である。すなわち、このような置換方式を用いて所定のＲＥマッピング方式で該当の物理リソース要素（ＰＲＥ）にマッピングするもので、複数のＣＣＥを多重化して干渉を分散させることができる。
【０３７７】
この場合も同様に、複数セル環境におけるセル間干渉の影響を多数のＣＣＥに分散させるために、セル別に固有な置換パターンによって任意のＣＣＥまたはＣＣＥセグメントグループ別に変調シンボル列または全体ＣＣＥの変調シンボル列内の変調シンボルの順序を変更させることができる。そして、セル別に固有な置換パターンは、任意のセルＩＤ（ｃｅｌｌ  ＩＤ）またはセルグループＩＤ（ｃｅｌｌ  ｇｒｏｕｐ  ＩＤ）などのようなセル別に固有なインデックスにより生成されることができる。
【０３７８】
このような置換動作を行う際にブロックインターリーバを使用する場合、ブロックインターリーバから出力されるリソース要素（ＲＥ）が物理リソース要素（ＰＲＥ）に順次にマッピングされるとすれば、このＲＥマッピングインデックス置換方式は、基本的に、ブロックインターリーバにおいて列内シフト（ｉｎｔｒａ−ｃｏｌｕｍｎ  ｓｈｉｆｔ）動作として説明することができる。
【０３７９】
図２８は、本発明の一実施例によるグループ定義方法を用いてマッピングする方法の一例を説明するための図である。
【０３８０】
本実施例は、図１９の段階２の実施例を具体化したもので、段階１及び段階３の動作は上述と同一なので省略する。本実施例は、置換過程の一方式として上述のＲＥマッピングインデックス置換方式とＣＣＥ間置換方式を共に適用する方法を提供する。
【０３８１】
置換過程でＲＥマッピングインデックス置換方式とＣＣＥ間置換方式を共に適用する方式は、ＲＥマッピングインデックス置換とＣＣＥ間置換を順次に行って具現することができる。さらに、このような置換動作を行う際にブロックインターリーバを使用する場合、列内シフト（ｉｎｔｒａ−ｃｏｌｕｍｎ  ｓｈｉｆｔ）動作だけで、ＲＥマッピングインデックス置換方式とＣＣＥ間置換方式を同時に及び個別に自由に具現することができる。
【０３８２】
図１９の段階３の置換段階で説明したようにブロックインターリーバを用いることができる。この時、ブロックインターリーバは、全体時間領域におけるＯＦＤＭシンボルにマッピングされるリソース要素（ＲＥ）に対して一つのブロックインターリーバとして具現されることもできる。他の方法として、ブロックインターリーバは、ＯＦＤＭシンボル数だけ備えられ、各ＯＦＤＭシンボルごとに一つのブロックインターリーバが構成されるようにすることもできる。この場合、ＯＦＤＭシンボル数ｎはｃａｔ．０または制御チャネル形式指示子（ＣＣＦＩ）で知らせることができる。この場合、ｎ個の各ブロックインターリーバの大きさは、
【０３８３】
【数２１−１３】
2010525719.tif 000064
【０３８４】
になりうる。
【０３８５】
図２９は、本発明の一実施例によるＣＣＥ−ｔｏ−ＲＥ  ｍａｐｐｉｎｇ方式を具現するブロックインターリーバ構成の一例を説明するための図である。
【０３８６】
図２９を参照してブロックインターリーバの構成について説明すると、ｎ個の各ブロックインターリーバの大きさは、
【０３８７】
【数２１−１４】
2010525719.tif 000065
【０３８８】
になりうる。そして、各ｉ番目のＯＦＤＭシンボルにマッピングされる
【０３８９】
【数２１−１５】
2010525719.tif 000066
【０３９０】
個のＣＣＥのそれぞれの
【０３９１】
【数２１−１６】
2010525719.tif 000067
【０３９２】
がブロックインターリーバの行（ｒｏｗ）方向に入力される。一連の動作の後にリソース要素は順次に列（ｃｏｌｕｍｎ）方向に出力され、ＲＥマッピング方式で該当の物理リソース領域の物理リソース要素（ＰＲＥ）にマッピングされて伝送されることができる。
【０３９３】
すなわち、図２９を参照すると、ＣＣＥ（０）は、ｉ番目のＯＦＤＭシンボルに対するブロックインターリーバにおいて第１行に入力される。そして、ＣＣＥ（１）は第２行、ＣＣＥ（２）は第３行、そして
【０３９４】
【数２１−１７】
2010525719.tif 000068
【０３９５】
は第
【０３９６】
【数２１−１８】
2010525719.tif 000069
【０３９７】
行に入力される。
【０３９８】
図３０は、本発明の一実施例によるＣＣＥ−ｔｏ−ＲＥ  ｍａｐｐｉｎｇ方式を具現するブロックインターリーバ構成の他の例を説明するための図である。
【０３９９】
各ＯＦＤＭシンボル別にＣＣＥから各グループを構成することができる。各ＣＣＥ別任意のＯＦＤＭシンボルにおけるリソース要素（ＲＥ）数を指定して割り当てる方法を使用する場合、各ＯＦＤＭシンボル別に残った物理リソース要素（ＰＲＥ）の数がＣＣＥ内のリソース要素（ＲＥ）数を超過する場合がある。この場合、その超過する物理リソース要素（ＰＲＥ）を追加的なＣＣＥの伝送のために割り当てることができる。
【０４００】
数学式２２は、各ＯＦＤＭシンボル別に残った物理リソース要素（ＰＲＥ）の数がＣＣＥ内のリソース要素（ＲＥ）数を超過する場合に適用できる方法を表す。これを具現するために各ＯＦＤＭシンボル別
【０４０１】
【数２１−１９】
2010525719.tif 000070
【０４０２】
の最小値として
【０４０３】
【数２１−２０】
2010525719.tif 000071
【０４０４】
を定義する。
【０４０５】
【数２２−１】
2010525719.tif 000072
【０４０６】
各ＯＦＤＭシンボル別にＣＣＥの変調シンボル伝送に使用されない物理リソース要素（ＰＲＥ）が発生する。各ＯＦＤＭシンボル別にＣＣＥ伝送に使用されない物理リソース要素（ＰＲＥ）の数は
【０４０７】
【数２２−２】
2010525719.tif 000073
【０４０８】
と定義することができ、その他の表現方式（ｎｏｔａｔｉｏｎ）は、数学式１８及び数学式１９を参照すれば良い。
【０４０９】
１サブフレーム内でｎ個のＯＦＤＭシンボルを使用してＣＣＥを伝送する時、該当のサブフレーム内で
【０４１０】
【数２２−３】
2010525719.tif 000074
【０４１１】
の和が
【０４１２】
【数２２−４】
2010525719.tif 000075
【０４１３】
よりも大きくなると、
【０４１４】
【数２２−５】
2010525719.tif 000076
【０４１５】
よりも多いＣＣＥを伝送することができる。したがって、上の数学式２２からわかるように、該当のサブフレームでＣＣＥ伝送用に使用するＯＦＤＭシンボルの個数をｎとする。この時、ｎ個ＯＦＤＭシンボルの
【０４１６】
【数２２−６】
2010525719.tif 000077
【０４１７】
の和が
【０４１８】
【数２２−７】
2010525719.tif 000078
【０４１９】
よりも大きい場合、
【０４２０】
【数２２−８】
2010525719.tif 000079
【０４２１】
を定義する。
【０４２２】
【数２２−９】
2010525719.tif 000080
【０４２３】
は、ｎ個ＯＦＤＭシンボルの
【０４２４】
【数２２−１０】
2010525719.tif 000081
【０４２５】
の和が
【０４２６】
【数２２−１１】
2010525719.tif 000082
【０４２７】
よりも大きい場合に、該当のサブフレーム内で
【０４２８】
【数２２−１２】
2010525719.tif 000083
【０４２９】
個のＣＣＥの他にさらに伝送できるＣＣＥの個数であり、
【０４３０】
【数２２−１３】
2010525719.tif 000084
【０４３１】
は、各ＯＦＤＭシンボルに構成されるブロックインターリーバを使用する場合、ｉ番目のＯＦＤＭシンボルに対するインターリーバで
【０４３２】
【数２２−１４】
2010525719.tif 000085
【０４３３】
個の行（ｒｏｗ）に加えて、
【０４３４】
【数２２−１５】
2010525719.tif 000086
【０４３５】
個のＣＣＥ以外に
【０４３６】
【数２２−１６】
2010525719.tif 000087
【０４３７】
個のＣＣＥをさらに伝送するための目的で使用するインターリーバの行（ｒｏｗ）の個数である。
【０４３８】
【数２２−１７】
2010525719.tif 000088
【０４３９】
個のＣＣＥの他に
【０４４０】
【数２２−１８】
2010525719.tif 000089
【０４４１】
個のＣＣＥをさらに伝送するために
【０４４２】
【数２２−１９】
2010525719.tif 000090
【０４４３】
個の行（ｒｏｗ）を追加しても、利用される物理リソース要素（ＰＲＥ）の数が
【０４４４】
【数２２−２０】
2010525719.tif 000091
【０４４５】
に対して足りない場合がある。このような場合に、残る物理リソース要素（ＰＲＥ）を全て用いるために、上の式のように
【０４４６】
【数２２−２１】
2010525719.tif 000092
【０４４７】
を定義する。
【０４４８】
【数２２−２２】
2010525719.tif 000093
【０４４９】
は、１ＯＦＤＭシンボルで
【０４５０】
【数２２−２３】
2010525719.tif 000094
【０４５１】
よりも小さい物理リソース要素（ＰＲＥ）数を表す。
【０４５２】
図３０の（ａ）は、
【０４５３】
【数２２−２４】
2010525719.tif 000095
【０４５４】
を考慮した時、ｉ番目のＯＦＤＭシンボルに対するインターリーバの構成例を表し、図３０の（ｂ）は、
【０４５５】
【数２２−２５】
2010525719.tif 000096
【０４５６】
を考慮した時、ｎ個のＯＦＤＭシンボルに対するインターリーバ構成例を表す。
【０４５７】
このように、
【０４５８】
【数２２−２６】
2010525719.tif 000097
【０４５９】
によって構成されたブロックインターリーバを使用することによって、各ＯＦＤＭシンボル別にＣＣＥ伝送に使用されない物理リソース要素（ＰＲＥ）を減らすことができる。そして、
【０４６０】
【数２２−２７】
2010525719.tif 000098
【０４６１】
が０よりも大きい場合に、
【０４６２】
【数２２−２８】
2010525719.tif 000099
【０４６３】
番目の行（ｒｏｗ）で列（ｃｏｌｕｍｎ）のインデックスが
【０４６４】
【数２２−２９】
2010525719.tif 000100
【０４６５】
の長さよりも長いインデックスに対しては、穿孔（ｐｕｎｃｔｕｒｉｎｇ）を通じて物理リソース要素（ＰＲＥ）にマッピングさせないことができる。
【０４６６】
図３０の（ａ）及び（ｂ）に示すように、ＣＣＥ伝送に使用されるｎ個のＯＦＤＭシンボルの
【０４６７】
【数２２−３０】
2010525719.tif 000101
【０４６８】
の最大値である
【０４６９】
【数２２−３１】
2010525719.tif 000102
【０４７０】
個の行（ｒｏｗ）を
【０４７１】
【数２２−３２】
2010525719.tif 000103
【０４７２】
個の行（ｒｏｗ）に付け加えて
【０４７３】
【数２２−３３】
2010525719.tif 000104
【０４７４】
個のＣＣＥをさらに伝送することができる。このような方法を使用する時、インターリーバの入・出力はインターリーバのインデックスに基づいて推定できるため、１ＯＦＤＭシンボルで
【０４７５】
【数２２−３４】
2010525719.tif 000105
【０４７６】
個の行（ｒｏｗ）を追加して伝送するＣＣＥ内の変調シンボルの数が
【０４７７】
【数２２−３５】
2010525719.tif 000106
【０４７８】
よりも多くなると、インデックスに基づいて穿孔（ｐｕｎｃｔｕｒｉｎｇ）をし、物理リソース要素（ＰＲＥ）にマッピングさせないことができる。
【０４７９】
ブロックインターリーバを通じた段階２の置換過程を行う方式を適用する場合に、上述した様々な形態の列内シフト（ｉｎｔｒａ−ｃｏｌｕｍｎ  ｓｈｉｆｔ）動作を代表関数として定義すると、下記の数学式２３で示される。
【０４８０】
【数２３−１】
2010525719.tif 000107
【０４８１】
数学式２３は、セル固有のＲＥマッピング方式割当のための調整及びランダム化を表す関数
【０４８２】
【数２３−２】
2010525719.tif 000108
【０４８３】
とＣＣＥ間置換（ｉｎｔｅｒ−ＣＣＥ  ｐｅｒｍｕｔａｔｉｏｎ）の様々な形態の具現に対する一般関数
【０４８４】
【数２３−３】
2010525719.tif 000109
【０４８５】
に一般化させて適用した例を表す。
【０４８６】
数学式２３で、
【０４８７】
【数２３−４】
2010525719.tif 000110
【０４８８】
は、セルＩＤ（ｃｅｌｌ＿ＩＤ）、セルグループＩＤ（ｃｅｌｌ＿ｇｒｏｕｐ＿ＩＤ）に基づいてセル別に、またはセルグループ別に固有のＲＥマッピング方式を生成できる列内シフト（ｉｎｔｒａ−ｃｏｌｕｍｎ  ｓｈｉｆｔ）動作の媒介となる関数の一般化した表現である。そして、
【０４８９】
【数２３−５】
2010525719.tif 000111
【０４９０】
は、ＣＣＥ間置換（ｉｎｔｅｒ−ＣＣＥ  ｐｅｒｍｕｔａｔｉｏｎ）時に使用できる様々なオフセットを発生させる関数の一般化した表現である。
【０４９１】
ＣＣＥ間置換（ｉｎｔｅｒ−ＣＣＥ  ｐｅｒｍｕｔａｔｉｏｎ）を列内シフト（ｉｎｔｒａ−ｃｏｌｕｍｎ  ｓｈｉｆｔ）動作で具現する時、下記の一般化した式において
【０４９２】
【数２３−６】
2010525719.tif 000112
【０４９３】
関数のみを使用することもでき、
【０４９４】
【数２３−７】
2010525719.tif 000113
【０４９５】
関数のみを使用することもでき、または、これら関数の両方を使用するまたは使用しないこともできる。
【０４９６】
本実施例では、上述したＣＣＥ−ｔｏ−ＲＥ  ｍａｐｐｉｎｇ具現において段階１のＣＣＥグルーピング過程でＣＣＥレベルグルーピング方式で生成される各グループを各副帯域にマッピングする方式を適用し、段階２の置換過程でＲＥマッピングインデックス置換方式を適用する場合を説明する。特に、ブロックインターリーバを使用するとして説明する。
【０４９７】
ＣＣＥ間置換を考慮しない場合のセル間干渉の影響を減らすための方案として、ブロックインターリーバを用いてセル間干渉に対する調整（ｃｏｏｒｄｉｎａｔｉｏｎ）及びランダム化（ｒａｎｄｏｍｉｚａｔｉｏｎ）を行うことができる。
【０４９８】
図３１は、本発明の一実施例によるブロックインターリーバを用いて制御チャネルマッピングを行う方法の例を説明するための図である。
【０４９９】
ＯＦＤＭ通信システムの時間−周波数リソース分布状況で、時間−周波数領域における任意の個数の物理リソース要素（ＰＲＥ）からなるリソースブロック（ｒｅｓｏｕｒｃｅ  ｂｌｏｃｋ）単位の周波数ダイバーシティを得ることができる。この場合、リソースブロックは、上述したようにＯＦＤＭシンボル単位と見なすこともでき、所定個数の副搬送波を含む副帯域単位と見なすこともできる。
【０５００】
図３１で、
【０５０１】
【数２３−８】
2010525719.tif 000114
【０５０２】
は、任意のリソースブロック当たりＣＣＥ数であり、
【０５０３】
【数２３−９】
2010525719.tif 000115
【０５０４】
は、システムで制御チャネルのために使用される全体リソースブロックの数である。そして、
【０５０５】
【数２３−１０】
2010525719.tif 000116
【０５０６】
は、任意の
【０５０７】
【数２３−１１】
2010525719.tif 000117
【０５０８】
個数のＣＣＥをグルーピング（ｇｒｏｕｐｉｎｇ）する任意のグループのために使用されるリソースブロックの数である。
【０５０９】
各ＯＦＤＭシンボル別に使用可能な物理リソース要素（ＰＲＥ）数が均一でない場合に対して、各ＯＦＤＭシンボル別に別個のブロックインターリービングを通じたマッピングが必要とされうる。この場合において、
【０５１０】
【数２３−１２】
2010525719.tif 000118
【０５１１】
及び場合によって
【０５１２】
【数２３−１３】
2010525719.tif 000119
【０５１３】
は、任意のＯＦＤＭシンボルにおける値として適用されることができる。
【０５１４】
そして、多重アンテナ伝送ダイバーシティ方式を適用するＳＦＢＣに対して
【０５１５】
【数２３−１４】
2010525719.tif 000120
【０５１６】
の伝送アンテナが使用される場合、
【０５１７】
【数２３−１５】
2010525719.tif 000121
【０５１８】
個の副搬送波が一つのリソース要素（ＲＥ）として定義される。
【０５１９】
【数２３−１６】
2010525719.tif 000122
【０５２０】
個の伝送アンテナが使用される場合に対してリソースブロックレベルでＲＥレベル分散伝送モードでマッピングがなされる場合、
【０５２１】
【数２３−１７】
2010525719.tif 000123
【０５２２】
の値は、
【０５２３】
【数２３−１８】
2010525719.tif 000124
【０５２４】
と同一になり、
【０５２５】
【数２３−１９】
2010525719.tif 000125
【０５２６】
は、
【０５２７】
【数２３−２０】
2010525719.tif 000126
【０５２８】
にＣＣＥ当たりのリソース要素（ＲＥ）の数
【０５２９】
【数２３−２１】
2010525719.tif 000127
【０５３０】
を乗じた値として定義され、
【０５３１】
【数２３−２２】
2010525719.tif 000128
【０５３２】
は、
【０５３３】
【数２３−２３】
2010525719.tif 000129
【０５３４】
に
【０５３５】
【数２３−２４】
2010525719.tif 000130
【０５３６】
を乗じた値として定義されることによって、伝送モードに対するマッピングが具現されることができる。
【０５３７】
図３２及び図３３はそれぞれ、本発明の一実施例によって構成されたブロックインターリーバにおける動作例を段階別に示す図である。
【０５３８】
図３２は、ブロックインターリーバへの入力過程と列内シフト動作（ｉｎｔｒａ−ｃｏｌｕｍｎ  ｓｈｉｆｔ）過程を示し、図３３は、列間置換動作（ｉｎｔｅｒ−ｃｏｌｕｍｎ  ｐｅｒｍｕｔａｔｉｏｎ）及び行間置換動作（ｉｎｔｅｒ−ｒｏｗ  ｐｅｒｍｕｔａｔｉｏｎ）過程と出力過程を示す。
【０５３９】
図３２及び図３３を参照してブロックインターリーバ動作について説明すると、段階１で全体制御チャネルに対して使用されるＣＣＥを連続して行（ｒｏｗ）方向にブロックインターリーバに入力し、段階２で各ＣＣＥ別に該当のグループ内の
【０５４０】
【数２３−２５】
2010525719.tif 000131
【０５４１】
個のリソースブロックに自身のＣＣＥ内の変調シンボルを分散させるために
【０５４２】
【数２３−２６】
2010525719.tif 000132
【０５４３】
行単位の列内シフト（ｉｎｔｒａ−ｃｏｌｕｍｎ  ｓｈｉｆｔ）動作を行う。段階２の実施例で、列別移動オフセットは、下記の数学式２４で決定されることができる。
【０５４４】
【数２４−１】
2010525719.tif 000133
【０５４５】
数学式２４で、
【０５４６】
【数２４−２】
2010525719.tif 000134
【０５４７】
は、列（ｃｏｌｕｍｎ）単位移動オフセットを定義する整数値である。
【０５４８】
そして、段階３では、任意のリソースブロック内でＣＣＥを分散させるために列間置換（ｉｎｔｅｒ−ｃｏｌｕｍｎ  ｐｅｒｍｕｔａｔｉｏｎ）を行う。ここで使用される置換パターン（ｐｅｒｍｕｔａｔｉｏｎ  ｐａｔｔｅｒｎ）は、与えられた列（ｃｏｌｕｍｎ）数
【０５４９】
【数２４−３】
2010525719.tif 000135
【０５５０】
に最適化された形態の方式を定義したり、既存に提示された方式を使用したりすることができる。
【０５５１】
この動作は、リソースブロック単位で任意の周波数領域で副搬送波に割り当てられる場合、リソースブロックの周波数帯域が周波数選択的（ｆｒｅｑｕｅｎｃｙ  ｓｅｌｅｃｔｉｖｅ）フェーディングの個ヒーレント帯域幅（ｃｏｈｅｒｅｎｔ  ｂａｎｄｗｉｄｔｈ）よりも大きい場合に適用すると付加的な利得を期待できる。
【０５５２】
また、セル間干渉に対するランダム化（ｒａｎｄｏｍｉｚａｔｉｏｎ）を、セルＩＤまたはセルＩＤとセルグループＩＤを通じてセル別に固有に生成される固定値だけ移動する動作として具現できる。
【０５５３】
そして、他の方法として、セルＩＤとセルグループＩＤから求められる乱数発生関数の生成値を、時間領域における毎サブフレーム単位、周波数領域におけるリソースブロックに該当する行（ｒｏｗ）単位、または時間−周波数領域における上記単位のいずれにも適用して、行別に固有に移動する動作として具現できる。
【０５５４】
段階４では、リソースブロックが全体システム伝送帯域で周波数ダイバーシティ利得を獲得できるように位置させる機能と、セル別固有オフセットを与えてセル間干渉に対する調整（ｃｏｏｒｄｉｎａｔｉｏｎ）を適用する機能を具現することができる。それぞれの機能は、下記の数学式２５で表すことができる。
【０５５５】
【数２５−１】
2010525719.tif 000136
【０５５６】
数学式２５で、
【０５５７】
【数２５−２】
2010525719.tif 000137
【０５５８】
は、任意のシステム伝送帯域における同一グループのリソースブロック間の周波数領域における距離を表す値で、関数
【０５５９】
【数２５−３】
2010525719.tif 000138
【０５６０】
は下記の数学式２６で表すことができる。
【０５６１】
【数２６−１】
2010525719.tif 000139
【０５６２】
数学式２６で、
【０５６３】
【数２６−２】
2010525719.tif 000140
【０５６４】
が帯域内の設定されたグループ数と定義される場合、
【０５６５】
【数２６−３】
2010525719.tif 000141
【０５６６】
は、下記の数学式２７で表現されることができる。ここで、
【０５６７】
【数２６−４】
2010525719.tif 000142
【０５６８】
は、任意の伝送帯域で使用される全体リソースブロック数
【０５６９】
【数２６−５】
2010525719.tif 000143
【０５７０】
に対してグループ当たりリソースブロック数
【０５７１】
【数２６−６】
2010525719.tif 000144
【０５７２】
で除算した値になりうる。
【０５７３】
【数２７−１】
2010525719.tif 000145
【０５７４】
そして、セル間干渉の調整（ｃｏｏｒｄｉｎａｔｉｏｎ）の役割を果たす
【０５７５】
【数２７−２】
2010525719.tif 000146
【０５７６】
関数は、
【０５７７】
【数２７−３】
2010525719.tif 000147
【０５７８】
が基地局内のセル数
【０５７９】
【数２７−４】
2010525719.tif 000148
【０５８０】
に比べて大きいまたは等しいという前提の下に最も基本的に定義すると、下記の数学式２８で示される。
【０５８１】
【数２８−１】
2010525719.tif 000149
【０５８２】
最後の段階５で、ブロックインターリーバの行方向に順次に読み取って出力し、各行（ｒｏｗ）の要素に該当する変調シンボルが、各リソースブロックのリソース要素（ＲＥ）にマッピングされる。
【０５８３】
図３４は、本発明の一実施例によるＣＣＥ−ｔｏ−ＲＥ  ｍａｐｐｉｎｇ過程を順に示す流れ図である。
【０５８４】
すなわち、図３１乃至図３３で説明した５段階によってセルＡでブロックインターリービング動作を具現する場合、各段階別に動作を行った結果による各ＣＣＥ及びＣＣＥ内の変調シンボルの位置変化を示している。そして、最下段には、図３２乃至図３４で説明した５段階によって他のセル、すなわち、セルＢでブロックインターリービング動作を具現するものの、セルＡとは異なる移動オフセット、置換パターンで行った結果による各ＣＣＥ及びＣＣＥ内の変調シンボルの位置変化を示している。
【０５８５】
実施例７
本実施例によれば、様々な下り制御チャネルのうち任意の制御チャネルが一つ以上のＯＦＤＭシンボルにわたって伝送される時、各ＯＦＤＭシンボルを通じて伝送される該当の制御チャネルの任意のＣＣＥを構成する変調シンボルまたはｍｉｎｉ−ＣＣＥに対してインターリービングを行うことができる。すなわち、該当の制御チャネルのＣＣＥの変調シンボルまたはｍｉｎｉ−ＣＣＥをｎ個ＯＦＤＭシンボルに伝送できるようにｎ個グループに区分し、各グループがマッピングされるＯＦＤＭシンボルを考慮して同一ＯＦＤＭシンボルを通じて伝送されるＣＣＥの変調シンボルまたはｍｉｎｉ−ＣＣＥに対してインターリービングを行う。
【０５８６】
以下では、ｍｉｎｉ−ＣＣＥに対してマッピングが行われる場合に限定して説明する。しかし、これは各変調シンボルに対するマッピングにも同一に適用できることは当然である。
【０５８７】
図３５は、本発明の一実施例によって、ＯＦＤＭシンボル別インターリービング後にマッピングする方法の一例を説明するための図である。
【０５８８】
図３５を参照すると、制御チャネルの単位要素であるＣＣＥを組み合わせてインターリービングを行った後、一つ以上のＯＦＤＭシンボルにマッピングする過程の一例を確認することができる。特に、図３５のインターリービングは、同一ＯＦＤＭシンボルを通じて伝送されるＣＣＥ内のｍｉｎｉ−ＣＣＥに対して行われている。
【０５８９】
まず、制御チャネルは、一つ以上のＣＣＥからなり、段階Ｓ２００で、各ＣＣＥは、一つ以上のサブブロックに区分される。これは、制御チャネルが一つ以上のＯＦＤＭシンボルを通じて伝送される場合、各ＣＣＥが、制御チャネルが伝送されるＯＦＤＭシンボルに均一に分布して伝送されるようにし、ダイバーシティ利得を高め、できるだけシンボル別電力を均一にするためである。
【０５９０】
図３５では、制御チャネルが伝送されるＯＦＤＭシンボル数が３の場合、ＣＣＥであるＣＣＥ１（２１）、ＣＣＥ２（２２）、ＣＣＥ３（２３）はそれぞれ３個のサブブロックに区分される例を示す。そして、この時、各ＣＣＥのサブブロックの大きさ、すなわち、各サブブロックに含まれるｍｉｎｉ−ＣＣＥの数は、各ＯＦＤＭシンボル別に全体使用可能なリソース要素のうち参照信号（ｒｅｆｅｒｅｎｃｅ  ｓｉｇｎａｌ）などの特定信号やチャネルが使用するリソース要素を除いた残りのリソース要素のうち、特定制御チャネルまたは全体制御チャネルの伝送に使用できる物理リソース要素グループの比率にしたがって決定されることができる。
【０５９１】
この場合、各ＣＣＥの１番目のサブブロックに含まれるｍｉｎｉ−ＣＣＥは、１番目のＯＦＤＭシンボル２７を通じて伝送され、２番目のサブブロックに含まれるｍｉｎｉ−ＣＣＥは、２番目のＯＦＤＭシンボル２８を通じて伝送され、３番目のサブブロックに含まれるｍｉｎｉ−ＣＣＥは３番目のＯＦＤＭシンボル２９を通じて伝送されることができる。
【０５９２】
まず、ｉ番目のＯＦＤＭシンボル内の可用物理リソース要素数を
【０５９３】
【数２８−２】
2010525719.tif 000150
【０５９４】
とすれば、ｉ番目のＯＦＤＭシンボル内の可用リソース要素グループ数
【０５９５】
【数２８−３】
2010525719.tif 000151
【０５９６】
は、下記の数学式２９で表すことができる。
【０５９７】
【数２９−１】
2010525719.tif 000152
【０５９８】
数学式２９で、ｋは、上述したように、多重アンテナ伝送ダイバーシティ方式が適用される場合に使用されるもので、１ｍｉｎｉ−ＣＣＥに使用されるリソース要素の数を表す変数である。
【０５９９】
数学式２９で、可用リソース要素グループ数
【０６００】
【数２９−２】
2010525719.tif 000153
【０６０１】
は、ｉ番目のＯＦＤＭシンボル内で参照信号、ＰＣＦＩＣＨ、ＰＨＩＣＨ、ＰＩＣＨなどのチャネルの全部または一部の伝送のために使用されるリソース要素グループの数は除いて決定されることができる。
【０６０２】
下記の数学式３０は、各ＣＣＥをサブブロックに区分する時、各サブブロックに含まれるｍｉｎｉ−ＣＣＥの数を決定する方法の一例を表す。
【０６０３】
【数３０−１】
2010525719.tif 000154
【０６０４】
数学式３０は、一つのＣＣＥに含まれる総ｍｉｎｉ−ＣＣＥ数
【０６０５】
【数３０−２】
2010525719.tif 000155
【０６０６】
を、制御チャネルが伝送されるＯＦＤＭシンボル内の可用リソース要素グループ数
【０６０７】
【数３０−３】
2010525719.tif 000156
【０６０８】
に対するｉ番目のＯＦＤＭシンボル内の可用リソース要素グループ数
【０６０９】
【数３０−４】
2010525719.tif 000157
【０６１０】
の割合で乗じて、各サブブロックに含まれるｍｉｎｉ−ＣＣＥの数を決定する方法を表す。
【０６１１】
数学式３０の方法で各サブブロックに含まれるｍｉｎｉ−ＣＣＥの数
【０６１２】
【数３０−５】
2010525719.tif 000158
【０６１３】
を決定すると、各ＣＣＥをＯＦＤＭシンボル別可用リソース要素グループ数の割合で各サブブロックの大きさを決定することによって、本実施例によるＯＦＤＭシンボルに伝送されるｍｉｎｉ−ＣＣＥ別にインターリービングを行う方法をより效果的に行うことができる。
【０６１４】
このように各サブブロックの大きさが決定されると、段階Ｓ２１０で、ＣＣＥのそれぞれからＯＦＤＭシンボル別サブブロックを組み合わせてインターリービング集合を構成する。ここで、インターリービング集合は、インターリービングが行われる単位を意味し、図３５では、１番目のＯＦＤＭシンボルと関連するインターリービング集合２４、２番目のＯＦＤＭシンボルと関連するインターリービング集合２５、３番目のＯＦＤＭシンボルと関連するインターリービング集合２６が示されている。
【０６１５】
そして、段階Ｓ２２０で、各インターリービング集合別にインターリービングが行われる。すなわち、ＯＦＤＭシンボル別インターリービングが行われる。この時、インターリービングは、多重セル環境でセル特定パターンで行なわれることもでき、セル共通のパターンで行なわれることもできる。セル共通のパターンでインターリービングが行われる場合には、セル間干渉を低減できるように乱数パターンを使用したり、セル間干渉を低減できる特定置換パターンや任意の特定置換パターンを使用したりすることができ、セルＩＤのようなセル固有の情報を用いてセル別特定値でシフトする方法を使用することもできる。
【０６１６】
段階Ｓ２２０のインターリービングにおいて、ブロックインターリーバを使用することができる。ブロックインターリーバを使用してブロックインターリーバの行（ｒｏｗ）または列（ｃｏｌｕｍｎ）別にインターリービングが行われることができる。この時、インターリービングパターンは、上述した通り、乱数パターンまたは特定置換パターンを使用することができる。ブロックインターリーバの構成及び動作についての具体的な事項は、図３５を参照してより具体的に説明する。
【０６１７】
このようにしてインターリービングが行なわれると、段階Ｓ２３０で、各ＯＦＤＭシンボル別にインターリービングが行われたｍｉｎｉ−ＣＣＥを、１番目のＯＦＤＭシンボル２７、２番目のＯＦＤＭシンボル２８、３番目のＯＦＤＭシンボル２９のうち、該当のＯＦＤＭシンボル内のリソース要素グループにマッピングさせて伝送する。
【０６１８】
任意のサブフレームで制御チャネルの伝送に要求されるＣＣＥ数または制御チャネル数を最大限に支援するように、該当の制御チャネルのそれぞれの個別ＯＦＤＭシンボルに割り当てるｍｉｎｉ−ＣＣＥの数を制御チャネル上またはＣＣＥ上のインデックスにしたがって別々に設定することができる。
【０６１９】
例えば、制御チャネルまたはＣＣＥ上のインデックスに基づいて奇数インデックスと偶数インデックス別にそれぞれ設定する、または、全体インデックスのうち任意の周期に設定されるインデックスに、残りのインデックスとは異なるｍｉｎｉ−ＣＣＥ数を設定することができる。そして、任意のインデックスを指定し、これらインデックスと残りインデックス間の任意のＯＦＤＭシンボル上のｍｉｎｉ−ＣＣＥを異なって設定することができる。
【０６２０】
次に、制御チャネルのＣＣＥのための各ＯＦＤＭシンボルに割り当てる各ｍｉｎｉ−ＣＣＥの数を個別に決定する方法の一例を説明する。
【０６２１】
下記の数学式３１は、１サブフレーム内の制御チャネルの全体ＣＣＥのうち、ｊ番目のＣＣＥ内の全体ｍｉｎｉ−ＣＣＥがｉ番目ＯＦＤＭシンボルにそれぞれいくつずつ伝送されるかを表す
【０６２２】
【数３０−６】
2010525719.tif 000159
【０６２３】
を決定する方法の一例を表す。
【０６２４】
【数３１−１】
2010525719.tif 000160
【０６２５】
数学式３１で、各サブブロックに含まれるｍｉｎｉ−ＣＣＥの数
【０６２６】
【数３１−２】
2010525719.tif 000161
【０６２７】
は、数学式３０で計算された値を使用することができる。そして、数学式３１の下段は、ＣＣＥを区分するインデックスｊが、０から各ＯＦＤＭシンボルを通じて伝送されうるＣＣＥ数のうち最も小さい値までになりうることを表す。
【０６２８】
下記の表６は、ｎ＝３の場合、上の数学式３１を通じて
【０６２９】
【数３１−３】
2010525719.tif 000162
【０６３０】
を決定した結果の一例を表す。
【０６３１】
【表６】
2010525719.tif 000163
【０６３２】
もし、サブブロックを構成する比率が
【０６３３】
【数３１−４】
2010525719.tif 000164
【０６３４】
値としてすべてのＣＣＥに同一に用いられると、各ＣＣＥ別に１：３：５の割合で各ＯＦＤＭシンボル別ｍｉｎｉ−ＣＣＥ数が決定される。しかし、数学式３１を通じて各ＣＣＥ別に異なる比率を適用すると、表６から確認できるように、２番目のＣＣＥ（ＣＣＥ，ｊ＝１）は、２：３：４の割合で適用して１番目のＯＦＤＭシンボルに伝送されるｍｉｎｉ−ＣＣＥ数を増加させ、３番目のＯＦＤＭシンボルに伝送されるｍｉｎｉ−ＣＣＥ数を減少させることができる。
【０６３５】
【数３１−５】
2010525719.tif 000165
【０６３６】
値のまま固定した割合を適用せずに、その比率の所定範囲で柔軟にＯＦＤＭシンボル別に伝送されるｍｉｎｉ−ＣＣＥ数を調節できるから、制御チャネルの伝送に要求されるＣＣＥの数または制御チャネル数を、
【０６３７】
【数３１−６】
2010525719.tif 000166
【０６３８】
値のまま固定した比率を適用した場合に比べて多く支援可能である。
【０６３９】
下記の数学式３２は、１サブフレーム内の制御チャネルの全体ＣＣＥのうちｊ番目ＣＣＥ内の全体ｍｉｎｉ−ＣＣＥが、ｉ番目のＯＦＤＭシンボルにそれぞれいくつずつ伝送されるかを表す
【０６４０】
【数３１−７】
2010525719.tif 000167
【０６４１】
を決定する方法の他の例を表す。
【０６４２】
【数３２−１】
2010525719.tif 000168
【０６４３】
数学式３２についての説明は、上の数学式３１と略同様である。そして、ｎ＝３のの場合、上の数学式３２を通じて
【０６４４】
【数３２−２】
2010525719.tif 000169
【０６４５】
を決定した結果の一例を、下記の表７で示す。
【０６４６】
【表７】
2010525719.tif 000170
【０６４７】
表７の場合も、３番目のＣＣＥ（ＣＣＥ，ｊ＝２）は、３：２：４の割合を適用し、１番目のＯＦＤＭシンボルに伝送されるｍｉｎｉ−ＣＣＥ数を増加させ、２番目のＯＦＤＭシンボルに伝送されるｍｉｎｉ−ＣＣＥ数を減少させる例を示す。
【０６４８】
下記の数学式３３は、１サブフレーム内の制御チャネルの全体ＣＣＥのうちｊ番目のＣＣＥ内の全体ｍｉｎｉ−ＣＣＥが、ｉ番目ＯＦＤＭシンボルにそれぞれいくつずつ伝送されるかを表す
【０６４９】
【数３２−３】
2010525719.tif 000171
【０６５０】
を決定する方法の他の例を表す。
【０６５１】
【数３３−１】
2010525719.tif 000172
【０６５２】
数学式３３についての説明は、上の数学式３１と略同様である。そして、ｎ＝２の場合、上の数学式３３を通じて
【０６５３】
【数３３−２】
2010525719.tif 000173
【０６５４】
を決定した結果の一例を、下記の表８で表す。
【０６５５】
【表８】
2010525719.tif 000174
【０６５６】
上に説明した該当の制御チャネルのそれぞれの個別ＯＦＤＭシンボルに割り当てるｍｉｎｉ−ＣＣＥの数を、全体制御チャネル上またはＣＣＥ上のインデックスにしたがって別々に設定する方法は、各ＯＦＤＭシンボル別に全体のうちの特定制御チャネルまたは全体制御チャネルに対して、可用リソース要素グループの比率によって該当の制御チャネルのそれぞれの個別ＯＦＤＭシンボルに割り当てるｍｉｎｉ−ＣＣＥの数を算出する時、正の整数として計算されない場合に適用されることができる。
【０６５７】
そして、上述したように、該当の制御チャネルと異なる異種制御チャネルが伝送されるリソース要素グループを除いて該当の制御チャネルに対する可用リソース要素グループの数を算出することができる。この場合、異種制御チャネルが伝送されるＯＦＤＭシンボルまたはＯＦＤＭシンボル別リソース要素グループ数が変動すると、該当の制御チャネルのための可用リソース要素グループの数も変動可能になるから、このような場合にも適用されることができる。
【０６５８】
すなわち、任意の制御チャネルが３個のＯＦＤＭシンボルを通じて伝送される時、表６及び表７はそれぞれ、異種制御チャネルが１番目のＯＦＤＭシンボルを通じて伝送される場合と、異種制御チャネルが制御チャネル伝送用に割り当てられた３個のＯＦＤＭシンボル全部を通じて伝送される場合に適用できる例となりうる。そして、任意の制御チャネルが２個のＯＦＤＭシンボルを通じて伝送される時、表８は、異種制御チャネルが１番目のＯＦＤＭシンボルと２番目のＯＦＤＭシンボルを通じて伝送される場合に適用できる。
【０６５９】
実施例８
図３６は、本発明の一実施例によって異種制御チャネルを共に伝送する方法の一例を説明するための図である。
【０６６０】
本実施例では、様々な異種制御チャネルを伝送する時に各制御チャネル種類別にインターリービングを行うよりは、１種類以上の制御チャネルのＣＣＥを構成するｍｉｎｉ−ＣＣＥに対してインターリービングを行う方法を提供する。
【０６６１】
上述したように、下り制御チャネルには、下り伝送データに対する制御情報を伝送するＰＤＣＣＨの他に、参照信号、ＰＣＦＩＣＨ、ＰＨＩＣＨ、ＰＩＣＨなどの多種の制御チャネルが含まれることができる。
【０６６２】
図３６では、ＰＣＦＩＣＨチャネル３０、ＰＨＩＣＨチャネル３１、ＰＤＣＣＨチャネル３２が下り制御チャネルとして伝送される例を示す。ここで、一般的に、ＰＣＦＩＣＨ３０の場合、伝送されるＯＦＤＭシンボル内の位置があらかじめ決定されているから別に考慮しても、ＰＨＩＣＨチャネル３１とＰＤＣＣＨチャネル３２は共に考慮してＯＦＤＭシンボルのリソース要素グループにマッピングさせて伝送することができる。
【０６６３】
この時、ＰＨＩＣＨチャネル３１とＰＤＣＣＨチャネル３２は共に考慮してインターリービングを行い、ＯＦＤＭシンボルのリソース要素グループにマッピングさせて伝送でき、また、インターリービングに、図３５で説明したＯＦＤＭシンボル別に伝送されるｍｉｎｉ−ＣＣＥ別に行う方法を適用することもできる。
【０６６４】
例えば、段階Ｓ３００で、ＰＨＩＣＨチャネル３１、ＰＤＣＣＨチャネル３２のＣＣＥを全て考慮してインターリービングを行うためのインターリービング集合を決定し、段階Ｓ３１０で、インターリービングを行い、一つ以上のＯＦＤＭシンボルを通じて伝送することができる。段階Ｓ３００でインターリービング集合を決定するためには、図３５で説明した方法と同一または類似の方法を適用することができる。
【０６６５】
ＰＨＩＣＨチャネルは、ＯＦＤＭシンボル使用に対してＰＤＣＣＨチャネルと別に定義されることができる。例えば、ＰＤＣＣＨチャネル伝送に総３個のＯＦＤＭシンボルが使用される場合にも、ＰＨＩＣＨチャネルは１個のＯＦＤＭシンボルのみを使用されることもできる。
【０６６６】
すなわち、ＰＨＩＣＨチャネルは、制御チャネルが伝送される総ＯＦＤＭシンボルのうち少なくとも一つのＯＦＤＭシンボルを選択的に用いて伝送されることができる。このようにＰＨＩＣＨチャネルが伝送されるＯＦＤＭシンボルは、ＰＨＩＣＨチャネルデュレーション（ＰＨＩＣＨ  Ｃｈａｎｎｅｌ  Ｄｕｒａｔｉｏｎ）と定義でき、これは、正常モードと拡張モードとに区別することができる。例えば、正常モードでは、制御チャネルが伝送される総ＯＦＤＭシンボルのうち１番目のＯＦＤＭシンボルを用いてＰＨＩＣＨチャネルを伝送し、拡張モードでは、制御チャネルが伝送される総ＯＦＤＭシンボルを全て用いてＰＨＩＣＨチャネルを伝送すると定義できる。
【０６６７】
以下では、ＰＨＩＣＨチャネルデュレーションが１の場合は、ＰＨＩＣＨチャネルが１番目のＯＦＤＭシンボルを用いて伝送され、ＰＨＩＣＨチャネルデュレーションが２の場合は、ＰＨＩＣＨチャネルが１番目のＯＦＤＭシンボルと２番目のＯＦＤＭシンボルを用いて伝送され、ＰＨＩＣＨチャネルデュレーションが３の場合は、ＰＨＩＣＨチャネルが１番目のＯＦＤＭシンボル、２番目のＯＦＤＭシンボル及び３番目のＯＦＤＭシンボルを用いて伝送されるとして説明する。
【０６６８】
図３７は、本発明の一実施例によってＰＨＩＣＨチャネルに対してもＯＦＤＭシンボル別インターリービングを行う時に各ＯＦＤＭシンボルを通じて伝送されるＰＨＩＣＨチャネルのｍｉｎｉ−ＣＣＥを割り当てる方法の一例を説明するための図である。
【０６６９】
図３７では、一つのサブフレームを通じて総Ｋ個のＰＨＩＣＨチャネルが伝送され、ＳＦ＝４の拡散ファクタ（Ｓｐｒｅａｄｉｎｇ  Ｆａｃｔｏｒ）で拡張された各ＰＨＩＣＨチャネルが３回ずつ反復されるとし、３個のブロックを示した。すなわち、一つのＰＨＩＣＨチャネルがＳＦ＝４で拡張されたので、４個のシンボルで構成されるｍｉｎｉ−ＣＣＥ単位でマッピングする時に、一つのブロックが一つのｍｉｎｉ−ＣＣＥに相応すると見なすことができる。
【０６７０】
図３７の（ａ）は、ＰＨＩＣＨチャネルデュレーションが１の場合、各ＯＦＤＭシンボルを通じて伝送されるＰＨＩＣＨチャネルのｍｉｎｉ−ＣＣＥを割り当てる方法の一例を示す。ＰＨＩＣＨチャネルデュレーションが１の場合は、１番目のＯＦＤＭシンボルを通じてのみＰＨＩＣＨチャネルが伝送されるので、別の割当無しでＫ個のＰＨＩＣＨチャネルが全て１番目のＯＦＤＭシンボルインターリービングで一緒にインターリービングされる。
【０６７１】
図３７の（ｂ）は、ＰＨＩＣＨチャネルデュレーションが２の場合、各ＯＦＤＭシンボルを通し伝送されるＰＨＩＣＨチャネルのｍｉｎｉ−ＣＣＥを割り当てる方法の一例を示す。ＰＨＩＣＨチャネルデュレーションが２の場合、には１番目のＯＦＤＭシンボルと２番目のＯＦＤＭシンボルを通じてＰＨＩＣＨチャネルが伝送されるので、本実施例のように一つのＰＨＩＣＨチャネルが３個のｍｉｎｉ−ＣＣＥで構成される場合、一つのＰＨＩＣＨチャネルを二つのＯＦＤＭシンボルを均等に用いて伝送することは困難である。したがって、本実施例では、ＰＨＩＣＨチャネル別に各ＯＦＤＭシンボルを使用する比率を異ならせ、全体Ｋ個のＰＨＩＣＨチャネルを考慮した時、二つのＯＦＤＭシンボルを均等に用いて伝送させることができる。
【０６７２】
すなわち、図３７の（ｂ）に示すように、ＰＨＩＣＨチャネル＃０の２個のｍｉｎｉ−ＣＣＥは１番目のＯＦＤＭシンボルに伝送し、残り１個のｍｉｎｉ−ＣＣＥは２番目のＯＦＤＭシンボルに伝送する。これと違い、ＰＨＩＣＨチャネル＃１の場合は、１個のｍｉｎｉ−ＣＣＥは１番目のＯＦＤＭシンボルに伝送し、残り２個のｍｉｎｉ−ＣＣＥは２番目のＯＦＤＭシンボルに伝送できる。このようなパターンを反復することによって全体Ｋ個のＰＨＩＣＨチャネルを考慮した時、二つのＯＦＤＭシンボルを均等に用いて伝送可能になる。
【０６７３】
図３７の（ｃ）は、ＰＨＩＣＨチャネルデュレーションが３の場合、各ＯＦＤＭシンボルを通じて伝送されるＰＨＩＣＨチャネルのｍｉｎｉ−ＣＣＥを割り当てる方法の一例を示す。この場合、各ＰＨＩＣＨチャネルがいずれも３個のｍｉｎｉ−ＣＣＥで構成されるので、各ＰＨＩＣＨチャネルの各ｍｉｎｉ−ＣＣＥが各ＯＦＤＭシンボルを通じて伝送されることができる。
【０６７４】
図３７では、各ＰＨＩＣＨチャネルがいずれも３個のｍｉｎｉ−ＣＣＥで構成される例を取り上げて簡単に説明したが、これは制限無く拡張可能である。下記の数学式３４は、ｋ番目のＰＨＩＣＨチャネルでｉ番目ＯＦＤＭシンボルを通じて伝送されるｍｉｎｉ−ＣＣＥ数
【０６７５】
【数３３−３】
2010525719.tif 000175
【０６７６】
を決定する方法の一例を表す。
【０６７７】
【数３４−１】
2010525719.tif 000176
【０６７８】
数学式３４で、
【０６７９】
【数３４−２】
2010525719.tif 000177
【０６８０】
はＰＨＩＣＨチャネルデュレーションを表し、
【０６８１】
【数３４−３】
2010525719.tif 000178
【０６８２】
は各ＰＨＩＣＨチャネル内の総ｍｉｎｉ−ＣＣＥ数を表す。
【０６８３】
一方、異種制御チャネルのうち任意の制御チャネルが安定した周波数ダイバーシティを要求する場合、インターリービング以前の入力段で分散させて多重化することで、それを満足させることができる。
【０６８４】
図３８は、本発明の一実施例によって２つ以上の異種制御チャネルに対して共にＯＦＤＭシンボル別インターリービングを行って伝送する方法の一例を説明するための図である。
【０６８５】
図３８は、図３５の実施例と略同一の方法であり、ただし、ＰＤＤＣＨチャネルとＡＣＫ／ＮＡＣＫ伝送のためのＰＨＩＣＨチャネルの異種制御チャネルが共に考慮される点が異なる。特に、図３８は、ＰＤＤＣＨチャネルが３個のＯＦＤＭシンボルを通じて伝送される時、ＰＨＩＣＨチャネルは１番目のＯＦＤＭシンボルにのみ伝送される場合を示す。図３８に示すように、１番目のＯＦＤＭシンボルに対するインターリーバ５０には、ＰＨＩＣＨチャネルと１番目のＯＦＤＭシンボルを通じて伝送されると決定されたＰＤＤＣＨチャネルの各ＣＣＥ内のｍｉｎｉ−ＣＣＥが共に入力されてインターリービングが行われる。
【０６８６】
図３９は、本発明の一実施例によって２つ以上の制御チャネルに対して共にＯＦＤＭシンボル別インターリービングを行って伝送する方法の他の例を説明するための図である。
【０６８７】
図３９の場合も、図３５の実施例と略同一な方法であり、ただし、ＰＤＤＣＨチャネルとＰＨＩＣＨチャネルの異種制御チャネルが共に考慮される点が異なる。特に、図３９は、ＰＤＣＣＨチャネルが３個のＯＦＤＭシンボルを通じて伝送される時にＰＨＩＣＨチャネルも３個のＯＦＤＭシンボルを通じて伝送される場合を示す。
【０６８８】
図３９に示すように、１番目のＯＦＤＭシンボルに対するインターリーバ６０には、１番目のＯＦＤＭシンボルを通じて伝送されると決定されたＰＨＩＣＨチャネルのｍｉｎｉ−ＣＣＥとＰＤＤＣＨチャネルの各ＣＣＥ内のｍｉｎｉ−ＣＣＥが共に入力されてインターリービングが行われる。そして、２番目のＯＦＤＭシンボルに対するインターリーバ６１には、２番目のＯＦＤＭシンボルを通じて伝送されると決定されたＰＨＩＣＨチャネルのｍｉｎｉ−ＣＣＥとＰＤＤＣＨチャネルの各ＣＣＥ内のｍｉｎｉ−ＣＣＥが共に入力されてインターリービングが行われる。また、３番目のＯＦＤＭシンボルに対するインターリーバ６２には、３番目のＯＦＤＭシンボルを通じて伝送されると決定されたＰＨＩＣＨチャネルのｍｉｎｉ−ＣＣＥとＰＤＤＣＨチャネルの各ＣＣＥ内のｍｉｎｉ−ＣＣＥが共に入力されてインターリービングが行われる。
【０６８９】
図３８及び図３９のように、２つ以上の異種制御チャネルが共にインターリービングされる場合には、各ＯＦＤＭシンボル内で可用リソース要素グループ数を決定する時、共にインターリービングされる異種制御チャネルが伝送されるリソース要素グループは除くことなく一緒に考慮される。また、図３８及び図３９のように順次的な方式で多重化されることもでき、周波数領域ダイバーシティの最適化を目的として分散化して多重化されることもできる。
【０６９０】
以下では、本発明によってＯＦＤＭシンボル別にインターリービングを行う際に、ブロックインターリーバを使用する方法について説明する。特に、ブロックインターリーバにおいて、入力方向と出力方向とが異なるブロックインターリーバを使用することができる。入力方向と出力方向とを異ならせて使用する簡単な方法を通じてブロックインターリーバに入力される前の構成要素間の順序とインターリーバから出力される構成要素間の順序に変化を与え、バランスよく分布する結果を得ることができる。
【０６９１】
この時、任意の行方向入力（ｒｏｗ−ｗｉｓｅ  ｗｒｉｔｉｎｇ）と列方向出力（ｃｏｌｕｍｎ−ｗｉｓｅ  ｒｅａｄｉｎｇ）を行うするブロックインターリーバでは、列（ｃｏｌｕｍｎ）単位で構成要素の行（ｒｏｗ）位置を置換して出力する。逆に、任意の列方向入力（ｃｏｌｕｍｎ−ｗｉｓｅ  ｗｒｉｔｉｎｇ）と行方向出力（ｒｏｗ−ｗｉｓｅ  ｒｅａｄｉｎｇ）を行うブロックインターリーバでは、行（ｒｏｗ）単位で構成要素の列（ｃｏｌｕｍｎ）位置を置換して出力する。
【０６９２】
この時、置換は、所定の乱数パターンによる再整列とすることもでき、特定パターンによる置換とすることもできる。パターン生成において、規則を使用する場合、該当の列（ｃｏｌｕｍｎ）または行（ｒｏｗ）インデックスに基づいて規則を生成して適用することもでき、列（ｃｏｌｕｍｎ）または行（ｒｏｗ）インデックスにかからわずに規則を生成して適用することもできる。セル間干渉を減らすために置換されたパターンに対してセルＩＤのようなセル特定情報を用いて循環シフトされた形態のパターンを生成できる。
【０６９３】
本実施例によって制御チャネル伝送に使用されるＯＦＤＭシンボル別にインターリービングを行う際に、各ＯＦＤＭシンボル別にブロックインターリーバを具現してインターリービングを行うことができる。そして、任意のＯＦＤＭシンボル別インターリーバの構成を行（ｒｏｗ）個数及び列（ｃｏｌｕｍｎ）個数で定義する時、各シンボルインターリーバの行（ｒｏｗ）個数及び列（ｃｏｌｕｍｎ）個数は同一に設定されることもでき、任意の目的に応じて別々に設定されることもできる。
【０６９４】
次に、行方向入力（ｒｏｗ−ｗｉｓｅ  ｗｒｉｔｉｎｇ）と列方向出力（ｃｏｌｕｍｎ−ｗｉｓｅ  ｒｅａｄｉｎｇ）を行うブロックインターリーバに対する構成及び動作を説明する。列方向入力（ｃｏｌｕｍｎ−ｗｉｓｅ  ｗｒｉｔｉｎｇ）と行方向出力（ｒｏｗ−ｗｉｓｅ  ｒｅａｄｉｎｇ）を行うブロックインターリーバにおいても、行（ｒｏｗ）または列（ｃｏｌｕｍｎ）の方向が異なるだけで、具体的な動作は同一に適用されることができる。
【０６９５】
ＯＦＤＭシンボル別ブロックインターリーバの列（ｃｏｌｕｍｎ）個数を定義する時、全ての制御チャネルまたはＣＣＥの該当のＯＦＤＭシンボルに割り当てるｍｉｎｉ−ＣＣＥの個数に関連付けて定義することができる。もちろん、任意の目的によって任意の規則を使用して列（ｃｏｌｕｍｎ）の個数を定義する方案も可能である。行（ｒｏｗ）個数を定義する時は、入力として取り込まれるｍｉｎｉ−ＣＣＥの総個数に基づいてまず基本行（ｒｏｗ）サイズを設定し、以降、各列別再整列または置換に対する任意の設定された規則に基づいて、基本行（ｒｏｗ）サイズとは異なる行サイズに変更設定される方法を使用することができる。
【０６９６】
相異なる種類の制御チャネルに対して共にインターリービングを行う場合、特定チャネルの任意の特徴及び要求される事項を考慮して行（ｒｏｗ）個数と列（ｃｏｌｕｍｎ）個数を設定する方法と各列内置換を行う方案を、上記の目的に基づく特定値とパターンを設定して使用することもできる。
【０６９７】
下記の数学式３５は、ＰＤＣＣＨチャネルにのみインターリービングを適用する場合にＯＦＤＭシンボル別インターリーバの列（ｃｏｌｕｍｎ）個数
【０６９８】
【数３４−４】
2010525719.tif 000179
【０６９９】
を定める方法の一例を表し、数学式３６は、ＰＤＣＣＨチャネルとＰＨＩＣＨチャネルが共にインターリービングされる場合にＯＦＤＭシンボル別インターリーバの列（ｃｏｌｕｍｎ）個数
【０７００】
【数３４−５】
2010525719.tif 000180
【０７０１】
を定める方法の一例を表す。
【０７０２】
【数３５】
2010525719.tif 000181
【０７０３】
【数３６−１】
2010525719.tif 000182
【０７０４】
数学式３５及び数学式３６で
【０７０５】
【数３６−２】
2010525719.tif 000183
【０７０６】
は、ｉ番目のＯＦＤＭシンボルを通じて伝送されるｊ番目のＣＣＥのｍｉｎｉ−ＣＣＥ数を表し、数学式３６で、
【０７０７】
【数３６−３】
2010525719.tif 000184
【０７０８】
は、ｉ番目のＯＦＤＭシンボルを通じて伝送されるｋ番目のＰＨＩＣＨチャネルのｍｉｎｉ−ＣＣＥ数を表す。
【０７０９】
下記の数学式３７は、ＰＤＣＣＨチャネルにのみインターリービングを適用する場合にＯＦＤＭシンボル別インターリーバの行（ｒｏｗ）個数
【０７１０】
【数３６−４】
2010525719.tif 000185
【０７１１】
を定める方法の一例を表し、数学式３８は、ＰＤＣＣＨ制御チャネルとＰＨＩＣＨチャネルが共にインターリービングされる場合にＯＦＤＭシンボル別インターリーバの行（ｒｏｗ）個数
【０７１２】
【数３６−５】
2010525719.tif 000186
【０７１３】
を定める方法の一例を表す。
【０７１４】
【数３７】
2010525719.tif 000187
【０７１５】
【数３８−１】
2010525719.tif 000188
【０７１６】
数学式３７及び数学式３８で、
【０７１７】
【数３８−２】
2010525719.tif 000189
【０７１８】
は、ｉ番目のＯＦＤＭシンボルを通じて伝送されるＰＤＣＣＨチャネルに対するｍｉｎｉ−ＣＣＥの数を表し、数学式３８で、
【０７１９】
【数３８−３】
2010525719.tif 000190
【０７２０】
は、ｉ番目のＯＦＤＭシンボルを通じて伝送されるＰＨＩＣＨチャネルに対するｍｉｎｉ−ＣＣＥの数を表す。この時、
【０７２１】
【数３８−４】
2010525719.tif 000191
【０７２２】
は、下記の数学式３９のように決定されることができる。
【０７２３】
【数３９−１】
2010525719.tif 000192
【０７２４】
数学式３９で、ＳＦは拡散ファクタを、ＲＰＦはＰＨＩＣＨチャネルが反復される回数を表し、
【数３９−２】
2010525719.tif 000193
【０７２５】
はシステム帯域幅別に割り当てられる上りリソースブロック（ＵＬＶＲＢ）の個数を表す。
【０７２６】
【数３９−３】
2010525719.tif 000194
【０７２７】
値は、システム帯域幅によって可変する。
【０７２８】
下りＰＨＩＣＨチャネル伝送において、伝送されるリソースの位置は、各端末がどの上りリソースブロックを用いてデータを伝送するかによって決定されることができる。例えば、システム帯域幅が５ＭＨｚの場合に上りリソースブロックの個数は２５であり、どのリソースブロックでデータを伝送したかによらず、下りＰＨＩＣＨチャネルはそのリソースブロックを知らせなければならないので、最大値である２５を
【０７２９】
【数３９−４】
2010525719.tif 000195
【０７３０】
に設定することができる。すなわち、システム帯域幅によって
【０７３１】
【数３９−５】
2010525719.tif 000196
【０７３２】
が変動できるので、数学式３９のように
【０７３３】
【数３９−６】
2010525719.tif 000197
【０７３４】
を変数としてｉ番目のＯＦＤＭシンボルを通じて伝送されるＰＨＩＣＨチャネルに対するｍｉｎｉ−ＣＣＥの数が決定されることができる。
【０７３５】
ブロックインターリーバのシンボルインターリーバで異なる種類の制御チャネルに対するインターリービングを行うとき、任意の特定制御チャネルをインターリーバ上の特定位置（特定行／列インデックス）に固定して位置させる場合や上記の目的を具現するためにインターリーバ入力時に入力シンボル列の順序を任意の方法で変えることによってインターリンビングを具現できる。
【０７３６】
図４０は、本発明の一実施例によってブロックインターリーバを使用してＯＦＤＭシンボル別インターリービングを行う方法の一例を説明するための図である。
【０７３７】
各ＯＦＤＭシンボル別にマッピングされるｍｉｎｉ−ＣＣＥがインターリービング前に区分される場合、個別ＯＦＤＭシンボル別にブロックインターリーバを適用するに当たり、仮想的に全体ＯＦＤＭシンボルに対する一つのブロックインターリーバ７０がある状況でこれを列（ｃｏｌｕｍｎ）上のグループに区分することによって、個別ＯＦＤＭシンボルに適用される個別的なブロックインターリーバに対する列別再整列または置換パターンを定義することが可能である。この時、列別再整列または置換パターンは、上述したように乱数パターンと定義することもでき、特定規則によるパターンと定義することもできる。
【０７３８】
下記の数学式４０は、ＯＦＤＭシンボルの各ブロックインターリーバを一つのブロックインターリーバ７０と考慮する場合、列（ｃｏｌｕｍｎ）の個数
【０７３９】
【数３９−７】
2010525719.tif 000198
【０７４０】
を定める方法の一例を表す。
【０７４１】
【数４０−１】
2010525719.tif 000199
【０７４２】
数学式４０からわかるように、  列の個数
【０７４３】
【数４０−２】
2010525719.tif 000200
【０７４４】
は、上の数学式３５または数学式３６を通じて計算されるＯＦＤＭシンボル別列（ｃｏｌｕｍｎ）の個数を全て合算した値で表現されることができる。
【０７４５】
図４０に示すように、３個のＯＦＤＭシンボルを通じて制御チャネルを伝送する場合、各ＯＦＤＭシンボル別ブロックインターリーバ７１，７２，７３上の列（ｃｏｌｕｍｎ）数は、Ｃ１，Ｃ２，Ｃ３と定義できる。この時、各ＯＦＤＭシンボル別ブロックインターリーバ上の列（ｃｏｌｕｍｎ）数は、上述したように、各ＯＦＤＭシンボル別に該当の制御チャネルの伝送のために使用可能な物理ｍｉｎｉ−ＣＣＥ数の比率によって設定することができる。もちろん、他の目的に応じて他の値に設定することもできる。例えば、  図４０での仮想的なブロックインターリーバ上のＣが、任意のＣＣＥのｍｉｎｉ−ＣＣＥ数と決定され、Ｃ＝Ｃ１＋Ｃ２＋Ｃ３の条件を満たしながらＯＦＤＭシンボル別可用のｍｉｎｉ−ＣＣＥの比率によってＣ１、Ｃ２、Ｃ３の値が設定されることができる。
【０７４６】
また、各ＯＦＤＭシンボル別に適用されるブロックインターリーバの行（ｒｏｗ）数Ｒ１、Ｒ２、Ｒ３は、異種の制御チャネルのうち任意の制御チャネルが特定ＯＦＤＭシンボルに限ってマッピングされる場合に他の値と定義されることもでき、プルーニングを適用して同一値と定義して使用することができる。個別ＯＦＤＭシンボル上の使用されないｍｉｎｉ−ＣＣＥも該当のブロックインターリーバに含めてインターリービング過程を行うことができ、これを考慮してＲ１、Ｒ２、Ｒ３値を決定することができる。
【０７４７】
図４１は、本発明の一実施例によって２つ以上の制御チャネルに対して共にインターリービングが行われ、多重化されて伝送される方法の一例を説明するための図である。
【０７４８】
図４１は、特に、制御チャネルＰＤＣＣＨチャネルとＰＨＩＣＨチャネルに対して共にインターリービングが行われる場合を示す。図４１に示すように、分割インターリーバは、図４０で説明した方法と同一に構成されることができ、この時、ＰＨＩＣＨチャネルに対する入力列（ｓｅｑｕｅｎｃｅ）構成時のＰＨＩＣＨチャネルのｍｉｎｉ−ＣＣＥを、周波数ダイバーシティを最適化するために適用されるブロックインターリーバ特性に応じて定義することができる。
【０７４９】
図４１を参照すると、ＰＨＩＣＨ＃ｉ、ＰＨＩＣＨ＃ｊ、ＰＨＩＣＨ＃ｋを含むＰＨＩＣＨチャネルにおいて、各ＰＨＩＣＨチャネルは、シンボルがＳＦ＝４で拡張されたｍｉｎｉ−ＣＣＥとなった周波数軸に３回ずつ反復された形態で伝送される。そして、各ＰＨＩＣＨチャネルの１番目のシンボルｍｉｎｉ−ＣＣＥ（８０，８３，８６）から各ＰＨＩＣＨチャネルの３番目のｍｉｎｉ−ＣＣＥ（８２，８５，８８）までブロックインターリーバの１番目の行８９に順次に入力される。これで、各ＰＨＩＣＨチャネルの３個のｍｉｎｉ−ＣＣＥが互いに異なるブロックインターリーバ内でインターリービングされることができる。したがって、一定列（ｃｏｌｕｍｎ）インデックス領域または全体領域に均一に拡散させて多重化する効果を得ることができる。
【０７５０】
上述した方法で構成されたブロックインターリーバに対するインターリービング動作において、ｉ番目のＯＦＤＭシンボルに対するブロックインターリーバに対する列方向置換または再整列方法の一例が、下記の数学式４１のように表現されることができる。
【０７５１】
【数４１】
2010525719.tif 000201
【０７５２】
数学式４１は、図４０に示すように、３個のＯＦＤＭシンボル別にブロックインターリーバが適用され、各ブロックインターリーバサイズはそれぞれ  Ｒ｀｀ｘＣ１、Ｒ｀｀ｘＣ２、Ｒ｀｀ｘＣ３  と構成される場合に対する例を表したものである。この時、各ブロックインターリーバ間には同じ行（ｒｏｗ）の個数Ｒ｀｀が適用された。数学式４１で、ＯＦＤＭシンボル別ブロックインターリーバ適用時にＣ１、Ｃ２、Ｃ３の値は全て同一であっても異なっても良い。また、一部変数の値が異なる値であっても良く、各変数の値が個別ＯＦＤＭシンボルのインターリーバの列（ｃｏｌｕｍｎ）の個数に整合することもでき、任意の乱数値または特定パターンに基づく値と定義されることもできる。
【０７５３】
数学式４１で、任意のＯＦＤＭシンボルインターリーバで各列（ｃｏｌｕｍｎ）に対して式で使用される値が列（ｃｏｌｕｍｎ）インデックスであって、列（ｃｏｌｕｍｎ）ごとに１ずつ増加するとされている。しかし、各列（ｃｏｌｕｍｎ）別に、列（ｃｏｌｕｍｎ）インデックスと関係ない値が適用されることも可能である。
【０７５４】
そして、インターリービングを行うために特定関数を用いてブロックインターリーバを動作させる場合には、ブロックインターリーバの行（ｒｏｗ）の数Ｒが素数（ｐｒｉｍｅ  ｎｕｍｂｅｒ）に設定されることが好ましい。決定されたＲの値（Ｒ｀）が素数である場合は、これをそのままブロックインターリーバの行（ｒｏｗ）の数Ｒ（Ｒ｀｀）と決定することができる。
【０７５５】
そして、決定されたＲの値（Ｒ｀）が素数でない場合、上で決定されたＲよりも大きい素数のうち、最も小さい素数（ｓｍａｌｌｅｓｔ  ｐｒｉｍｅ  ｎｕｍｂｅｒ）をブロックインターリーバの行（ｒｏｗ）の数Ｒ（Ｒ｀｀）と決定できる。すなわち、数学式４１で、Ｐは、ブロックインターリーバの行（ｒｏｗ）の数を素数となるように決定する場合、最終決定されたＲ値（Ｒ｀｀）と素数を考慮せずに決定されたＲ値（Ｒ｀）との差を表す。
【０７５６】
一方、各ＯＦＤＭシンボル別に任意のＣＣＥのｍｉｎｉ−ＣＣＥが分散して入力され、これに対するＯＦＤＭシンボル別インターリービング時にも、全体ＯＦＤＭシンボル上にｍｉｎｉ−ＣＣＥを分散させた任意のＣＣＥに周波数領域ダイバーシティを安定的に提供するために、各ＯＦＤＭシンボル別ブロックインターリーバの列（ｃｏｌｕｍｎ）インデックス上で互いに異なるオフセット（ｏｆｆｓｅｔ）を付与できる。
【０７５７】
下記の数学式４２は、各ＯＦＤＭシンボル別ブロックインターリーバの列（ｃｏｌｕｍｎ）インデックス上で互いに異なるオフセットを付与する方法の一例を表す。
【０７５８】
【数４２】
2010525719.tif 000202
【０７５９】
数学式４２では、３個のＯＦＤＭシンボルに対してシンボル別ブロックインターリーバが備えられる例で、各ＯＦＤＭシンボルに対するブロックインターリーバの列（ｃｏｌｕｍｎ）のインデックスをｃと定義すれば、１番目のＯＦＤＭシンボルに対するブロックインターリーバの列（ｃｏｌｕｍｎ）のインデックスは、該当の列（ｃｏｌｕｍｎ）のインデックスのままｃになり、２番目のＯＦＤＭシンボルに対するブロックインターリーバの列（ｃｏｌｕｍｎ）のインデックスは、該当のＯＦＤＭシンボルに対するブロックインターリーバの列（ｃｏｌｕｍｎ）インデックスｃに１番目のＯＦＤＭシンボルに対するブロックインターリーバの列（ｃｏｌｕｍｎ）の個数Ｃ１を加えた値と定義することによって、１番目のＯＦＤＭシンボルに対するブロックインターリーバの列（ｃｏｌｕｍｎ）のインデックスに続くインデックスとして設定できる。３番目に対するブロックインターリーバの列（ｃｏｌｕｍｎ）のインデックスも同様である。
【０７６０】
このような方法で各ＯＦＤＭシンボル別ブロックインターリーバの列（ｃｏｌｕｍｎ）インデックス上で互いに異なるオフセットを付与することによって、全体ＯＦＤＭシンボル上にｍｉｎｉ−ＣＣＥを分散させ、任意のＣＣＥに周波数領域ダイバーシティを安定的に提供することができる。
【０７６１】
なお、上述した仮想リソースから物理リソースへのマッピング及びブロックインターリービングを使用する方法において、多重セル環境を考慮する時、セル間干渉を最小化できるように複数のセルで共通してインターリーバを使用し、このとき、セル特定情報、例えば、セルＩＤ（ｉｄｅｎｔｉｆｉｅｒ）を追加的に考慮してマッピングすることができる。
【０７６２】
上述したように、ブロックインターリービング過程が終わった後に、セル別にセルＩＤのようなセル固有の情報を用いてインターリーバ構成要素を循環移動（ｃｙｃｌｉｃ  ｓｈｉｆｔ）させてインターリーバから出力でき、インターリーバの出力を物理リソースにマッピングさせる時、セル別にセルＩＤのようなセル固有の情報を用いてシフト（ｓｈｉｆｔ）した形態のインターリーバ構成要素をマッピングさせることもできる。
【０７６３】
例えば、シフト因子が０のセルに対してはインターリーバを用いて生成された乱数パターンを移動させずに、インターリーバ出力列をそのまま物理リソース要素にマッピングさせ、シフト因子が１０のセルに対しては、インターリーバ出力列の乱数パターンの構成要素を１０だけ循環移動させて物理リソース要素にマッピングすることができる。換言すると、上記と違い、列別インターリービング後に各セル別にセルＩＤのような情報を用いて全体ブロックインターリーバのインターリービングパターンに対して循環移動を適用させた後に物理リソースにマッピングすることができる。
【０７６４】
本発明によって制御チャネルの伝送に使用されるＣＣＥの全体ｍｉｎｉ−ＣＣＥをインターリーバ入力前に制御チャネル伝送に使用されるＯＦＤＭシンボル別に区分し、各ＯＦＤＭシンボルのリソース要素グループにマッピングするｍｉｎｉ−ＣＣＥに対して個別的なセル共通のインターリービングを行う方式が使用されることができる。この時、ブロックインターリーバに入力されるｍｉｎｉ−ＣＣＥ列（ｓｅｑｕｅｎｃｅ）は、様々な種類の制御チャネルが多重化された形態として構成されることができる。
【０７６５】
下記の数学式４３は、上記のブロックインターリーバを使用するインターリービング動作に対する仮想インターリービングを具現できるアルゴリズムを表現する方法の一例を表す。
【０７６６】
【数４３−１】
2010525719.tif 000203
【０７６７】
数学式４３で、
【０７６８】
【数４３−２】
2010525719.tif 000204
【０７６９】
は、ｉ番目のＯＦＤＭシンボルインターリーバで入力位置インデックスｊに該当するｍｉｎｉ−ＣＣＥに対する出力位置インデックスを表す。これはそれぞれ仮想インターリービングのために割り当てられるブロックインターリーバ上の位置インデックスを表すことができる。そして、
【０７７０】
【数４３−３】
2010525719.tif 000205
【０７７１】
は、ｉ番目のＯＦＤＭシンボル別ブロックインターリーバ具現時に使用した値と同じ方法で計算された値を使用することができる。
【０７７２】
本文書で、本発明の実施例は、基地局と端末間のデータ送受信関係を中心に説明された。ここで、基地局は、端末と直接通信を行うネットワークの終端ノード（ｔｅｒｍｉｎａｌ  ｎｏｄｅ）としての意味を有する。本文書で基地局により行われるものとして説明された特定動作は、場合によっては、基地局の上位ノード（ｕｐｐｅｒ  ｎｏｄｅ）により行われることもできる。すなわち、基地局を含む複数のネットワークノード（ｎｅｔｗｏｒｋ  ｎｏｄｅｓ）からなるネットワークで端末との通信のために行われる様々な動作は、基地局または基地局以外の他のネットワークノードにより行われることができることは自明である。‘基地局’は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ａｃｃｅｓｓ  ｐｏｉｎｔ）などの用語に代替可能である。また、‘端末’は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に代替可能である。
【０７７３】
本発明は、本発明の技術的思想及び必須特徴を逸脱しない範囲で様々な特定形態に具体化できるということは当業者にとって自明である。したがって、上記の詳細な説明はいずれの面においても制約的に解釈されてはならず、例示的なものとして考慮されるべきである。本発明の範囲は、添付の特許請求の範囲の合理的解釈により決定されなければならなく、本発明の等価的範囲内における全ての変更は、本発明の範囲に含まれる。
【産業上の利用可能性】
【０７７４】
本発明は、移動通信システムで一つ以上の移動端末に対する制御チャネルを伝送する方法に関するもので、制御チャネル伝送時に、変調された制御チャネルシンボルをブロックインターリーバを用いたインターリービングを通じて伝送リソース内で均一に分布させて伝送できる方法を提供し、さらにはセル特定要素を用いたシフトを通じてセル間干渉を低減できるので、特定システムに限定して適用させる必要はなく、３ＧＰＰ  ＬＴＥ、ＩＥＥＥ  ８０２．１６ｅ、ＩＥＥＥ  ８０２．１６ｍ及びこれと互換性を持つ様々な無線通信システムの基地局、中継局及び端末などに適用させることができる。
【図４（ａ）】
2010525719.tif 000206
【図４（ｂ）】
2010525719.tif 000207
【図９】
2010525719.tif 000208
【図１６（ａ）】
2010525719.tif 000209
【図１６（ｂ）】
2010525719.tif 000210
【図１８】
2010525719.tif 000211
【図３１】
2010525719.tif 000212
【図１】
2010525719.tif 000213
【図２】
2010525719.tif 000214
【図３】
2010525719.tif 000215
【図５】
2010525719.tif 000216
【図６】
2010525719.tif 000217
【図７】
2010525719.tif 000218
【図８】
2010525719.tif 000219
【図１０】
2010525719.tif 000220
【図１１】
2010525719.tif 000221
【図１２】
2010525719.tif 000222
【図１３】
2010525719.tif 000223
【図１４】
2010525719.tif 000224
【図１５】
2010525719.tif 000225
【図１７】
2010525719.tif 000226
【図１９】
2010525719.tif 000227
【図２０】
2010525719.tif 000228
【図２１】
2010525719.tif 000229
【図２２】
2010525719.tif 000230
【図２３】
2010525719.tif 000231
【図２４】
2010525719.tif 000232
【図２５】
2010525719.tif 000233
【図２６】
2010525719.tif 000234
【図２７】
2010525719.tif 000235
【図２８】
2010525719.tif 000236
【図２９】
2010525719.tif 000237
【図３０】
2010525719.tif 000238
【図３２】
2010525719.tif 000239
【図３３】
2010525719.tif 000240
【図３４】
2010525719.tif 000241
【図３５】
2010525719.tif 000242
【図３６】
2010525719.tif 000243
【図３７】
2010525719.tif 000244
【図３８】
2010525719.tif 000245
【図３９】
2010525719.tif 000246
【図４０】
2010525719.tif 000247
【図４１】
2010525719.tif 000248
【国際調査報告】
2010525719.tif 000249
2010525719.tif 000250